(57)【要約】【課題】5GSにおけるCIoTのための機能を実現するための通信手段と、ネットワーク主導で、UE(User Equipment；端末装置)の状態を変更する手続きを実現するための通信手段とを提供する。【解決手段】ネットワーク主導の設定更新手続きや、複数の種類のセッションサービス継続をサポートしている5GSにおいても、CIoTのための機能の使用を可能とするための通信手段を提供する。さらに、ネットワーク主導で、UE(User Equipment；端末装置)の状態を、コントロールプレーンを介したユーザデータ通信が制限された状態に変更したり、コントロールプレーンを介したユーザデータ通信が制限されていない状態に変更したりする通信手段も提供する。さらに、ネットワーク主導で、UEの状態が変更された場合においても、UEとネットワークとの間で確立されているコネクションを、UEが適切に管理するための通信手段も提供する。【選択図】図2
2020182175.tif 000002
【特許請求の範囲】
【請求項１】
UE(User Equipment；端末装置)であって、
前記UEは、
UE設定更新手続きにおいて、コアネットワーク内の制御装置から、設定更新コマンドメッセージを受信する、
送受信部と制御部とを備え、
前記UE設定更新手続きは、前記コアネットワーク内の制御装置によって開始される手続きであり、
前記制御部は、
前記設定更新コマンドメッセージに、コントロールプレーンを介したユーザデータの通信を制限する為のバックオフタイマーの値が含まれていて、さらに、前記バックオフタイマーが実行されていない場合に、前記バックオフタイマーの値を用いた前記バックオフタイマーを開始し、
コントロールプレーンを介したユーザデータの通信の制限を開始する、
ことを特徴とするUE。
【請求項２】
前記バックオフタイマーは、前記バックオフタイマーの値を含まない登録受諾メッセージ、又は前記バックオフタイマーの値を含まないサービス受諾メッセージの受信に基づいて、停止される
ことを特徴とする請求項1に記載のUE。
【請求項３】
コアネットワーク内の制御装置であって、
前記制御装置は、
UE設定更新手続きにおいて、UE(User Equipment；端末装置)に、設定更新コマンドメッセージを送信する送受信部を備え、
前記UE設定更新手続きは、前記コアネットワーク内の制御装置によって開始される手続きであり、
前記送受信部は、
前記UEで、コントロールプレーンを介したユーザデータの通信を制限する為のバックオフタイマーを開始する為に、前記設定更新コマンドメッセージに前記バックオフタイマーの値を含め、
前記バックオフタイマーの値を、前記UEと対応付けて記憶する、
ことを特徴とするコアネットワーク内の制御装置。 
【発明の詳細な説明】
【技術分野】
【０００１】
本開示は、ＵＥ、及びコアネットワーク内の制御装置に関する。
【背景技術】
【０００２】
3GPP(3rd Generation Partnership Project)では、次世代、すなわち第5世代(5G)の移動通信システムである5GS(5G System)のシステムアーキテクチャについての検討が開始されており、新しい手続きや新しい機能のサポートについて議論が行われている(非特許文献1及び非特許文献2及び非特許文献3参照)。
【０００３】
例えば、多種多様なサービスに応じた、継続的な移動通信サービスをサポートする為の通信手続きの最適化及び多様化や、通信手続きの最適化及び多様化に合わせたシステムアーキテクチャの最適化等も要求条件として挙げられている。
【先行技術文献】
【非特許文献】
【０００４】
【非特許文献１】3GPP TS 23.501 v16.0.2; 3rd Generation Partnership Project; Technical Specification Group Services and System Aspects; System Architecture for the 5G System; Stage 2 (Release 16)
【非特許文献２】3GPP TS 23.502 v16.0.2; 3rd Generation Partnership Project; Technical Specification Group Services and System Aspects; Procedures for the 5G System; Stage 2 (Release 16)
【非特許文献３】3GPP TS 24.501 v16.0.2; 3rd Generation Partnership Project; Technical Specification Group Core Network and Terminals; Non-Access-Stratum (NAS) protocol for 5G System (5GS);Stage 3 (Release 16)
【発明の概要】
【発明が解決しようとする課題】
【０００５】
5GS(5G System)では、多種多様なサービスを提供するために、新たなコアネットワークである5GC(5G Core Network)が検討されている。さらに、EPS(Evolved Packet System)でサポートしている、CIoT(Cellular IoT)のための機能(制御信号の効率化やスモールデータ、SMS等のユーザデータの効率的な通信を実現するためのシグナリングの最適化等)も検討し始めている。
【０００６】
尚、5GSでは、ネットワーク主導の設定更新手続き等の新しい手続きや、複数の種類のセッションサービス継続やLADN(Local Area Data Network)への接続等の新しい機能がサポートされている。しかし、EPSでサポートしているCIoTのための機能を5GSで実現する際、新しい手続きや新しい機能をどのように用いて、EPSでサポートしているCIoTのための機能を5GSで実現するかは明確になっていない。さらに、新しい手続きであるネットワーク主導の設定更新手続きにおいても、UE(User Equipment；端末装置)の状態をどのように変更するかが明確になっていない。
【０００７】
本発明は、以上のような事情を鑑みてなされたものであり、その目的は、5GSにおけるCIoTのための機能の実現方法と、ネットワーク主導で、UEの状態を変更する手続きの実現方法とを提供することである。
【課題を解決するための手段】
【０００８】
本発明の一実施形態のUE(User Equipment；端末装置)は、UE設定更新手続きにおいて、コアネットワーク内の制御装置から、設定更新コマンドメッセージを受信する、送受信部と制御部とを備え、前記UE設定更新手続きは、前記コアネットワーク内の制御装置によって開始される手続きであり、前記制御部は、前記設定更新コマンドメッセージに、コントロールプレーンを介したユーザデータの通信を制限する為のバックオフタイマーの値が含まれていて、さらに、前記バックオフタイマーが実行されていない場合に、前記バックオフタイマーの値を用いた前記バックオフタイマーを開始し、コントロールプレーンを介したユーザデータの通信の制限を開始する、ことを特徴とする。
【０００９】
本発明の一実施形態のコアネットワーク内の制御装置は、UE設定更新手続きにおいて、UE(User Equipment；端末装置)に、設定更新コマンドメッセージを送信する送受信部を備え、前記UE設定更新手続きは、前記コアネットワーク内の制御装置によって開始される手続きであり、前記送受信部は、前記UEで、コントロールプレーンを介したユーザデータの通信を制限する為のバックオフタイマーを開始する為に、前記設定更新コマンドメッセージに前記バックオフタイマーの値を含め、前記バックオフタイマーの値を、前記UEと対応付けて記憶する、ことを特徴とする。
【発明の効果】
【００１０】
本発明によれば、5GSがネットワーク主導の設定更新手続きや、複数の種類のセッションサービス継続をサポートしている場合でも、5GSで、CIoTのための機能を使用することが可能となる。さらに、本発明によれば、ネットワーク主導で、UE(User Equipment；端末装置)の状態を、コントロールプレーンを介したユーザデータ通信が制限された状態に変更したり、コントロールプレーンを介したユーザデータ通信が制限されていない状態に変更したりすることも可能となる。さらに、本発明によれば、ネットワーク主導で、UEの状態が変更された場合においても、コネクションを適切に管理することも可能となる。
【図面の簡単な説明】
【００１１】
【図１】移動通信システム(EPS/5GS)の概略を説明する図である。
【図２】移動通信システム(EPS/5GS)の詳細構成を説明する図である。
【図３】UEの装置構成を説明する図である。
【図４】5GSにおけるアクセスネットワーク装置(gNB)の構成を説明する図である。
【図５】5GSにおけるコアネットワーク装置(AMF/SMF/UPF)の構成を説明する図である。
【図６】登録手続きを説明する図である。
【図７】PDUセッション確立手続きを説明する図である。
【図８】UE設定更新手続きを説明する図である。
【図９】サービス要求手続きを説明する図である。
【発明を実施するための形態】
【００１２】
図面を参照しながら、本発明を実施する為の最良の形態について、説明する。
【００１３】
[1. システムの概要]
まず、図1は、各実施形態で使用される移動通信システム1の概略を説明する為の図であり、図2は、その移動通信システム1の詳細構成を説明する為の図である。
【００１４】
図1には、移動通信システム1は、UE_A10、アクセスネットワーク_A80、コアネットワーク_A90、PDN(Packet Data Network)_A5、アクセスネットワーク_B120、コアネットワーク_B190、DN(Data Network)_A6により構成されることが記載されている。
【００１５】
以下では、これらの装置・機能について、UE_A、アクセスネットワーク_A、コアネットワーク_A、PDN_A、アクセスネットワーク_B、コアネットワーク_B、DN_A等のように、記号を省略して記載する場合がある。更に、UE_A10がUEと記載される場合や、アクセスネットワーク_A80及び/又はアクセスネットワーク_B120がアクセスネットワークと記載される場合や、コアネットワーク_A90及び/又はコアネットワーク_B190がコアネットワークと記載される場合や、PDN_A5がPDNと記載される場合や、DN_A6がDNと記載される場合がある。
【００１６】
また、図2には、UE_A10、E-UTRAN80、MME40、SGW35、PGW-U30、PGW-C32、PCRF60、HSS50、5G AN120、AMF140、UPF130、SMF132、PCF160、UDM150等の装置・機能、及びこれらの装置・機能を互いに接続するインターフェースが記載されている。
【００１７】
以下では、これらの装置・機能について、UE_A、E-UTRAN、MME、SGW、PGW-U、PGW-C、PCRF、HSS、5G AN、AMF、UPF、SMF、PCF、UDM等のように、記号を省略して記載する場合がある。更に、UE_A10がUEと記載される場合がある。
【００１８】
尚、4GシステムであるEPS(Evolved Packet System)は、アクセスネットワーク_A及びコアネットワーク_Aを含んで構成されるが、さらにUE及び/又はPDNが含まれても良い。また、5Gシステムである5GS(5G System)は、UE、アクセスネットワーク_B及びコアネットワーク_Bを含んで構成されるが、さらにDNが含まれても良い。
【００１９】
UEは、3GPPアクセス(3GPPアクセスネットワーク、3GPP ANとも称する)及び/又はnon-3GPPアクセス(non-3GPPアクセスネットワーク、non-3GPP ANとも称する)を介して、ネットワークサービスに対して接続可能な装置である。UEは、携帯電話やスマートフォン等の無線通信が可能な端末装置であってよく、EPSにも5GSにも接続可能な端末装置であってよい。UEは、UICC(Universal Integrated Circuit Card)やeUICC(Embedded UICC)を備えてもよい。尚、UEのことをユーザ装置と表現してもよいし、端末装置と表現してもよい。
【００２０】
また、アクセスネットワーク_Aは、E-UTRAN(Evolved Universal Terrestrial Radio Access Network)及び/又は無線LANアクセスネットワークに対応する。E-UTRANには、1以上のeNB(evolved Node B)45が配置される。尚、以下では、eNB45は、eNBのように記号を省略して記載する場合がある。また、複数のeNBがある場合は、各eNBは、例えばX2インターフェースにより、互いに接続されている。また、無線LANアクセスネットワークには、1以上のアクセスポイントが配置される。
【００２１】
また、アクセスネットワーク_Bは、5Gアクセスネットワーク(5G AN)に対応する。5G ANは、NG-RAN(NG Radio Access Network)及び/又はnon-3GPP アクセスネットワークで構成される。NG-RANには、1以上のgNB(NR NodeB)122が配置される。尚、以下では、gNB122は、eNBのように記号を省略して記載する場合がある。gNBは、NR(New Radio)ユーザプレーンと制御プレーンをUEに提供するノードであり、5GCNに対してNGインターフェース(N2インターフェース又はN3インターフェースを含む)を介して接続するノードである。すなわち、gNBは、5GSのために新たに設計された基地局装置であり、4GシステムであるEPSで使用されていた基地局装置(eNB)とは異なる機能を有する。また、複数のgNBがある場合は、各gNBは、例えばXnインターフェースにより、互いに接続している。
【００２２】
また、以下では、E-UTRANやNG-RANは、3GPPアクセスと称することがある。また、無線LANアクセスネットワークやnon-3GPP ANは、non-3GPPアクセスと称することがある。また、アクセスネットワーク_Bに配置されるノードを、まとめてNG-RANノードとも称することがある。
【００２３】
また、以下では、アクセスネットワーク_A、及び/又はアクセスネットワーク_B、及び/又はアクセスネットワーク_Aに含まれる装置、及び/又はアクセスネットワーク_Bに含まれる装置は、アクセスネットワーク、又はアクセスネットワーク装置と称する場合がある。
【００２４】
また、コアネットワーク_Aは、EPC(Evolved Packet Core)に対応する。EPCには、例えば、MME(Mobility Management Entity)、SGW(Serving Gateway)、PGW(Packet Data Network Gateway)-U、PGW-C、PCRF(Policy and Charging Rules Function)、HSS(Home Subscriber Server)等が配置される。
【００２５】
また、コアネットワーク_Bは、5GCN(5G Core Network)に対応する。5GCNには、例えば、AMF(Access and Mobility Management Function)、UPF(User Plane Function)、SMF(Session Management Function)、PCF(Policy Control Function)、UDM(Unified Data Management)等が配置される。ここで、5GCNは、5GCと表現されてもよい。
【００２６】
また、以下では、コアネットワーク_A、及び/又はコアネットワーク_B、コアネットワーク_Aに含まれる装置、及び/又はコアネットワーク_Bに含まれる装置は、コアネットワーク、又はコアネットワーク装置と称する場合がある。
【００２７】
コアネットワーク(コアネットワーク_A及び/又はコアネットワーク_B)は、アクセスネットワーク(アクセスネットワーク_A及び/又はアクセスネットワーク_B)と、PDN及び/又はDNとを接続した移動体通信事業者(Mobile Network Operator; MNO)が運用するIP移動通信ネットワークの事であってもよいし、移動通信システム1を運用、管理する移動体通信事業者の為のコアネットワークでもよいし、MVNO(Mobile Virtual Network Operator)、MVNE(Mobile Virtual Network Enabler)等の仮想移動通信事業者や仮想移動体通信サービス提供者の為のコアネットワークでもよい。
【００２８】
また、図1では、PDNとDNが同一である場合が記載されているが、異なっていても良い。PDNは、UEに通信サービスを提供するDN(Data Network)であってよい。尚、DNは、パケットデータサービス網として構成されてもよいし、サービス毎に構成されてもよい。さらに、PDNは、接続された通信端末を含んでもよい。従って、PDNと接続する事は、PDNに配置された通信端末やサーバ装置と接続する事であってもよい。さらに、PDNとの間でユーザデータを送受信する事は、PDNに配置された通信端末やサーバ装置とユーザデータを送受信する事であってもよい。尚、PDNのことをDNと表現してもよいし、DNのことをPDNと表現してもよい。
【００２９】
また、以下では、アクセスネットワーク_A、コアネットワーク_A、PDN、アクセスネットワーク_B、コアネットワーク_B、DNの少なくとも一部、及び/又はこれらに含まれる1以上の装置を、ネットワーク又はネットワーク装置と呼称する場合がある。つまり、ネットワーク及び/又はネットワーク装置が、メッセージを送受信する、及び/又は手続きを実行するということは、アクセスネットワーク_A、コアネットワーク_A、PDN、アクセスネットワーク_B、コアネットワーク_B、DNの少なくとも一部、及び/又はこれらに含まれる1以上の装置が、メッセージを送受信する、及び/又は手続きを実行することを意味する。
【００３０】
また、UEは、アクセスネットワークに接続することができる。また、UEは、アクセスネットワークを介して、コアネットワークと接続する事ができる。さらに、UEは、アクセスネットワーク及びコアネットワークを介して、PDN又はDNに接続する事ができる。すなわち、UEは、PDN又はDNとの間で、ユーザデータを送受信(通信)する事ができる。ユーザデータを送受信する際は、IP(Internet Protocol)通信だけでなく、non-IP通信を用いてもよい。
【００３１】
ここで、IP通信とは、IPを用いたデータ通信の事であり、IPパケットにより、データの送受信が行われる。IPパケットは、IPヘッダとペイロード部で構成される。ペイロード部には、EPSに含まれる装置・機能や、5GSに含まれる装置・機能が送受信するデータが含まれてよい。また、non-IP通信とは、IPを用いないデータ通信の事であり、IPパケットの構造とは異なる形式により、データの送受信が行われる。例えば、non-IP通信は、IPヘッダが付与されていないアプリケーションデータの送受信によって実現されるデータ通信でもよいし、マックヘッダやEthernet(登録商標)フレームヘッダ等の別のヘッダを付与してUEが送受信するユーザデータを送受信してもよい。
【００３２】
以下では、これらの装置・機能について、UE_A、UE_B、アクセスネットワーク_B、コアネットワーク_B、DN_A等のように、記号を省略して記載する場合がある。更に、UE_A10及び/又はUE_B11がUEや各UEと記載される場合や、アクセスネットワーク_B120がアクセスネットワークと記載される場合や、コアネットワーク_B190がコアネットワークと記載される場合や、DN_A6がDNと記載される場合がある。
【００３３】
UE_A及びUE_Bは同じgNBを介してPDUセッションを確立してもよいし、異なるgNBを介してPDUセッションを確立している状態であってもよい。更に、UE_A及びUE_Bは同一のUPFを介してPDUセッションを確立していてもよいし、異なるUPFを介してPDUセッションを確立されていてもよい。
【００３４】
更に、UE_A及びUE_Bは同一のコアネットワーク内装置に登録及び管理されていてもよいし、異なるコアネットワーク内装置に登録及び管理されていてもよい。具体的には、UE_A及びUE_Bは同じAMFに登録されてもよいし、異なるAMFに登録さていてもよい。更にUE_A及びUE_Bは同じSMFにセッションの管理をされていてもよいし、異なるSMFにセッションの管理をされていてもよい。また、UE_A及びUE_Bはその他のコアネットワーク内装置に登録及びセッションの管理をされてよい。
【００３５】
UE_A及びUE_Bが同じUPFを介してPDUセッションを確立している場合、UE_A及びUE_BはDNを介さず、UPFを介してプライベート通信をしてもよい。更に、UE_A及びUE_Bが異なるUPFを介してPDUセッションを確立している場合、UPF間のインターフェースを用いて、プライベート通信をしてもよい。
【００３６】
また、UE_A及びUE_Bが同一のAMFに登録される場合、AMFがグループAに属するUEの管理を行ってもよい。UE_A及びUE_Bが異なるAMFに登録されている場合、又は同一のAMFに登録される場合であっても、AMF以外のコアネットワーク内装置がグループAに属するUEの管理を行ってもよい。
【００３７】
更に、UE_A及びUE_Bは、non-IP通信を用いてデータの送受信をしてもよい。例えば、UE_A及びUE_Bがnon-IP通信を用いてVertical LANを実現する場合、UE_A及びUE_BはUPFをHUBやデフォルトルーターのように用いる事で、Ethernet(登録商標)を用いたデータの送受信を行ってもよい。なお、HUBやデフォルトルーターのような機能をもつUPFは特別なUPFであってよく、UE_A及びUE_Bはこの特別な機能を持つUPFをゲートウェイとしたPDUセッションを確立してよい。
【００３８】
更に、UE_A及び/又はUE_BがHUBやデフォルトルーターの機能を備えていてもよく、この場合、UE_A及び/又はUE_Bは、HUBやデフォルトルーターの機能を備える事を示す能力情報を登録要求メッセージに含めて送信し、登録受諾メッセージで要求が受諾された事を示す情報、及び/又はネットワークのcapability情報を受信することで、グループ内のデフォルトルーターとしてネットワークに登録されてもよい。
【００３９】
[2. 各装置の構成]
次に、各実施形態で使用される各装置(UE、及び/又はアクセスネットワーク装置、及び/又はコアネットワーク装置)の構成について、図を用いて説明する。尚、各装置は、物理的なハードウェアとして構成されても良いし、汎用的なハードウェア上に構成された論理的な(仮想的な)ハードウェアとして構成されても良いし、ソフトウェアとして構成されても良い。また、各装置の持つ機能の少なくとも一部(全部を含む)が、物理的なハードウェア、論理的なハードウェア、ソフトウェアとして構成されても良い。
【００４０】
尚、以下で登場する各装置・機能内の各記憶部(記憶部_A340、記憶部_A440、記憶部_B540、記憶部_A640、記憶部_B740)は、例えば、半導体メモリ、SSD(Solid State Drive)、HDD(Hard Disk Drive)等で構成されている。また、各記憶部は、出荷段階からもともと設定されていた情報だけでなく、自装置・機能以外の装置・機能(例えば、UE、及び/又はアクセスネットワーク装置、及び/又はコアネットワーク装置、及び/又はPDN、及び/又はDN)との間で、送受信した各種の情報を記憶する事ができる。また、各記憶部は、後述する各種の通信手続き内で送受信する制御メッセージに含まれる識別情報、制御情報、フラグ、パラメータ等を記憶することができる。また、各記憶部は、これらの情報をUE毎に記憶してもよい。また、各記憶部は、5GSとEPSとの間のインターワークをした場合には、5GS及び/又はEPS内に含まれる装置・機能との間で送受信した制御メッセージやユーザデータを記憶することができる。このとき、N26インターフェースを介して送受信されたものだけでなく、N26インターフェースを介さずに送受信されたものも記憶することができる。
【００４１】
[2.1. UEの装置構成]
まず、UE(User Equipment)の装置構成例について、図3を用いて説明する。UEは、制御部_A300、アンテナ310、送受信部_A320、記憶部_A340で構成されている。制御部_A300、送受信部_A320、記憶部_A340は、バスを介して接続されている。送受信部_A320は、アンテナ310と接続している。
【００４２】
制御部_A300は、UE全体の動作・機能を制御する機能部である。制御部_A300は、必要に応じて、記憶部_A340に記憶されている各種プログラムを読み出して実行する事により、UEにおける各種の処理を実現する。
【００４３】
送受信部_A320は、アンテナを介して、アクセスネットワーク内の基地局装置(eNB又はgNB)と無線通信する為の機能部である。すなわち、UEは、送受信部_A320を用いて、アクセスネットワーク装置、及び/又はコアネットワーク装置、及び/又はPDN、及び/又はDNとの間で、ユーザデータ及び/又は制御情報を送受信することができる。
【００４４】
図2を参照して詳細に説明すると、UEは、送受信部_A320を用いることにより、LTE-Uuインターフェースを介して、E-UTRAN内の基地局装置(eNB)と通信することができる。また、UEは、送受信部_A320を用いることにより、5G AN内の基地局装置(gNB)と通信することができる。また、UEは、送受信部_A320を用いることにより、N1インターフェースを介してAMFとNAS(Non-Access-Stratum)メッセージの送受信をすることができる。ただし、N1インターフェースは論理的なものであるため、実際には、UEとAMFの間の通信は、5G ANを介して行われる。
【００４５】
記憶部_A340は、UEの各動作に必要なプログラム、ユーザデータ、制御情報等を記憶する為の機能部である。
【００４６】
[2.2. gNBの装置構成]
次に、gNBの装置構成例について、図4を用いて説明する。gNB は、制御部_B500、アンテナ510、ネットワーク接続部_B520、送受信部_B530、記憶部_B540で構成されている。制御部_B500、ネットワーク接続部_B520、送受信部_B530、記憶部_B540は、バスを介して接続されている。送受信部_B530は、アンテナ510と接続している。
【００４７】
制御部_B500は、gNB全体の動作・機能を制御する機能部である。制御部_B500は、必要に応じて、記憶部_B540に記憶されている各種プログラムを読み出して実行する事により、gNBにおける各種の処理を実現する。
【００４８】
ネットワーク接続部_B520は、gNBが、AMF及び/又はUPFと通信する為の機能部である。すなわち、gNBは、ネットワーク接続部_B520を用いて、AMF及び/又はUPFとの間で、ユーザデータ及び/又は制御情報を送受信することができる。
【００４９】
送受信部_B530は、アンテナ510を介して、UEと無線通信する為の機能部である。すなわち、gNBは、送受信部_B530を用いて、UEとの間で、ユーザデータ及び/又は制御情報を送受信することができる。
【００５０】
図2を参照して詳細に説明すると、5G AN内にあるgNBは、ネットワーク接続部_B520を用いることにより、N2インターフェースを介して、AMFと通信することができ、N3インターフェースを介して、UPFと通信することができる。また、gNBは、送受信部_B530を用いることにより、UEと通信することができる。
【００５１】
記憶部_B540は、gNBの各動作に必要なプログラム、ユーザデータ、制御情報等を記憶する為の機能部である。
【００５２】
[2.3. AMFの装置構成]
次に、AMFの装置構成例について、図5を用いて説明する。AMFは、制御部_B700、ネットワーク接続部_B720、記憶部_B740で構成されている。制御部_B700、ネットワーク接続部_B720、記憶部_B740は、バスを介して接続されている。AMFは、制御プレーンを扱うノードであってよい。
【００５３】
制御部_B700は、AMF全体の動作・機能を制御する機能部である。制御部_B700は、必要に応じて、記憶部_B740に記憶されている各種プログラムを読み出して実行する事により、AMFにおける各種の処理を実現する。
【００５４】
ネットワーク接続部_B720は、AMFが、5G AN内の基地局装置(gNB)、及び/又はSMF、及び/又はPCF、及び/又はUDM、及び/又はSCEFと接続する為の機能部である。すなわち、AMFは、ネットワーク接続部_B720を用いて、5G AN内の基地局装置(gNB)、及び/又はSMF、及び/又はPCF、及び/又はUDM、及び/又はSCEFとの間で、ユーザデータ及び/又は制御情報を送受信することができる。
【００５５】
図2を参照して詳細に説明すると、5GCN内にあるAMFは、ネットワーク接続部_A620を用いることにより、N2インターフェースを介して、gNBと通信することができ、N8インターフェースを介して、UDMと通信することができ、N11インターフェースを介して、SMFと通信することができ、N15インターフェースを介して、PCFと通信することができる。また、AMFは、ネットワーク接続部_A620を用いることにより、N1インターフェースを介して、UEとNASメッセージの送受信をすることができる。ただし、N1インターフェースは論理的なものであるため、実際には、UEとAMFの間の通信は、5G ANを介して行われる。また、AMFは、N26インターフェースをサポートする場合、ネットワーク接続部_A620を用いることにより、N26インターフェースを介して、MMEと通信することができる。
【００５６】
記憶部_B740は、AMFの各動作に必要なプログラム、ユーザデータ、制御情報等を記憶する為の機能部である。
【００５７】
尚、AMFは、N2インターフェースを用いたRANとの制御メッセージを交換する機能、N1インターフェースを用いたUEとのNASメッセージを交換する機能、NASメッセージの暗号化及び完全性保護を行う機能、登録管理(Registration management; RM)機能、接続管理(Connection management; CM)機能、到達可能性管理(Reachability management)機能、UE等の移動性管理(Mobility management)機能、UEとSMF間のSM(Session Management)メッセージを転送する機能、アクセス認証(Access Authentication、Access Authorization)機能、セキュリティアンカー機能(SEA; Security Anchor Functionality)、セキュリティコンテキスト管理(SCM; Security Context Management)機能、N3IWF(Non-3GPP Interworking Function)に対するN2インターフェースをサポートする機能、N3IWFを介したUEとのNAS信号の送受信をサポートする機能、N3IWFを介して接続するUEの認証する機能等を有する。
【００５８】
また、登録管理では、UEごとのRM状態が管理される。RM状態は、UEとAMFとの間で同期がとられていてもよい。RM状態としては、非登録状態(RM-DEREGISTERED state)と、登録状態(RM-REGISTERED state)がある。RM-DEREGISTERED状態では、UEはネットワークに登録されていないため、AMFにおけるUEコンテキストが、そのUEに対する有効な位置情報やルーティング情報を持っていない為、AMFはUEに到達できない状態である。また、RM-REGISTERED状態では、UEはネットワークに登録されているため、UEはネットワークとの登録が必要なサービスを受信することができる。尚、RM状態は、5GMM状態(5GMM state)と表現されてもよい。この場合、RM-DEREGISTERED状態は、5GMM-DEREGISTERED状態と表現されてもよいし、RM-REGISTERED状態は、5GMM-REGISTERED状態と表現されてもよい。
【００５９】
言い換えると、5GMM-REGISTEREDは、各装置が、5GMMコンテキストを確立した状態であってもよいし、PDUセッションコンテキストを確立した状態であってもよい。尚、各装置が5GMM-REGISTEREDである場合、UE_A10は、ユーザデータや制御メッセージの送受信を開始してもよいし、ページングに対して応答してもよい。さらに、尚、各装置が5GMM-REGISTEREDである場合、UE_A10は、初期登録のための登録手続き以外の登録手続き、及び/又はサービス要求手続きを実行してもよい。
【００６０】
さらに、5GMM-DEREGISTEREDは、各装置が、5GMMコンテキストを確立していない状態であってもよいし、UE_A10の位置情報がネットワークに把握されていない状態であってもよいし、ネットワークがUE_A10に到達不能である状態であってもよい。尚、各装置が5GMM-DEREGISTEREDである場合、UE_A10は、登録手続きを開始してもよいし、登録手続きを実行することで5GMMコンテキストを確立してもよい。
【００６１】
また、接続管理では、UEごとのCM状態が管理される。CM状態は、UEとAMFとの間で同期がとられていてもよい。CM状態としては、非接続状態(CM-IDLE state)と、接続状態(CM-CONNECTED state)がある。CM-IDLE状態では、UEはRM-REGISTERED状態にあるが、N1インターフェースを介したAMFとの間で確立されるNASシグナリング接続(NAS signaling connection)を持っていない。また、CM-IDLE状態では、UEはN2インターフェースの接続(N2 connection)、及びN3インターフェースの接続(N3 connection)を持っていない。一方、CM-CONNECTED状態では、N1インターフェースを介したAMFとの間で確立されるNASシグナリング接続(NAS signaling connection)を持っている。また、CM-CONNECTED状態では、UEはN2インターフェースの接続(N2 connection)、及び/又はN3インターフェースの接続(N3 connection)を持っていてもよい。
【００６２】
さらに、接続管理では、3GPPアクセスにおけるCM状態と、non-3GPPアクセスにおけるCM状態とで分けて管理されてもよい。この場合、3GPPアクセスにおけるCM状態としては、3GPPアクセスにおける非接続状態(CM-IDLE state over 3GPP access)と、3GPPアクセスにおける接続状態(CM-CONNECTED state over 3GPP access)とがあってよい。さらに、non-3GPPアクセスにおけるCM状態としては、non-3GPPアクセスにおける非接続状態(CM-IDLE state over non-3GPP access)と、non-3GPPアクセスにおける接続状態(CM-CONNECTED state over non-3GPP access)とがあってよい。尚、非接続状態はアイドルモード表現されてもよく、接続状態モードはコネクテッドモードと表現されてもよい。
【００６３】
尚、CM状態は、5GMMモード(5GMM mode)と表現されてもよい。この場合、非接続状態は、5GMM非接続モード(5GMM-IDLE mode)と表現されてもよいし、接続状態は、5GMM接続モード(5GMM-CONNECTED mode)と表現されてもよい。さらに、3GPPアクセスにおける非接続状態は、3GPPアクセスにおける5GMM非接続モード(5GMM-IDLE mode over 3GPP access)と表現されてもよいし、3GPPアクセスにおける接続状態は、3GPPアクセスにおける5GMM接続モード(5GMM-CONNECTED mode over 3GPP access)と表現されてもよい。さらに、non-3GPPアクセスにおける非接続状態は、non-3GPPアクセスにおける5GMM非接続モード(5GMM-IDLE mode over non-3GPP access)と表現されてもよいし、non-3GPPアクセスにおける接続状態は、non-3GPPアクセスにおける5GMM接続モード(5GMM-CONNECTED mode over non-3GPP access)と表現されてもよい。尚、5GMM非接続モードはアイドルモード表現されてもよく、5GMM接続モードはコネクテッドモードと表現されてもよい。
【００６４】
また、AMFは、コアネットワーク_B内に1以上配置されてもよい。また、AMFは、1以上のNSI(Network Slice Instance)を管理するNFでもよい。また、AMFは、複数のNSI間で共有される共有CPファンクション(CCNF; Common CPNF(Control Plane Network Function))でもよい。
【００６５】
尚、N3IWFは、UEが5GSに対してnon-3GPPアクセスを介して接続する場合に、non-3GPPアクセスと5GCNとの間に配置される装置及び/又は機能である。
【００６６】
[2.4. SMFの装置構成]
次に、SMFの装置構成例について、図5を用いて説明する。SMFは、制御部_B700、ネットワーク接続部_B720、記憶部_B740で構成されている。制御部_B700、ネットワーク接続部_B720、記憶部_B740は、バスを介して接続されている。SMFは、制御プレーンを扱うノードであってよい。
【００６７】
制御部_B700は、SMF全体の動作・機能を制御する機能部である。制御部_B700は、必要に応じて、記憶部_B740に記憶されている各種プログラムを読み出して実行する事により、SMFにおける各種の処理を実現する。
【００６８】
ネットワーク接続部_B720は、SMFが、AMF、及び/又はUPF、及び/又はPCF、及び/又はUDMと接続する為の機能部である。すなわち、SMFは、ネットワーク接続部_B720を用いて、AMF、及び/又はUPF、及び/又はPCF、及び/又はUDMとの間で、ユーザデータ及び/又は制御情報を送受信することができる。
【００６９】
図2を参照して詳細に説明すると、5GCN内にあるSMFは、ネットワーク接続部_A620を用いることにより、N11インターフェースを介して、AMFと通信することができ、N4インターフェースを介して、UPFと通信することができ、N7インターフェースを介して、PCFと通信することができ、N10インターフェースを介して、UDMと通信することができる。
【００７０】
記憶部_B740は、SMFの各動作に必要なプログラム、ユーザデータ、制御情報等を記憶する為の機能部である。
【００７１】
SMFは、PDUセッションの確立・修正・解放等のセッション管理(Session Management)機能、UEに対するIPアドレス割り当て(IP address allocation)及びその管理機能、UPFの選択と制御機能、適切な目的地(送信先)へトラフィックをルーティングする為のUPFの設定機能、NASメッセージのSM部分を送受信する機能、下りリンクのデータが到着したことを通知する機能(Downlink Data Notification)、AMF経由でN2インターフェースを介してANに送信される、AN特有の(ANごとの)SM情報を提供する機能、セッションに対するSSCモード(Session and Service Continuity mode)を決定する機能、ローミング機能等を有する。
【００７２】
[2.5. UPFの装置構成]
次に、UPFの装置構成例について、図5を用いて説明する。UPFは、制御部_B700、ネットワーク接続部_B720、記憶部_B740で構成されている。制御部_B700、ネットワーク接続部_B720、記憶部_B740は、バスを介して接続されている。UPFは、制御プレーンを扱うノードであってよい。
【００７３】
制御部_B700は、UPF全体の動作・機能を制御する機能部である。制御部_B700は、必要に応じて、記憶部_B740に記憶されている各種プログラムを読み出して実行する事により、UPFにおける各種の処理を実現する。
【００７４】
ネットワーク接続部_B720は、UPFが、5G AN内の基地局装置(gNB)、及び/又はSMF、及び/又はDNと接続する為の機能部である。すなわち、UPFは、ネットワーク接続部_B720を用いて、5G AN内の基地局装置(gNB)、及び/又はSMF、及び/又はDNとの間で、ユーザデータ及び/又は制御情報を送受信することができる。
【００７５】
図2を参照して詳細に説明すると、5GCN内にあるUPFは、ネットワーク接続部_A620を用いることにより、N3インターフェースを介して、gNBと通信することができ、N4インターフェースを介して、SMFと通信することができ、N6インターフェースを介して、DNと通信することができ、N9インターフェースを介して、他のUPFと通信することができる。
【００７６】
記憶部_B740は、UPFの各動作に必要なプログラム、ユーザデータ、制御情報等を記憶する為の機能部である。
【００７７】
UPFは、intra-RAT mobility又はinter-RAT mobilityに対するアンカーポイントとしての機能、DNに相互接続するための外部PDUセッションポイントとしての機能(つまり、DNとコアネットワーク_Bとの間のゲートウェイとして、ユーザデータを転送する機能)、パケットのルーティング及び転送する機能、1つのDNに対して複数のトラフィックフローのルーティングをサポートするUL CL(Uplink Classifier)機能、マルチホーム(multi-homed)PDUセッションをサポートするBranching point機能、user planeに対するQoS (Quality of Service) 処理機能、上りリンクトラフィックの検証機能、下りリンクパケットのバッファリング、下りリンクデータ通知(Downlink Data Notification)をトリガする機能等を有する。
【００７８】
また、UPFは、IP通信及び/又はnon-IP通信の為のゲートウェイでもよい。また、UPFは、IP通信を転送する機能を持ってもよく、non-IP通信とIP通信を変換する機能を持っていてもよい。さらに複数配置されるゲートウェイは、コアネットワーク_Bと単一のDNを接続するゲートウェイでもよい。尚、UPFは、他のNFとの接続性を備えてもよく、他のNFを介して各装置に接続してもよい。
【００７９】
尚、ユーザプレーン(user plane)は、UEとネットワークとの間で送受信されるユーザデータ(user data)のことである。ユーザプレーンは、PDNコネクション、又はPDUセッションを用いて送受信されてもよい。さらに、EPSの場合、ユーザプレーンは、LTE-Uuインターフェース、及び/又はS1-Uインターフェース、及び/又はS5インターフェース、及び/又はS8インターフェース、及び/又はSGiインターフェースを用いて送受信されてもよい。さらに、5GSの場合、ユーザプレーンは、UEとNG RANとの間のインターフェース、及び/又はN3インターフェース、及び/又はN9インターフェース、及び/又はN6インターフェースを介して送受信されてもよい。以下、ユーザプレーンは、U-Planeと表現されてもよい。
【００８０】
さらに、制御プレーン(control plane)は、UEの通信制御等を行うために送受信される制御メッセージのことである。制御プレーンは、UEとMMEとの間のNAS (Non-Access-Stratum)シグナリングコネクションを用いて送受信されてもよい。さらに、EPSの場合、制御プレーンは、LTE-Uuインターフェース、及びS1-MMEインターフェースを用いて送受信されてもよい。さらに、5GSの場合、制御プレーンは、UEとNG RANとの間のインターフェース、及びN2インターフェースを用いて送受信されてもよい。以下、制御プレーンは、コントロールプレーンと表現されてもよいし、C-Planeと表現されてもよい。
【００８１】
さらに、U-Plane(User Plane; UP)は、ユーザデータを送受信する為の通信路でもよく、複数のベアラで構成されてもよい。さらに、C-Plane(Control Plane; CP)は、制御メッセージを送受信する為の通信路でもよく、複数のベアラで構成されてもよい。
【００８２】
[2.6. その他の装置及び/又は機能の説明]
次に、その他の装置及び/又は機能について説明を行う。
【００８３】
PCFは、ポリシールールを提供する機能等を有する。
【００８４】
また、UDMは、認証情報処理(Authentication credential processing)機能、ユーザ識別処理機能、アクセス認証機能、登録/移動性管理機能、加入者情報の管理(subscription management)機能等を有する。
【００８５】
また、PCRFは、PGW及び/又はPDNに接続されており、データ配送に対するQoS管理を行う機能等を有する。例えば、UE_A10とPDN間の通信路のQoSの管理を行う。さらに、PCRFは、各装置がユーザデータを送受信する際に用いるPCC(Policy and Charging Control)ルール、及び/又はルーティングルールを作成、及び/又は管理する装置でもよい。
【００８６】
また、HSSは、MME及び/又はSCEFに接続されており、加入者情報の管理を行う機能等を有する。HSSの加入者情報は、例えばMMEのアクセス制御の際に参照される。さらに、HSSは、MMEとは異なる位置管理装置と接続されていてもよい。
【００８７】
また、SCEFは、DN及び/又はPDNとMMEとHSSとに接続されており、DN及び/又はPDNとコアネットワーク_Aとを繋ぐゲートウェイとしてユーザデータの転送を行う中継装置としての機能等を有する。尚、SCEFは、non-IP通信の為のゲートウェイでもよい。さらに、SCEFは、non-IP通信とIP通信を変換する機能を持っていてもよい。また、こうしたゲートウェイはコアネットワーク_Aに複数配置されてよい。SCEFはコアネットワークの外側に構成されてもよいし、内側に構成されてもよい。
【００８８】
[3. 各実施形態で用いられる用語・識別情報、手続きの説明]
各実施形態で、少なくとも1つは用いられる用語・識別情報、手続きを予め説明する。
【００８９】
[3.1. 各実施形態で用いられる用語・識別情報の説明]
まず、各実施形態で用いられる、専門性の高い用語や、手続きで使用される識別情報について、予め説明する。
【００９０】
ネットワークとは、アクセスネットワーク_B、コアネットワーク_B、DNのうち、少なくとも一部を指す。また、アクセスネットワーク_B、コアネットワーク_B、DNのうち、少なくとも一部に含まれる1以上の装置を、ネットワーク又はネットワーク装置と称してもよい。つまり、ネットワークがメッセージの送受信及び/又は処理を実行するということは、ネットワーク内の装置(ネットワーク装置、及び/又は制御装置)がメッセージの送受信及び/又は処理を実行することを意味してもよい。逆に、ネットワーク内の装置がメッセージの送受信及び/又は処理を実行するということは、ネットワークがメッセージの送受信及び/又は処理を実行することを意味してもよい。
【００９１】
また、SM(セッションマネジメント)メッセージ(NAS (Non-Access-Stratum) SMメッセージとも称する)は、SMのための手続きで用いられるNASメッセージであってよく、AMF_A240を介してUE_A10とSMF_A230の間で送受信される制御メッセージであってよい。さらに、SMメッセージには、PDUセッション確立要求メッセージ、PDUセッション確立受諾メッセージ、PDUセッション完了メッセージ、PDUセッション拒絶メッセージ、PDUセッション変更要求メッセージ、PDUセッション変更受諾メッセージ、PDUセッション変更応答メッセージ等が含まれてもよい。また、SMのための手続きには、PDUセッション確立手続きが含まれてもよい。
【００９２】
また、5GS(5G System)サービスは、コアネットワーク_B190を用いて提供される接続サービスでよい。さらに、5GSサービスは、EPSサービスと異なるサービスでもよいし、EPSサービスと同様のサービスでもよい。
【００９３】
また、non 5GSサービスは、5GSサービス以外のサービスでよく、EPSサービス、及び/又はnon EPSサービスが含まれてもよい。
【００９４】
また、シングルレジストレーションモードは、UE_A10が、N1モードとS1モードが利用可能な場合に、5GMM状態とEMM状態に対して、共通の登録状態を維持するモードである。
【００９５】
また、シングルレジストレーションモードは、UE_A10が、N1モードとS1モードが利用可能な場合に、5GMM状態とEMM状態に対して、共通の登録状態を維持するモードである。
【００９６】
また、S1モードは、UE_A10に対して、E-UTRANを介したEPCへのアクセスを許可したモードである。言い換えると、S1モードは、S1インターフェースを用いたメッセージの送受信が実行されるモードであってもよい。尚、S1インターフェースは、S1-MMEインターフェース及びS1-Uインターフェースで構成されて良い。
【００９７】
また、N1モードは、UE_A10に対して、5Gアクセスネットワークを介した5GCへのアクセスを許可したモードである。言い換えると、N1モードは、N1インターフェースを用いたメッセージの送受信が実行されるモードであってもよい。 
【００９８】
また、APN(Access Point Name)は、コアネットワーク及び/又はPDN等の外部ネットワークを識別する識別情報でよい。さらに、APNは、コアネットワークA_90を接続するPGW_A30/UPF_A235等のゲートウェイを選択する情報として用いることもできる。
【００９９】
また、TFT(Traffic Flow Template)とは、TFTは、EPSベアラと関連づけられた全てのパケットフィルターを示す。TFTは送受信するユーザデータの一部を識別する情報であり、UE_A10は、TFTによって識別されたユーザデータを、TFTに関連付けたEPSベアラを用いて送受信する。さらに言い換えると、UE_A10は、TFTによって識別されたユーザデータを、TFTに関連づけたRB(Radio Bearer)を用いて送受信する。また、TFTは、送受信するアプリケーションデータ等のユーザデータを適切な転送路に対応づけるものでもよく、アプリケーションデータを識別する識別情報でもよい。また、UE_A10は、TFTで識別できないユーザデータを、デフォルトベアラを用いて送受信してもよい。また、UE_A10は、デフォルトベアラに関連付けられたTFTを予め記憶しておいてもよい。
【０１００】
また、PDN(Packet Data Network)タイプとは、PDNコネクションのタイプを示すものであり、IPv4、IPv6、IPv4v6、non-IPがある。IPv4が指定された場合、IPv4を用いてデータの送受信を行う事を示す。IPv6が指定された場合は、IPv6を用いてデータの送受信を行う事を示す。IPv4v6が指定された場合は、IPv4又はIPv6を用いてデータの送受信を行う事を示す。non-IPが指定された場合は、IPを用いた通信ではなく、IP以外の通信方法によって通信する事を示す。
【０１０１】
また、EPSベアラは、UEとPGWとの間で確立される論理的な通信路であり、PDNコネクションを構成する通信路である。EPSベアラには、デフォルトベアラ(デフォルトEPSベアラとも称する)と、デディケイテッドベアラ(デディケイテッドEPSベアラとも称する)とがある。
【０１０２】
また、デフォルトベアラとは、PDNコネクションの中で最初に確立されるEPSベアラであり、1つのPDNコネクションの中で1つしか確立することができない。デフォルトベアラは、TFT(Traffic Flow Template)に対応付けられていないユーザデータの通信に用いることができるEPSベアラである。
【０１０３】
また、デディケイテッドベアラとは、PDNコネクションの中でデフォルトベアラが確立された後に確立されるEPSベアラであり、1つのPDNコネクションの中で1以上の確立することができる。デディケイテッドベアラは、TFTに対応付けられているユーザデータの通信に用いることができるEPSベアラである。 
【０１０４】
また、PDU(Protocol Data Unit/Packet Data Unit)セッションとは、PDU接続性サービスを提供するDNとUEとの間の関連性として定義することができるが、UEと外部ゲートウェイとの間で確立される接続性であってもよい。UEは、5GSにおいて、アクセスネットワーク_B及びコアネットワーク_Bを介したPDUセッションを確立することにより、PDUセッションを用いて、DNとの間のユーザデータの送受信を行うことができる。ここで、この外部ゲートウェイとは、UPF、SCEF等であってよい。UEは、PDUセッションを用いて、DNに配置されるアプリケーションサーバー等の装置と、ユーザデータの送受信を実行する事ができる。
【０１０５】
尚、各装置(UE、及び/又はアクセスネットワーク装置、及び/又はコアネットワーク装置)は、PDUセッションに対して、1以上の識別情報を対応づけて管理してもよい。尚、これらの識別情報には、DNN、TFT、PDUセッションタイプ、アプリケーション識別情報、NSI識別情報、アクセスネットワーク識別情報、及びSSC modeのうち1以上が含まれてもよいし、その他の情報がさらに含まれてもよい。さらに、PDUセッションを複数確立する場合には、PDUセッションに対応づけられる各識別情報は、同じ内容でもよいし、異なる内容でもよい。
【０１０６】
また、DNN(Data Network Name)は、コアネットワーク及び/又はDN等の外部ネットワークを識別する識別情報でよい。さらに、DNNは、コアネットワークB190を接続するPGW_A30/UPF_A235等のゲートウェイを選択する情報として用いることもできる。さらに、DNNは、APN(Access Point Name)に相当するものでもよい。
【０１０７】
また、PDU(Protocol Data Unit/Packet Data Unit)セッションタイプは、PDUセッションのタイプを示すものであり、IPv4、IPv6、Ethernet、Unstructuredがある。IPv4が指定された場合、IPv4を用いてデータの送受信を行うことを示す。IPv6が指定された場合は、IPv6を用いてデータの送受信を行うことを示す。Ethernetが指定された場合は、Ethernetフレームの送受信を行うことを示す。また、Ethernetは、IPを用いた通信を行わないことを示してもよい。Unstructuredが指定された場合は、Point-to-Point(P2P)トンネリング技術を用いて、DNにあるアプリケーションサーバー等にデータを送受信することを示す。P2Pトンネリング技術としては、例えば、UDP/IPのカプセル化技術を用いても良い。尚、PDUセッションタイプには、上記の他にIPが含まれても良い。IPは、UEがIPv4とIPv6の両方を使用可能である場合に指定する事ができる。
【０１０８】
また、ネットワークスライス(NS)とは、特定のネットワーク能力及びネットワーク特性を提供する論理的なネットワークである。UE及び/又はネットワークは、5GSにおいて、ネットワークスライス(NWスライス; NS)をサポートすることができる。
【０１０９】
また、ネットワークスライスインスタンス(NSI)とは、ネットワーク機能(NF)のインスタンス(実体)と、必要なリソースのセットで構成され、配置されるネットワークスライスを形成する。ここで、NFとは、ネットワークにおける処理機能であって、3GPPで採用又は定義されたものである。NSIはコアネットワーク_B内に1以上構成される、NSの実体である。また、NSIはNST(Network Slice Template)を用いて生成された仮想的なNF(Network Function)により構成されてもよい。ここで、NSTとは、要求される通信サービスや能力(capability)を提供する為のリソース要求に関連付けられ、1以上のNFの論理的表現である。つまり、NSIとは、複数のNFにより構成されたコアネットワーク_B190内の集合体でよい。また、NSIはサービス等によって配送されるユーザデータを分ける為に構成された論理的なネットワークでよい。NSには、1以上のNFが構成されてよい。NSに構成されるNFは、他のNSと共有される装置であってもよいし、そうでなくてもよい。UE、及び/又ネットワーク内の装置は、NSSAI、及び/又はS-NSSAI、及び/又はUE usage type、及び/又は1以上のNSI ID等の登録情報、及び/又はAPNに基づいて、1以上のNSに割り当てられることができる。尚、UE usage typeは、NSIを識別するための使用される、UEの登録情報に含まれるパラメータ値である。UE usage typeはHSSに記憶されていてよい。AMFはUE usage typeに基づきSMFとUPFを選択してもよい。
【０１１０】
また、S-NSSAI(Single Network Slice Selection Assistance Information)は、NSを識別するための情報である。S-NSSAIは、SST(Slice/Service type)のみで構成されてもよいし、SSTとSD(Slice Differentiator)の両方で構成されてもよい。ここで、SSTとは、機能とサービスの面で期待されるNSの動作を示す情報である。また、SDは、SSTで示される複数のNSIから1つのNSIを選択する際に、SSTを補間する情報であってもよい。S-NSSAIは、PLMNごとに特有な情報であってもよいし、PLMN間で共通化された標準の情報であってもよい。また、ネットワークは、デフォルトS-NSSAIとして、UEの登録情報に1以上のS-NSSAIを記憶してもよい。尚、S-NSSAIがデフォルトS-NSSAIである場合において、UEが登録要求メッセージにおいて有効なS-NSSAIをネットワークに送信しないときは、ネットワークは、UEに関係するNSを提供してもよい。
【０１１１】
また、NSSAI(Network Slice Selection Assistance Information)は、S-NSSAIの集まりである。NSSAIに含まれる、各S-NSSAIはアクセスネットワーク又はコアネットワークがNSIを選択するのをアシストする情報である。UEはPLMNごとにネットワークから許可されたNSSAIを記憶してもよい。また、NSSAIは、AMFを選択するのに用いられる情報であってよい。 
【０１１２】
また、SSC(Session and Service Continuity) modeは、5Gシステム(5GS)において、システム、及び/又は各装置がサポートするセッションサービス継続(Session and Service Continuity)のモードを示すものである。より詳細には、UE_A10とUPFとの間で確立されたPDUセッションがサポートするセッションサービス継続の種類を示すモードであってもよい。なお、SSC modeはPDUセッション毎に設定されるセッションサービス継続の種類を示すモードであってもよい。さらに、SSC modeは、SSC mode 1、SSC mode 2、SSC mode 3の3つのモードから構成されていてもよい。尚、PDUセッションに対応づけられたSSC modeは、PDUセッションが存続している間は、変更されなくてもよい。
【０１１３】
また、SSC mode 1は、ネットワークが、UE_A10に提供する接続性サービスを維持するモードである。尚、PDUセッションに対応づけられたPDUセッションタイプが、IPv4又はIPv6である場合、セッションサービス継続の際に、IPアドレスは維持されてもよい。
【０１１４】
さらに、SSC mode 1は、UE_A10がネットワークに接続する際に用いるアクセステクノロジーに関わらず、同じUPFが維持され続けるセッションサービス継続のモードであってもよい。より詳細には、SSC mode 1は、UE_A10のモビリティが発生しても、確立しているPDUセッションのPDUセッションアンカーとして用いられるUPFを変更せずに、セッションサービス継続を実現するモードであってもよい。
【０１１５】
また、SSC mode 2は、ネットワークが、UE_A10に提供された接続性サービスと、対応するPDUセッションとを解放するモードである。尚、PDUセッションに対応づけられたPDUセッションタイプが、IPv4又はIPv6である場合、セッションサービス継続の際に、UE_A10に割り当てられたIPアドレスは解放されてもよい。
【０１１６】
さらに、SSC mode 2は、UPFのサービングエリア内でのみ、同じUPFが維持され続けるセッションサービス継続のモードであってもよい。より詳細には、SSC mode 2は、UE_A10がUPFのサービングエリア内にいる限り、確立しているPDUセッションが用いるUPFを変更せずに、セッションサービス継続を実現するモードであってもよい。さらに、SSC mode 2は、UPFのサービングエリアから出るような、UE_A10のモビリティが発生した場合に、確立しているPDUセッションが用いるUPFを変更して、セッションサービス継続を実現するモードであってもよい。
【０１１７】
ここで、UPFのサービングエリアとは、1つのUPFがセッションサービス継続機能を提供することができるエリアであってもよいし、UE_A10がネットワークに接続する際に用いるRATやセル等のアクセスネットワークのサブセットであってもよい。さらに、アクセスネットワークのサブセットとは、1又は複数のRAT、及び/又はセルから構成されるネットワークであってもよい。
【０１１８】
また、SSC mode 3は、接続性が消失しないことを、ネットワークが担保しつつ、ユーザプレーンの変更がUE_A10に明らかになるモードである。尚、SSC mode 3の場合、よりよい接続性サービスを実現するために、前のコネクションが切断される前に、新しいPDUセッションアンカーポイントを通るコネクションは確立されてもよい。さらに、PDUセッションに対応づけられたPDUセッションタイプが、IPv4又はIPv6である場合、PDUセッションアンカーの移転のセッションサービス継続の際に、IPアドレスは維持されなくてもよい。
【０１１９】
さらに、SSC mode 3は、UE_A10とUPFとの間で確立されたPDUセッション、及び/又は通信路を切断する前に、同じDNに対して、新たなUPFを介した新たなPDUセッション、及び/又は通信路を確立することを許可するセッションサービス継続のモードであってもよい。さらに、SSC mode 3は、UE_A10がマルチホーミングになることを許可するセッションサービス継続のモードであってもよい。さらに、SSC mode 3は、複数のPDUセッション、及び/又はPDUセッションに対応づけられたUPFを用いたセッションサービス継続が許可されたモードであってもよい。言い換えると、SSC mode 3の場合、各装置は、複数のPDUセッションを用いてセッションサービス継続を実現してもよいし、複数のUPFを用いてセッションサービス継続を実現してもよい。
【０１２０】
ここで、各装置が、新たなPDUセッション、及び/又は通信路を確立する場合、新たなUPFの選択は、ネットワークによって実施されてもよいし、新たなUPFは、UE_A10がネットワークに接続した場所に最適なUPFであってもよい。さらに、複数のPDUセッション、及び/又はPDUセッションが用いるUPFが有効である場合、UE_A10は、アプリケーション、及び/又はフローの通信の新たに確立されたPDUセッションへの対応づけを、即座に実施してもよいし、通信の完了に基づいて実施してもよい。
【０１２１】
また、デフォルトSSC modeは、特定のSSC modeが定まらない場合に、UE_A10及び/又はネットワークが用いるSSC modeである。具体的には、デフォルトSSC modeは、アプリケーションからのSSC modeの要求がない場合、及び/又はアプリケーションに対してSSC modeを決めるためのUE_A10のポリシーがない場合に、UE_A10が用いるSSC modeであってもよい。また、デフォルトSSC modeは、UE_A10からのSSC modeの要求がない場合に、ネットワークが用いるSSC modeであってもよい。
【０１２２】
なお、デフォルトSSC modeは、加入者情報、及び/又はオペレータポリシー、及び/又はUE_A10のポリシーに基づいて、PDN_A5毎に設定されていてもよいし、UE_A10、及び/又は加入者毎に設定されていてもよい。さらに、デフォルトSSC modeは、SSC mode 1、SSC mode 2又はSSC mode 3を示す情報であってもよい。 
【０１２３】
また、CIoT 5GS optimizationは、スモールデータやSMS (Short Message Service) の効率的な通信をサポートする為のCIoT(Cellular IoT)のための機能である。ここで、CIoT EPS optimizationは、5Gシステムである5GSにおいて提供される機能であってよい。CIoT 5GS optimizationには、control plane CIoT 5GS optimizationとuser plane CIoT 5GS optimizationとHeader compression for control plane CIoT 5GS optimizationとがあってよい。さらに、CIoT 5GS optimizationには、5GMM-CONNECTED mode with RRC inactive indicationが含まれてもよい。
【０１２４】
尚、CIoT 5GS optimizationのサポートとは、control plane CIoT 5GS optimization、user plane CIoT 5GS optimization、Header compression for control plane 5GS EPS optimization、5GMM-CONNECTED mode with RRC inactive indicationの内の1つ以上がサポートされていることを意味してよい。さらに、CIoT 5GS optimizationの使用とは、control plane CIoT 5GS optimization、user plane CIoT 5GS optimization、Header compression for control plane CIoT 5GS optimization、5GMM-CONNECTED mode with RRC inactive indicationの内の1つ以上が使用されることを意味してもよい。さらに、CIoT 5GS optimizationのサポートとは、カバレッジ拡張、及び/又はカバレッジ拡張の利用制限がサポートされることを意味してもよい。さらに、CIoT 5GS optimizationの使用とは、カバレッジ拡張が使用されることを意味してもよいし、カバレッジ拡張の利用が制限されることを意味してもよい。
【０１２５】
さらに、EPSにおけるCIoT EPS optimizationと、5GSにおけるCIoT 5GS optimizationとは、同じ機能をサポートしてもよいし、異なる機能をサポートしてもよい。さらに、5GSにおけるCIoT EPS optimizationには、5GMM-CONNECTED mode with RRC inactive indicationで提供される機能が含まれてよい。
【０１２６】
尚、EPSと5GSにおいてCIoT EPS optimizationとCIoT 5GS optimizationは同一の機能として提供してもよい。この場合、各実施形態で説明するCIoT EPS optimization及びCIoT 5GS optimizationは、同一の名称として読み替え、提供されてもよい。ここで、この同一の名称は、CIoT optimizationであってもよいし、CIoT EPS optimizationであってもよいし、CIoT 5GS optimizationであってもよい。
【０１２７】
また、control plane CIoT 5GS optimizationは、コントロールプレーン上で、MME、又はAMFを介したユーザデータの効率的な通信を可能とするためのシグナリング最適化 (signaling optimization) のための機能である。ここで、control plane CIoT 5GS optimizationは、5Gシステムである5GSにおいて提供される機能であってよい。さらに、control plane CIoT 5GS optimizationでは、IPデータの通信を行う場合は、ヘッダ圧縮 (header compression) 機能も使用可能である。この場合、UE、及びネットワークは、control plane CIoT 5GS optimizationのためのヘッダ圧縮(Header compression for control plane CIoT EPS optimization) のサポートを示す情報を、control plane CIoT 5GS optimizationのサポートを示す情報とともに送受信してもよい。さらに、UEがIoTのためのRATに接続している場合、control plane CIoT 5GS optimizationは必須の機能であってよい。
【０１２８】
尚、control plane CIoT 5GS optimizationのサポートとは、コントロールプレーンを介したユーザデータの通信がサポートされていることを意味してもよいし、ユーザデータを送受信するためのユーザプレーン無線ベアラ(user plane radio bearer)の確立を必要としない、ユーザデータの送受信がサポートされていることを意味してもよい。さらに、control plane CIoT 5GS optimizationの使用とは、コントロールプレーンを介したユーザデータの通信を行うことを意味してもよいし、ユーザプレーン無線ベアラを確立せずに、ユーザデータを送受信することを意味してもよい。
【０１２９】
さらに、EPSにおけるcontrol plane CIoT EPS optimizationと、5GSにおけるcontrol plane CIoT 5GS optimizationとは、同じ機能であってもよいし、異なる機能であってもよい。
【０１３０】
尚、EPSと5GSにおいてcontrol plane CIoT EPS optimizationとcontrol plane CIoT 5GS optimizationは同一の機能として提供してもよい。この場合、各実施形態で説明するcontrol plane CIoT EPS optimization及びcontrol plane CIoT 5GS optimizationは、同一の名称として読み替え、提供されてもよい。ここで、この同一の名称は、control plane CIoT optimizationであってもよいし、control plane CIoT EPS optimizationであってもよいし、control plane CIoT 5GS optimizationであってもよい。
【０１３１】
また、user plane CIoT 5GS optimizationは、ユーザプレーン上で、ユーザデータの効率的な通信を可能とするためのシグナリング最適化 (signaling optimization) のための機能である。ここで、user plane CIoT 5GS optimizationは、5Gシステムである5GSにおいて提供される機能であってよい。
【０１３２】
尚、user plane CIoT 5GS optimizationのサポートとは、ユーザデータを送受信するためのユーザプレーン無線ベアラ、及びN3インターフェースを用いたデータ通信がサポートされていて、さらに、NAS (Non-Access Stratum) シグナリングのサスペンド、レジュームがサポートされていることを意味してもよい。言い換えると、user plane CIoT 5GS optimizationのサポートとは、サービス要求手続き(Service request procedure)を必要としない、アイドルモードからコネクテッドモードへの遷移がサポートされていることを意味してもよい。さらに、user plane CIoT 5GS optimizationの使用とは、NASシグナリングのサスペンド、レジュームを行うことを意味してもよいし、サービス要求手続きを必要としない、アイドルモードからコネクションモードへの遷移を行うことを意味してもよい。
【０１３３】
さらに、EPSにおけるuser plane CIoT EPS optimizationと、5GSにおけるuser plane CIoT 5GS optimizationとは、同じ機能であってもよいし、異なる機能であってもよい。さらに、5GSにおけるuser plane CIoT 5GS optimizationは、5GMM-CONNECTED mode with RRC inactive indicationで提供される機能と、同等の機能であってもよいし、異なる機能であってもよい。
【０１３４】
尚、EPSと5GSにおいてuser plane CIoT EPS optimizationとuser plane CIoT 5GS optimizationは同一の機能として提供してもよい。この場合、各実施形態で説明するuser plane CIoT EPS optimization及びuser plane CIoT 5GS optimizationは、同一の名称として読み替え、提供されてもよい。ここで、この同一の名称は、user plane CIoT optimizationであってもよいし、user plane CIoT EPS optimizationであってもよいし、user plane CIoT 5GS optimizationであってもよい。
【０１３５】
また、Header compression for control plane CIoT 5GS optimizationは、ヘッダ圧縮機能のことである。ここで、ヘッダ圧縮機能は、IPプロトコルのヘッダのサイズが圧縮される機能であってよい。ここで、Header compression for control plane CIoT 5GS  optimizationは、5Gシステムである5GSにおいて提供される機能であってよい。さらに、ヘッダ圧縮機能は、RObust Header Compression (ROHC)等のフレームワークによって実現されてもよい。さらに、ヘッダ圧縮機能の設定情報は、PDUセッション確立手続きで設定されてもよく、PDUセッション更新手続き(PDU session modification procedure)で再設定されてもよい。
【０１３６】
尚、Header compression for control plane CIoT 5GS optimizationは、control plane CIoT 5GS optimizationがサポートされた場合に、サポートされている機能であってもよい。さらに、Header compression for control plane CIoT 5GS optimizationは、control plane CIoT 5GS optimizationに対応づけられたPDUセッションのPDUセッションタイプがIPv4、IPv6、又はIPの場合に、利用可能な機能であってよい。
【０１３７】
尚、Header compression for control plane CIoT 5GS optimizationのサポートとは、ヘッダ圧縮機能を用いたユーザデータの通信がサポートされていることを意味してもよい。さらに、Header compression for control plane CIoT 5GS optimizationの使用とは、ヘッダ圧縮機能を用いたユーザデータの通信を行うことを意味してもよい。
【０１３８】
さらに、EPSにおけるHeader compression for control plane CIoT EPS optimizationと、5GSにおけるHeader compression for control plane CIoT 5GS optimizationとは、同じ機能であってもよいし、異なる機能であってもよい。
【０１３９】
尚、EPSと5GSにおいてHeader compression for control plane CIoT EPS optimizationとHeader compression for control plane CIoT 5GS optimizationは同一の機能として提供してもよい。この場合、各実施形態で説明するHeader compression for control plane CIoT EPS optimization及びHeader compression for control plane CIoT 5GS optimizationは、同一の名称として読み替え、提供されてもよい。ここで、この同一の名称は、Header compression for control plane CIoT optimizationであってもよいし、Header compression for control plane CIoT EPS optimizationであってもよいし、Header compression for control plane CIoT 5GS optimizationであってもよい。
【０１４０】
また、5GMM-CONNECTED mode with RRC inactive indicationは、RRCレイヤが非有効化(inactive)な状態にも関わらず、NASレイヤの状態がコネクティッド状態であることを示す状態である。言い換えると、5GMM-CONNECTED mode with RRC inactive indicationは、NASシグナリングコネクション、及び/又はNASシグナリングコネクションのコンテキストを維持しつつ、無線ベアラが解放された状態である。
【０１４１】
尚、5GMM-CONNECTED mode with RRC inactive indicationのサポートとは、RRCレイヤが非有効化になったことを示す通知を下位レイヤから受けた場合でも、NASレイヤの状態をコネクティッド状態に維持することがサポートされていることを意味してもよい。さらに、5GMM-CONNECTED mode with RRC inactive indicationの使用とは、RRCレイヤが非有効化になったことを示す通知を下位レイヤから受けた場合でも、NASレイヤの状態をコネクティッド状態に維持することを意味してもよい。
【０１４２】
さらに、5GMM-CONNECTED mode with RRC inactive indicationのサポートとは、user plane CIoT 5GS optimizationがサポートされていることを意味してもよい。さらに、5GMM-CONNECTED mode with RRC inactive indicationの使用とは、user plane CIoT 5GS optimizationが使用されることを意味してもよい。
【０１４３】
また、カバレッジ拡張 (enhanced coverage) は、無線基地局によって提供されるカバレッジエリアを拡大させる機能である。カバレッジ拡張を使用した場合、UEは、従来よりも広いエリアにおいて、ネットワークとの間で通信を実施することができる。逆に、カバレッジ拡張の利用が制限された場合、UEは、カバレッジ拡張をすることができず、従来通りのエリアにおいて、ネットワークとの間で通信を実施することができる。尚、カバレッジ拡張には、モードAとモードBがあってよい。
【０１４４】
また、バックオフタイマーCは、コントロールプレーンを介したユーザデータの通信を制限する為に実行されるタイマーである。バックオフタイマーCは、コントロールプレーンを介したユーザデータの通信の輻輳管理に使用されるタイマーであってもよい。
【０１４５】
さらに、バックオフタイマーCは、UEがcontrol plane CIoT 5GS optimizationを使用している時にのみ実行可能なタイマーであってもよい。
【０１４６】
尚、UEは、バックオフタイマーCが実行中は、コントロールプレーンを介したユーザデータの通信が禁止されていてもよい。逆に、UEは、バックオフタイマーCが実行されていない間は、コントロールプレーンを介したユーザデータの通信が許可されていてもよい。
【０１４７】
トラッキングエリアは、コアネットワークが管理する、UE_A10の位置情報で表すことが可能な単数又は複数の範囲である。トラッキングエリアは、複数のセルで構成されもよい。さらに、トラッキングエリアは、ページング等の制御メッセージがブロードキャストされる範囲でもよいし、UE_A10がハンドオーバー手続きをせずに移動できる範囲でもよい。さらに、トラッキングエリアは、ルーティングエリアでもよいし、ロケーションエリアでもよいし、これらと同様のものであればよい。以下、トラッキングエリアはTA(Tracking Area)であってもよい。
【０１４８】
TAリストは、ネットワークがUE_A10に割り当てた一又は複数のTAが含まれるリストである。なお、UE_A10は、TAリストに含まれる一又は複数のTA内を移動している間は、登録手続き、及び/又はトラッキングエリア更新手続きを実行することなく移動することができてよい。言い換えると、UE_A10は、TAリストは、UE_A10が登録手続き、及び/又はトラッキングエリア更新手続きを実行することなく移動できるエリアを示す情報群であってよい。尚、TAリストは、一又は複数のTAI (Tracking area identity) で構成されるTAIリストと表現されてもよく、以下、TAIリストは、TAリストを指してもよい。
【０１４９】
LADNとは、特定の場所においてのみUEが接続可能なDNであり、特定のDNN(つまりLADN DNN)に対する接続性を提供するものである。
【０１５０】
LADN情報は、LADNに関連する情報である。LADN情報は、UEが利用可能な特定のLADNを示す情報であってもよい。LADN情報には、LADN DNNと、LADN service area informationとが含まれてよい。LADN DNNは、LADNを示す情報であってもよく、LADNとして扱われるDNを示す情報であってもよく、LADNに対してPDUセッションを確立する際に用いるDNNであってよい。さらに、LADN service area informationは、LADN service areaを示す情報であってよい。さらに、LADN service area informationは、トラッキングエリアのセットとして提供されてもよいし、TAI (Tracking area identity) listとして提供されてもよい。尚、LADN service areaは、LADNに対するPDUセッションの確立が可能なエリアであってよいし、LADNへの接続が可能なエリアであってもよい。
【０１５１】
LADNのためのPDUセッション(PDU session for LADN) は、LADNに関連づけられたDNNに対応づけられたPDUセッションである。LADNのためのPDUセッションは、LADNに対して確立されるPDUセッションであってよい。言い換えると、UEとLADNとの間に確立されるPDUセッションであってもよいし、UEとLADNとの間のユーザデータ通信に用いられるPDUセッションであってもよい。尚、LADNのためのPDUセッションは、LADN service areaにおいてのみ確立可能なPDUセッションであってもよい。
【０１５２】
NB-IoT (Narrowband IoT) は、帯域が制限されたRAT(Radio Access Technology)である。NB-IoTは、IoT端末に通信サービスを提供するためのRATであってもよいし、機能の一部が制限されたRATであってもよい。さらに、NB-IoTは、E-UTRANを構成するRATであってもよい。尚、NB-IoT以外のE-UTRANを構成するRATは、WB-E-UTRANであってよい。さらに、NB-IoTを用いて、コアネットワーク、及び/又はDNと接続するUEのモードをNB-N1モードと表現してよい。逆に、さらに、NB-IoT以外のRATを用いて、コアネットワーク、及び/又はDNと接続するUEのモードをWB-N1モードと表現してもよい。
【０１５３】
第1の識別情報は、UEのCIoT 5GS optimizationの要求を示す情報である。第1の識別情報は、PNB-CIoTビット (Preferred CIoT network behaviour) であってもよい。なお、PNB-CIoTビットは、control plane CIoT 5GS optimizationを示すビットでもよいし、control plane CIoT 5GS optimizationの要求を示すビットでもよい。さらに、PNB-CIoTビットは、user plane CIoT 5GS optimizationを示すビットでもよいし、user plane CIoT 5GS optimizationの要求を示すビットでもよい。さらに、PNB-CIoTビットは、追加更新タイプ情報要素 (Additional update type information element) を構成するビットでもよい。
【０１５４】
さらに、第1の識別情報は、UEの設定、及び/又はUEの状態、及び/又はユーザポリシー、及び/又はアプリケーションの要求に基づいて、選択、決定される情報であってもよい。
【０１５５】
第2の識別情報は、UEがcontrol plane CIoT 5GS optimizationをサポートするか否かを示す情報である。第2の識別情報は、CP CIoTビット (Control plane CIoT 5GS optimization) であってもよい。なお、CP CIoTビットは、control plane CIoT 5GS optimizationをサポートすることを示すビット (Control plane CIoT 5GS optimization supported) でもよい。さらに、CP CIoTビットは、5GでのUEの能力を示す、5GMM能力情報要素 (5GMM capability information element) を構成するビットでもよい。
【０１５６】
さらに、第2の識別情報は、UEの設定、及び/又はUEの状態、及び/又はユーザポリシー、及び/又はアプリケーションの要求に基づいて、選択、決定される情報であってもよい。
【０１５７】
第3の識別情報は、UEがuser plane CIoT 5GS optimizationをサポートするか否かを示す情報である。第3の識別情報は、UP CIoTビット (User plane CIoT 5GS optimization) であってもよい。なお、UP CIoTビットは、user plane CIoT 5GS optimizationをサポートすることを示すビット (User plane CIoT 5GS optimization supported) でもよい。さらに、UP CIoTビットは、5GでのUEの能力を示す、5GMM能力情報要素 (5GMM capability information element) を構成するビットでもよい。
【０１５８】
さらに、第3の識別情報は、UEの設定、及び/又はUEの状態、及び/又はユーザポリシー、及び/又はアプリケーションの要求に基づいて、選択、決定される情報であってもよい。
【０１５９】
第4の識別情報は、UEがユーザプレーンの通信路を用いたデータ通信をサポートするか否かを示す情報である。第4の識別情報は、UEが、gNBとUPFとの間のインターフェースであるN3インターフェースを用いたデータ通信をサポートすることを示す情報であってもよい。さらに、第4の識別情報は、N3 dataビット(N3 data transfer) であってもよい。なお、N3 dataビットは、N3インターフェースを用いたデータ通信をサポートすることを示すビット (N3 data transfer supported) でもよい。さらに、N3 dataビットは、5GでのUEの能力を示す、5GMM能力情報要素 (5GMM capability information element) を構成するビットでもよい。
【０１６０】
さらに、第4の識別情報は、UEの設定、及び/又はUEの状態、及び/又はユーザポリシー、及び/又はアプリケーションの要求に基づいて、選択、決定される情報であってもよい。
【０１６１】
第5の識別情報は、UEがHeader compression for control plane CIoT 5GS optimizationをサポートするか否かを示す情報である。第5の識別情報は、HC-CP CIoTビット (Header compression for control plane CIoT 5GS optimization) であってもよい。なお、HC-CP CIoTビットは、Header compression for control plane CIoT 5GS optimizationをサポートすることを示すビット(Header compression for control plane CIoT 5GS optimization supported) でもよい。さらに、HC-CP CIoTビットは、5GでのUEの能力を示す、5GMM能力情報要素 (5GMM capability information element) を構成するビットでもよい。
【０１６２】
さらに、第5の識別情報は、UEの設定、及び/又はUEの状態、及び/又はユーザポリシー、及び/又はアプリケーションの要求に基づいて、選択、決定される情報であってもよい。
【０１６３】
第6の識別情報は、UEがカバレッジ拡張(enhanced coverage) の利用制限をサポートするか否かを示す情報である。言い換えると、第6の識別情報は、UEがカバレッジ拡張の利用をサポートするか否かを示す情報であってもよい。さらに、第6の識別情報は、RestrictECビット (Restriction on use of enhanced coverage support) であってもよい。なお、RestrictECビットは、カバレッジ拡張の利用制限をサポートすることを示すビット (Restriction on use of enhanced coverage supported) でもよい。さらに、RestrictECビットは、5GでのUEの能力を示す、5GMM能力情報要素 (5GMM capability information element) を構成するビットでもよい。
【０１６４】
さらに、第6の識別情報は、UEの設定、及び/又はUEの状態、及び/又はユーザポリシー、及び/又はアプリケーションの要求に基づいて、選択、決定される情報であってもよい。
【０１６５】
第7の識別情報は、UEが5GMM-CONNECTED mode with RRC inactive indicationをサポートするか否かを示す情報である。第7の識別情報は、UEが、下位レイヤからの通知に基づいて、5GMM-CONNECTED mode with RRC inactive indicationと5GMM-CONNECTED modeとの間を遷移できることを示す能力情報であってもよい。
【０１６６】
尚、第7の識別情報は、第3の識別情報と同じ意味を示す識別情報であってもよい。さらに、第3の識別情報と第7の識別情報が同じ意味を示す場合、第3の識別情報と第7の識別情報の内、どちらか一方のみが送受信されてもよい。
【０１６７】
さらに、第7の識別情報は、UEの設定、及び/又はUEの状態、及び/又はユーザポリシー、及び/又はアプリケーションの要求に基づいて、選択、決定される情報であってもよい。
【０１６８】
第8の識別情報は、UEが要求するNSSAIである。第8の識別情報は、一又は複数のS-NSSAIで構成される情報であってよい。さらに、第8の識別情報は、第1から7の識別情報が示す機能の内、1以上の機能をサポートするNSIに対応づけられた、一又は複数のS-NSSAIを含む情報であってもよい。
【０１６９】
さらに、第8の識別情報は、各S-NSSAIと、第1から7の識別情報が示す各機能との対応づけの情報を含んでもよい。さらに、第8の識別情報は、各NSIが、第1から7の識別情報が示す機能の内、どの機能をサポートするかを示す情報を含んでもよい。
【０１７０】
さらに、第8の識別情報は、UEの設定、及び/又はUEの状態、及び/又はユーザポリシー、及び/又はアプリケーションの要求に基づいて、選択、決定される情報であってもよい。
【０１７１】
第101の識別情報は、UEがコントロールプレーンを介したユーザデータの通信の為のバックオフタイマーをサポートするか否かを示す情報である。第101の識別情報は、CP backoffビット (Control plane data backoff support) であってもよい。なお、CP backoffビットは、コントロールプレーンを介したユーザデータの通信の為のバックオフタイマーをサポートすることを示すビット back-off timer for transport of user data via the control plane supported) でもよい。さらに、CP backoffビットは、5GでのUEの能力を示す、5GMM能力情報要素 (5GMM capability information element) を構成するビットでもよい。ここで、コントロールプレーンを介したユーザデータの通信の為のバックオフタイマーは、バックオフタイマーCであってよい。
【０１７２】
さらに、第101の識別情報は、UEの設定、及び/又はUEの状態、及び/又はユーザポリシー、及び/又はアプリケーションの要求に基づいて、選択、決定される情報であってもよい。
【０１７３】
第21の識別情報は、UEのCIoT 5GS optimizationの要求が受諾されたことを示す情報である。第21の識別情報は、ANB-CIoTビット (Accepted CIoT network behaviour) であってもよい。なお、ANB-CIoTビットは、control plane CIoT 5GS optimizationを示すビットでもよいし、control plane CIoT 5GS optimizationの要求を示すビットでもよい。さらに、ANB-CIoTビットは、user plane CIoT 5GS optimizationを示すビットでもよいし、user plane CIoT 5GS optimizationの要求を示すビットでもよい。さらに、ANB-CIoTビットは、追加更新結果情報要素 (Additional update result information element) を構成するビットでもよい。
【０１７４】
さらに、第21の識別情報は、ネットワークによって、受信した第1から3の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１７５】
第22の識別情報は、ネットワークがcontrol plane CIoT 5GS optimizationをサポートするか否かを示す情報である。第22の識別情報は、CP CIoTビット (Control plane CIoT 5GS optimization) であってもよい。なお、CP CIoTビットは、control plane CIoT 5GS optimizationをサポートすることを示すビット (Control plane CIoT 5GS optimization supported) でもよい。さらに、CP CIoTビットは、5GSネットワーク機能サポート情報要素 (5GS network feature support information element) を構成するビットでもよい。さらに、CP CIoTビットは、5Gでのネットワークの能力を示す、5GMMネットワーク機能サポート情報要素 (5GMM network feature support information element) を構成するビットでもよい。さらに、第22の識別情報は、ネットワークが、control plane CIoT 5GS optimizationの使用を受諾したことを示す情報でもよい。
【０１７６】
さらに、第22の識別情報は、ネットワークによって、受信した第1から3の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１７７】
第23の識別情報は、ネットワークがuser plane CIoT 5GS optimizationをサポートするか否かを示す情報である。第23の識別情報は、UP CIoTビット (User plane CIoT 5GS optimization) であってもよい。なお、UP CIoTビットは、user plane CIoT 5GS optimizationをサポートすることを示すビット (User plane CIoT 5GS optimization supported) でもよい。さらに、UP CIoTビットは、5GSネットワーク機能サポート情報要素 (5GS network feature support information element) を構成するビットでもよい。さらに、UP CIoTビットは、5Gでのネットワークの能力を示す、5GMMネットワーク機能サポート情報要素 (5GMM network feature support information element) を構成するビットでもよい。さらに、第23の識別情報は、ネットワークが、user plane CIoT 5GS optimizationの使用を受諾したことを示す情報でもよい。
【０１７８】
さらに、第23の識別情報は、ネットワークによって、受信した第1から3の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１７９】
第24の識別情報は、ネットワークがユーザプレーンの通信路を用いたデータ通信をサポートするか否かを示す情報である。第24の識別情報は、ネットワークが、gNBとUPFとの間のインターフェースであるN3インターフェースを用いたデータ通信をサポートすることを示す情報であってよい。さらに、第24の識別情報は、N3 dataビット(N3 data transfer) であってもよい。なお、N3 dataビットは、N3インターフェースを用いたデータ通信をサポートすることを示すビット (N3 data transfer supported) でもよい。さらに、N3 dataビットは、5Gでのネットワークの能力を示す、5GMMネットワーク機能サポート情報要素 (5GMM network feature support information element) を構成するビットでもよい。さらに、第24の識別情報は、ネットワークが、N3インターフェースを用いたデータ通信を受諾したことを示す情報でもよい。
【０１８０】
さらに、第23の識別情報、及び/又は第24の識別情報は、ネットワークが、control plane CIoT 5GS optimizationを用いたユーザデータ通信を使用している際に、ユーザプレーンの通信路を確立することを示す識別情報であってもよいし、ユーザプレーンの通信路の確立が実行可能であることを示す識別情報であってもよい。
【０１８１】
さらに、第24の識別情報は、ネットワークによって、受信した第4の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１８２】
第25の識別情報は、ネットワークがHeader compression for control plane CIoT 5GS optimizationをサポートするか否かを示す情報である。第25の識別情報は、HC-CP CIoTビット (Header compression for control plane CIoT 5GS optimization) であってもよい。なお、HC-CP CIoTビットは、Header compression for control plane CIoT 5GS optimizationをサポートすることを示すビット (Header compression for control plane CIoT 5GS optimization supported) でもよい。さらに、HC-CP CIoTビットは、5GSネットワーク機能サポート情報要素 (5GS network feature support information element) を構成するビットでもよい。さらに、HC-CP CIoTビットは、5Gでのネットワークの能力を示す、5GMMネットワーク機能サポート情報要素 (5GMM network feature support information element) を構成するビットでもよい。さらに、第25の識別情報は、ネットワークが、Header compression for control plane CIoT 5GS optimizationの使用を受諾したことを示す情報でもよい。
【０１８３】
さらに、第25の識別情報は、ネットワークによって、受信した第5の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１８４】
第26の識別情報は、ネットワークがカバレッジ拡張の利用を制限しているか否かを示す情報である。言い換えると、第26の識別情報は、ネットワークがカバレッジ拡張の利用を許可しているか否かを示す情報であってもよい。さらに、第26の識別情報は、RestrictECビット (Restriction on enhanced coverage) であってもよい。なお、RestrictECビットは、カバレッジ拡張の利用が制限されていることを示すビット(Use of enhanced coverage is restricted) でもよいし、カバレッジ拡張の利用が制限されていないことを示すビット (Use of enhanced coverage is not restricted) でもよい。さらに、RestrictECビットは、5Gでのネットワークの能力を示す、5GMMネットワーク機能サポート情報要素 (5GMM network feature support information element) を構成するビットでもよい。さらに、第26の識別情報は、ネットワークが、カバレッジ拡張の使用を受諾したことを示す情報でもよい。
【０１８５】
さらに、第26の識別情報は、ネットワークによって、受信した第26の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１８６】
第27の識別情報は、ネットワークが5GMM-CONNECTED mode with RRC inactive indicationをサポートするか否かを示す情報である。第27の識別情報は、ネットワークが、下位レイヤからの通知に基づいた、5GMM-CONNECTED mode with RRC inactive indicationと5GMM-CONNECTED modeとの間のUEの遷移を管理できることを示す能力情報であってもよい。さらに、第27の識別情報は、ネットワークが、5GMM-CONNECTED mode with RRC inactive indicationへの使用を受諾したことを示す情報でもよい。
【０１８７】
尚、第27の識別情報は、第23の識別情報と同じ意味を示す識別情報であってもよい。さらに、第23の識別情報と第27の識別情報が同じ意味を示す場合、第23の識別情報と第27の識別情報の内、どちらか一方のみが送受信されてもよい。
【０１８８】
さらに、第27の識別情報は、ネットワークによって、受信した第7の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１８９】
第28の識別情報は、ネットワークが受諾したNSSAIである。第28の識別情報は、一又は複数のS-NSSAIで構成される情報であってよい。さらに、第28の識別情報は、第22から27の識別情報が示す機能の内、1以上の機能をサポートするNSIに対応づけられた、一又は複数のS-NSSAIを含む情報であってもよい。さらに、第28の識別情報は、第22から27の識別情報が示す機能の内、1以上の機能の使用が受諾されたNSIに対応づけられた、一又は複数のS-NSSAIを含む情報であってもよい。
【０１９０】
さらに、第28の識別情報は、各S-NSSAIと、第22から27の識別情報が示す各機能との対応づけの情報を含んでもよい。さらに、第28の識別情報は、第22から27の識別情報が示す機能の内、各NSIがどの機能をサポートするかを示す情報を含んでもよいし、各NSIに対してどの機能の使用が受諾されたかを示す情報を含んでもよい。
【０１９１】
さらに、第28の識別情報は、ネットワークによって、受信した第8の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１９２】
尚、UEがIoT端末の場合、第28の識別情報が示すNSSAIに含まれるS-NSSAIは、1つのみであってよい。言い換えると、UEがIoT端末の場合、第28の識別情報には、単一のS-NSSAIが含まれてもよい。
【０１９３】
第111の識別情報は、バックオフタイマーCの値である。第111の識別情報は、バックオフタイマーCが実行される期間を示す情報であってもよい。言い換えると、第111の識別情報は、コントロールプレーンを介したユーザデータの通信が制限される期間を示す情報であってもよい。
【０１９４】
さらに、第111の識別情報は、バックオフタイマーCの実行の開始を指示する情報であってもよいし、バックオフタイマーCの実行の継続を指示する情報であってもよい。言い換えると、第111の識別情報は、コントロールプレーンを介したユーザデータの通信の制限が開始されたことを示す情報であってもよいし、コントロールプレーンを介したユーザデータの通信の制限が継続されていることを示す情報であってもよい。
【０１９５】
さらに、第111の識別情報は、各装置がcontrol plane CIoT 5GS optimizationをサポートしている場合に、送受信される情報であってもよい。言い換えると、第111の識別情報は、各装置がコントロールプレーンを介したユーザデータの通信をサポートしている場合に、送受信される情報であってもよい。
【０１９６】
さらに、第111の識別情報は、UEがコントロールプレーンを介したユーザデータの通信の為のバックオフタイマーをサポートしている場合に送受信される情報であってもよい。言い換えると、第111の識別情報は、UEがコントロールプレーンを介したユーザデータの通信の為のバックオフタイマーをサポートしていることを通知してきた場合に、送受信される情報であってもよい。
【０１９７】
さらに、第111の識別情報は、ネットワークによって、受信した第1の識別情報、及び/又は第2の識別情報、及び/又は第101の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０１９８】
さらに、第111の識別情報は、第111の識別情報がバックオフタイマーCの値であることを示す情報と共に送受信される情報であってよい。言い換えると、各装置は、第111の識別情報を、第111の識別情報を識別する情報と共に送受信してもよい。
【０１９９】
第112の識別情報は、コントロールプレーンを介したユーザデータの通信の制限が適応される範囲を示す情報である。ここで、コントロールプレーンを介したユーザデータの通信の制限が適応される範囲は、全てのPLMNであってもよいし、現在のPLMNのみであってもよい。さらに、コントロールプレーンを介したユーザデータの通信の制限が適応される範囲は、現在のレジストレーションエリアであってもよいし、現在のトラッキングエリアであってもよい。さらに、コントロールプレーンを介したユーザデータの通信の制限が適応される範囲は、ネットワークによって設定されたエリアであってもよい。
【０２００】
さらに、第112の識別情報は、各装置がcontrol plane CIoT 5GS optimizationをサポートしている場合に、送受信される情報であってもよい。言い換えると、第112の識別情報は、各装置がコントロールプレーンを介したユーザデータの通信をサポートしている場合に、送受信される情報であってもよい。
【０２０１】
さらに、第112の識別情報は、UEがコントロールプレーンを介したユーザデータの通信の為のバックオフタイマーをサポートしている場合に送受信される情報であってもよい。言い換えると、第112の識別情報は、UEがコントロールプレーンを介したユーザデータの通信の為のバックオフタイマーをサポートしていることを通知してきた場合に、送受信される情報であってもよい。
【０２０２】
さらに、第112の識別情報は、第111の識別情報が送受信される場合に、送受信される情報であってもよい。言い換えると、第112の識別情報は、第111の識別情報と共に送受信される情報であってもよい。
【０２０３】
さらに、第112の識別情報は、ネットワークによって、受信した第1の識別情報、及び/又は第2の識別情報、及び/又は第101の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０２０４】
第41の識別情報は、確立を要求している通信路が、control plane CIoT 5GS optimizationのみが利用可能な通信路であることを示す情報である。第41の識別情報は、確立を要求している通信路が、ユーザプレーンの通信路にマッピングすることができない通信路であることを示す情報であってもよい。さらに、第41の識別情報は、確立を要求している通信路が、control plane CIoT 5GS optimizationの使用が不可能になった場合に、解放される通信路であることを示す情報であってもよい。さらに、第41の識別情報は、各装置が、確立を要求している通信路に対応づけたユーザデータ通信を、ユーザプレーンの通信路にマッピングすることができないことを示す情報であってもよい。尚、前記通信路は、PDUセッションであってよい。
【０２０５】
さらに、第41の識別情報は、UEの設定、及び/又はUEの状態、及び/又はユーザポリシー、及び/又はアプリケーションの要求に基づいて、選択、決定される情報であってもよい。
【０２０６】
第42の識別情報は、UEが要求するS-NSSAIである。第42の識別情報は、第22から27の識別情報が示す機能の内、1以上の機能の使用が受諾されたNSIに対応づけられたS-NSSAIであってもよい。
【０２０７】
さらに、第42の識別情報は、第21から第28の識別情報、及び/又はUEの設定、及び/又はUEの状態、及び/又はユーザポリシー、及び/又はアプリケーションの要求に基づいて、選択、決定される情報であってもよい。
【０２０８】
第43の識別情報は、SSC modeを示す情報である。第43の識別情報は、UE_A10が要求するSSC modeを示す情報であってもよい。より詳細には、第43の識別情報は、UE_A10が要求する、本手続きにおいて確立されるPDUセッションに対応づけられるSSC modeを示す情報であってもよい。なお、第43の識別情報は、SSC mode 1を示す情報であってもよいし、SSC mode 2を示す情報であってもよいし、SSC mode 3を示す情報であってもよい。
【０２０９】
さらに、第43の識別情報は、第21から第28の識別情報、及び/又はUEの設定、及び/又はUEの状態、及び/又はユーザポリシー、及び/又はアプリケーションの要求に基づいて、選択、決定される情報であってもよい。
【０２１０】
第51の識別情報は、確立される通信路が、control plane CIoT 5GS optimizationのみが利用可能な通信路であることを示す情報である。第51の識別情報は、確立される通信路が、ユーザプレーンの通信路にマッピングすることができない通信路であることを示す情報であってもよい。さらに、第51の識別情報は、確立される通信路が、control plane CIoT 5GS optimizationの使用が不可能になった場合に、解放される通信路であることを示す情報であってもよい。さらに、第51の識別情報は、各装置が、確立される通信路に対応づけたユーザデータ通信を、ユーザプレーンの通信路にマッピングすることができないことを示す情報であってもよい。尚、前記通信路は、PDUセッションであってよい。
【０２１１】
さらに、第51の識別情報は、ネットワークによって、受信した第41の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０２１２】
第52の識別情報は、ネットワークによって選択されたS-NSSAIである。第52の識別情報は、ネットワークによって使用を許可されたNSIに対応づけたS-NSSAIであってもよい。さらに、第52の識別情報は、第22から27の識別情報が示す機能の内、1以上の機能の使用が受諾されたNSIに対応づけられたS-NSSAIであってもよい。
【０２１３】
さらに、第52の識別情報は、ネットワークによって、受信した第42の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０２１４】
また、第53の識別情報は、SSC modeを示す情報である。第53の識別情報は、ネットワークによって選択されたSSC modeを示す情報であってもよい。より詳細には、第53の識別情報は、ネットワークが選択した、本手続きにおいて確立されるPDUセッションに対応づけられるSSC modeを示す情報であってもよい。なお、選択されたSSC modeは、SSC mode 1であってもよいし、SSC mode 2であってもよいし、SSC mode 3であってもよい。さらに、選択されたSSC modeは、APN単位、及び又はPDNタイプ単位で定まるSSC modeであってもよいし、デフォルトSSC modeであってもよい。
【０２１５】
さらに、第53の識別情報は、ネットワークによって、受信した第43の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０２１６】
第61の識別情報は、新しいCIoT 5GS optimizationの情報である。第61の識別情報は、使用しているCIoT 5GS optimizationの変更が必要であることを示す情報であってもよい。さらに、第61の識別情報は、変更後のCIoT 5GS optimizationを示す情報であってもよい。さらに、第61の識別情報は、現在使用しているCIoT 5GS optimizationとは異なるCIoT 5GS optimizationを示す情報であってもよい。言い換えると、第61の識別情報は、以前に送受信した第21の識別情報が示すCIoT 5GS optimizationとは異なるCIoT 5GS optimizationを示す情報であってもよい。尚、CIoT 5GS optimizationは、control plane CIoT 5GS optimizationであってもよいし、user plane CIoT 5GS optimizationであってもよい。
【０２１７】
さらに、第61の識別情報は、ネットワークによって、以前に送受信した第1から3の識別情報、及び第21から23の識別情報,第21から23の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第61の識別情報は、第21の識別情報が示す情報と同様の情報であってもよい。
【０２１８】
第62の識別情報は、新しいcontrol plane CIoT 5GS optimizationのサポート情報である。第62の識別情報は、control plane CIoT 5GS optimizationのサポート情報の更新が必要であることを示す情報であってもよい。さらに、第62の識別情報は、更新後のcontrol plane CIoT 5GS optimizationのサポート情報であってもよい。さらに、第62の識別情報は、現在のcontrol plane CIoT 5GS optimizationのサポート情報とは異なるcontrol plane CIoT 5GS optimizationのサポート情報であってもよい。言い換えると、第62の識別情報は、以前に送受信した第22の識別情報が示すcontrol plane CIoT 5GS optimizationのサポート情報とは異なるcontrol plane CIoT 5GS optimizationのサポート情報であってもよい。尚、control plane CIoT 5GS optimizationのサポート情報は、control plane CIoT 5GS optimizationをサポートすることを示す情報であってもよいし、control plane CIoT 5GS optimizationをサポートしないことを示す情報であってもよい。
【０２１９】
さらに、第62の識別情報は、ネットワークによって、以前に送受信した第1から3の識別情報、及び第21から23の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第62の識別情報は、第22の識別情報が示す情報と同様の情報であってもよい。
【０２２０】
第63の識別情報は、新しいuser plane CIoT 5GS optimizationのサポート情報である。第63の識別情報は、user plane CIoT 5GS optimizationのサポート情報の更新が必要であることを示す情報であってもよい。さらに、第63の識別情報は、更新後のuser plane CIoT 5GS optimizationのサポート情報であってもよい。さらに、第63の識別情報は、現在のuser plane CIoT 5GS optimizationのサポート情報とは異なるuser plane CIoT 5GS optimizationのサポート情報であってもよい。言い換えると、第63の識別情報は、以前に送受信した第23の識別情報が示すuser plane CIoT 5GS optimizationのサポート情報とは異なるuser plane CIoT 5GS optimizationのサポート情報であってもよい。尚、user plane CIoT 5GS optimizationのサポート情報は、user plane CIoT 5GS optimizationをサポートすることを示す情報であってもよいし、user plane CIoT 5GS optimizationをサポートしないことを示す情報であってもよい。
【０２２１】
さらに、第63の識別情報は、ネットワークによって、以前に送受信した第1から3の識別情報、及び第21から23の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第63の識別情報は、第23の識別情報が示す情報と同様の情報であってもよい。
【０２２２】
第64の識別情報は、新しいユーザプレーンの通信路を用いたデータ通信のサポート情報である。第64の識別情報は、ユーザプレーンの通信路を用いたデータ通信のサポート情報の更新が必要であることを示す情報であってもよい。さらに、第64の識別情報は、更新後のユーザプレーンの通信路を用いたデータ通信のサポート情報であってもよい。さらに、第64の識別情報は、現在のユーザプレーンの通信路を用いたデータ通信のサポート情報とは異なるユーザプレーンの通信路を用いたデータ通信のサポート情報であってもよい。言い換えると、第64の識別情報は、以前に送受信した第24の識別情報が示すユーザプレーンの通信路を用いたデータ通信のサポート情報とは異なるユーザプレーンの通信路を用いたデータ通信のサポート情報であってもよい。尚、ユーザプレーンの通信路を用いたデータ通信のサポート情報は、ユーザプレーンの通信路を用いたデータ通信をサポートすることを示す情報であってもよいし、ユーザプレーンの通信路を用いたデータ通信をサポートしないことを示す情報であってもよい。
【０２２３】
さらに、第64の識別情報は、ネットワークによって、以前に送受信した第4の識別情報、及び/又は第24の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第64の識別情報は、第24の識別情報が示す情報と同様の情報であってもよい。
【０２２４】
第65の識別情報は、新しいHeader compression for control plane CIoT 5GS optimizationのサポート情報である。第65の識別情報は、Header compression for control plane CIoT 5GS optimizationのサポート情報の更新が必要であることを示す情報であってもよい。さらに、第65の識別情報は、更新後のHeader compression for control plane CIoT 5GS optimizationのサポート情報であってもよい。さらに、第65の識別情報は、現在のHeader compression for control plane CIoT 5GS optimizationのサポート情報とは異なるHeader compression for control plane CIoT 5GS optimizationのサポート情報であってもよい。言い換えると、第65の識別情報は、以前に送受信した第25の識別情報が示すHeader compression for control plane CIoT 5GS optimizationのサポート情報とは異なるHeader compression for control plane CIoT 5GS optimizationのサポート情報であってもよい。尚、Header compression for control plane CIoT 5GS optimizationのサポート情報は、Header compression for control plane CIoT 5GS optimizationをサポートすることを示す情報であってもよいし、Header compression for control plane CIoT 5GS optimizationをサポートしないことを示す情報であってもよい。
【０２２５】
さらに、第65の識別情報は、ネットワークによって、以前に送受信した第5の識別情報、及び/又は第25の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第65の識別情報は、第25の識別情報が示す情報と同様の情報であってもよい。
【０２２６】
第66の識別情報は、新しいカバレッジ拡張の制限情報である。第66の識別情報は、カバレッジ拡張の制限情報の更新が必要であることを示す情報であってもよい。さらに、第66の識別情報は、更新後のカバレッジ拡張の制限情報であってもよい。さらに、第66の識別情報は、現在のカバレッジ拡張の制限情報とは異なるカバレッジ拡張の制限情報であってもよい。言い換えると、第66の識別情報は、以前に送受信した第26の識別情報が示すカバレッジ拡張の制限情報とは異なるカバレッジ拡張の制限情報であってもよい。尚、カバレッジ拡張の制限情報は、カバレッジ拡張の利用が制限されていることを示す情報であってもよいし、カバレッジ拡張の利用が制限されていないことを示す情報であってもよい。 
【０２２７】
さらに、第66の識別情報は、カバレッジ拡張の利用制限のサポート情報の更新が必要であることを示す情報であってもよい。第66の識別情報は、更新後のカバレッジ拡張の利用制限のサポート情報であってもよい。さらに、第66の識別情報は、現在のカバレッジ拡張の利用制限のサポート情報とは異なるカバレッジ拡張の利用制限のサポート情報であってもよい。言い換えると、第66の識別情報は、以前に送受信した第16の識別情報が示すカバレッジ拡張の利用制限のサポート情報とは異なるカバレッジ拡張の利用制限のサポート情報であってもよい。尚、カバレッジ拡張の利用制限のサポート情報は、カバレッジ拡張の利用制限をサポートすることを示す情報であってもよいし、カバレッジ拡張の利用制限をサポートしないことを示す情報であってもよい。
【０２２８】
さらに、第66の識別情報は、ネットワークによって、以前に送受信した第6の識別情報、及び/又は第26の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第66の識別情報は、第26の識別情報が示す情報と同様の情報であってもよい。
【０２２９】
第67の識別情報は、新しい5GMM-CONNECTED mode with RRC inactive indicationのサポート情報である。第67の識別情報は、5GMM-CONNECTED mode with RRC inactive indicationのサポート情報の更新が必要であることを示す情報であってよい。さらに、第67の識別情報は、更新後の5GMM-CONNECTED mode with RRC inactive indicationのサポート情報であってもよい。さらに、第67の識別情報は、現在の5GMM-CONNECTED mode with RRC inactive indicationのサポート情報とは異なる5GMM-CONNECTED mode with RRC inactive indicationのサポート情報であってもよい。言い換えると、第67の識別情報は、以前に送受信した第27の識別情報が示す5GMM-CONNECTED mode with RRC inactive indicationのサポート情報とは異なる5GMM-CONNECTED mode with RRC inactive indicationのサポート情報であってもよい。尚、5GMM-CONNECTED mode with RRC inactive indicationのサポート情報は、5GMM-CONNECTED mode with RRC inactive indicationをサポートすることを示す情報であってもよいし、5GMM-CONNECTED mode with RRC inactive indicationをサポートしないことを示す情報であってもよい。
【０２３０】
尚、第67の識別情報は、第63の識別情報と同じ意味を示す識別情報であってもよい。さらに、第63の識別情報と第67の識別情報が同じ意味を示す場合、第63の識別情報と第67の識別情報の内、どちらか一方のみが送受信されてもよい。
【０２３１】
さらに、第67の識別情報は、ネットワークによって、送受信した第7の識別情報、及び/又は第27の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第67の識別情報は、第27の識別情報が示す情報と同様の情報であってもよい。
【０２３２】
第69の識別情報は、レジストレーション手続きの実行が要求されているか否かを示す情報である。第69の識別情報は、REDビット(Registration requested) であってもよい。REDビットは、レジストレーション手続きの実行が要求されていることを示すビット (registration requested) であってもよいし、レジストレーション手続きの実行が要求されていないことを示すビット (registration not requested) であってもよい。さらに、REDビットは、設定更新インディケーション情報要素 (Configuration update indication) を構成するビットであってもよい。さらに、第69の識別情報は、ネットワークが、本手続きの完了後のレジストレーション手続きの実行を必要としていることを示す情報であってもよい。
【０２３３】
さらに、第69の識別情報は、ネットワークによって、第61から68の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。
【０２３４】
尚、UEは、第61から68の識別情報の内、1以上の識別情報と共に、第69の識別情報を受信した場合、レジストレーション手続きを開始してもよい。
【０２３５】
第121の識別情報は、バックオフタイマーCの値である。第121の識別情報は、新しいバックオフタイマーCの値であってもよい。
【０２３６】
さらに、第121の識別情報は、バックオフタイマーCが実行される期間を示す情報であってもよい。言い換えると、第121の識別情報は、コントロールプレーンを介したユーザデータの通信が制限される期間を示す情報であってもよい。
【０２３７】
さらに、第121の識別情報は、バックオフタイマーCの実行の開始を指示する情報であってもよいし、バックオフタイマーCの実行の継続を指示する情報であってもよい。言い換えると、第121の識別情報は、コントロールプレーンを介したユーザデータの通信の制限が開始されたことを示す情報であってもよいし、コントロールプレーンを介したユーザデータの通信の制限が継続されていることを示す情報であってもよい。
【０２３８】
さらに、第121の識別情報は、バックオフタイマーCの状態の変更を指示する情報であってもよい。言い換えると、第121の識別情報は、コントロールプレーンを介したユーザデータの通信の制限が変更されたことを示す情報であってもよい。
【０２３９】
さらに、第121の識別情報は、バックオフタイマーCの実行の停止を指示する情報であってもよいし、バックオフタイマーCの実行の開始を指示する情報であってもよい。言い換えると、第121の識別情報は、コントロールプレーンを介したユーザデータの通信の制限が解除されたことを示す情報であってもよいし、コントロールプレーンを介したユーザデータの通信の制限が開始されたことを示す情報であってもよい。
【０２４０】
さらに、第121の識別情報は、各装置がcontrol plane CIoT 5GS optimizationをサポートしている場合に、送受信される情報であってもよい。言い換えると、第121の識別情報は、各装置がコントロールプレーンを介したユーザデータの通信をサポートしている場合に、送受信される情報であってもよい。
【０２４１】
さらに、第121の識別情報は、UEがコントロールプレーンを介したユーザデータの通信の為のバックオフタイマーをサポートしている場合に送受信される情報であってもよい。言い換えると、第121の識別情報は、登録手続き等の手続きにおいて、UEがコントロールプレーンを介したユーザデータの通信の為のバックオフタイマーをサポートしていることを通知してきた場合に、送受信される情報であってもよい。
【０２４２】
さらに、第121の識別情報は、ネットワークによって、以前に送受信した第1の識別情報、第2の識別情報、第21の識別情報、第22の識別情報、及び第101の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第121の識別情報は、第111の識別情報が示す情報と同様の情報であってもよい。
【０２４３】
さらに、第121の識別情報は、第121の識別情報がバックオフタイマーCの値であることを示す情報と共に送受信される情報であってよい。言い換えると、各装置は、第121の識別情報を、第121の識別情報を識別する情報と共に送受信してもよい。
【０２４４】
第122の識別情報は、コントロールプレーンを介したユーザデータの通信の制限が適応される範囲を示す情報である。ここで、コントロールプレーンを介したユーザデータの通信の制限が適応される範囲は、全てのPLMNであってもよいし、現在のPLMNのみであってもよい。さらに、コントロールプレーンを介したユーザデータの通信の制限が適応される範囲は、現在のレジストレーションエリアであってもよいし、現在のトラッキングエリアであってもよい。さらに、コントロールプレーンを介したユーザデータの通信の制限が適応される範囲は、ネットワークによって設定されたエリアであってもよい。
【０２４５】
さらに、第122の識別情報は、新しいコントロールプレーンを介したユーザデータの通信の制限が適応される範囲を示す情報であってもよい。言い換えると、第122の識別情報は、コントロールプレーンを介したユーザデータの通信の制限が適応される範囲が変更されたことを示す情報であってもよいし、変更後のコントロールプレーンを介したユーザデータの通信の制限が適応される範囲を示す情報であってもよい。
【０２４６】
さらに、第122の識別情報は、各装置がcontrol plane CIoT 5GS optimizationをサポートしている場合に、送受信される情報であってもよい。言い換えると、第122の識別情報は、各装置がコントロールプレーンを介したユーザデータの通信をサポートしている場合に、送受信される情報であってもよい。
【０２４７】
さらに、第122の識別情報は、UEがコントロールプレーンを介したユーザデータの通信の為のバックオフタイマーをサポートしている場合に送受信される情報であってもよい。言い換えると、第122の識別情報は、登録手続き等の手続きにおいて、UEがコントロールプレーンを介したユーザデータの通信の為のバックオフタイマーをサポートしていることを通知してきた場合に、送受信される情報であってもよい。
【０２４８】
さらに、第122の識別情報は、第121の識別情報が送受信される場合に、送受信される情報であってもよい。言い換えると、第122の識別情報は、第121の識別情報と共に送受信される情報であってもよい。
【０２４９】
さらに、第122の識別情報は、ネットワークによって、以前に送受信した第1の識別情報、第2の識別情報、第21の識別情報、第22の識別情報、及び第101の識別情報の内、一つ以上の識別情報、及び/又はNSIに対応づけられた情報、及び/又はネットワークの能力情報、及び/又はオペレータポリシー、及び/又はネットワークの状態、及び/又はユーザの登録情報等に基づいて、選択、決定される情報であってもよい。さらに、第122の識別情報は、第112の識別情報が示す情報と同様の情報であってもよい。
【０２５０】
[3.2. 各実施形態で用いられる手続きの説明]
次に、各実施形態で用いられる手続きについて説明する。尚、各実施形態で用いられる手続きには、登録手続き(Registration procedure)、PDUセッション確立手続き(PDU session establishment procedure)、UE設定更新手続き(Generic UE configuration update procedure)が含まれる。以下、各手続きについて説明していく。
【０２５１】
尚、各実施形態では、図2に記載されているように、HSSとUDM、PCFとPCRF、SMFとPGW-C、UPFとPGW-Uが、それぞれ同一の装置(つまり、同一の物理的なハードウェア、又は同一の論理的なハードウェア、又は同一のソフトウェア)として構成されている場合を例にとって説明する。しかし、本実施形態に記載される内容は、これらが異なる装置(つまり、異なる物理的なハードウェア、又は異なる論理的なハードウェア、又は異なるソフトウェア)として構成される場合にも適用可能である。例えば、これらの間で、直接データの送受信を行ってもよいし、AMF、MME間のN26インターフェースを介してデータを送受信してもよいし、UEを介してデータを送受信してもよい。
【０２５２】
[3.2.1.登録手続き]
まず、登録手続き (Registration procedure) について、図6を用いて説明する。登録手続きは、5GSにおける手続きである。以下、本手続きとは登録手続きを指す。登録手続きは、UEが主導してアクセスネットワーク_B、及び/又はコアネットワーク_B、及び/又はDNへ登録する為の手続きである。UEは、ネットワークに登録していない状態であれば、例えば、電源投入時等の任意のタイミングで本手続きを実行することができる。言い換えると、UEは、非登録状態(RM-DEREGISTERED state)であれば任意のタイミングで本手続きを開始できる。また、各装置(特にUEとAMF)は、登録手続きの完了に基づいて、登録状態(RM-REGISTERED state)に遷移することができる。
【０２５３】
さらに、登録手続きは、ネットワークにおけるUEの位置登録情報を更新する、及び/又は、UEからネットワークへ定期的にUEの状態を通知する、及び/又は、ネットワークにおけるUEに関する特定のパラメータを更新する為の手続きであってもよい。
【０２５４】
UEは、TAを跨ぐモビリティをした際に、登録手続きを開始してもよい。言い換えると、UEは、保持しているTAリストで示されるTAとは異なるTAに移動した際に、登録手続きを開始してもよい。さらに、UEは、実行しているタイマーが満了した際に本手続きを開始してもよい。さらに、UEは、PDUセッションの切断や無効化が原因で各装置のコンテキストの更新が必要な際に登録手続きを開始してもよい。さらに、UEは、UEのPDUセッション確立に関する、能力情報、及び/又はプリファレンスに変化が生じた場合、登録手続きを開始してもよい。さらに、UEは、定期的に登録手続きを開始してもよい。さらに、UEは、UE設定更新手続きの完了に基づいて、又は各手続きでネットワークから受信した情報に基づいて、登録手続きを開始してもよい。尚、UEは、これらに限らず、任意のタイミングで登録手続きを実行することができる。
【０２５５】
まず、UEは、5G AN(又はgNB)を介して、AMFに登録要求(Registration request)メッセージを送信することにより(S800)(S802)(S804)、登録手続きを開始する。具体的には、UEは、登録要求メッセージを含むRRCメッセージを、5G AN(又はgNB)に送信する(S800)。尚、登録要求メッセージは、NASメッセージである。また、RRCメッセージは、UEと5G AN(又はgNB)との間で送受信される制御メッセージであってよい。また、NASメッセージはNASレイヤで処理され、RRCメッセージはRRCレイヤで処理される。尚、NASレイヤはRRCレイヤよりも上位のレイヤである。
【０２５６】
ここで、UEは、少なくとも第1から8の識別情報の内、1つ以上の識別情報を、登録要求メッセージ及び/又はRRCメッセージに含めて送信することができるが、これらとは異なる制御メッセージ、例えば、RRCレイヤよりも下位のレイヤ(例えば、MACレイヤ、RLCレイヤ、PDCPレイヤ)の制御メッセージに含めて送信してもよい。尚、UEは、これらの識別情報を、送信することで、UEが各機能をサポートしていることを示してもよいし、UEの要求を示してもよい。さらに、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０２５７】
UEは、第1の識別情報、及び/又は第2の識別情報を送信することで、control plane CIoT 5GS optimizationの使用の要求を示してもよい。この場合、第1の識別情報は、control plane CIoT 5GS optimizationを示す情報であってよい。さらに、第2の識別情報は、control plane CIoT 5GS optimizationのサポートを示す情報であってよい。
【０２５８】
さらに、UEは、第1の識別情報、及び/又は第3の識別情報、及び/又は第4の識別情報を送信することで、user plane CIoT 5GS optimizationの使用の要求を示してもよい。この場合、第1の識別情報は、user plane CIoT 5GS optimizationを示す情報であってよい。さらに、第3の識別情報は、user plane CIoT 5GS optimizationのサポートを示す情報であってよい。さらに、第4の識別情報は、ユーザプレーンの通信路を用いたデータ通信のサポートを示す情報であってよい。
【０２５９】
さらに、UEは、第5の識別情報を送信することで、Header compression for control plane CIoT 5GS optimizationの使用の要求を示してもよい。この場合、第5の識別情報は、Header compression for control plane CIoT 5GS optimizationのサポートを示す情報であってよい。
【０２６０】
さらに、UEは、第6の識別情報を送信することで、カバレッジ拡張の利用制限の使用の要求を示してもよい。この場合、第6の識別情報は、カバレッジ拡張の利用制限のサポートを示す情報であってもよい。
【０２６１】
さらに、UEは、第7の識別情報を送信することで、5GMM-CONNECTED mode with RRC inactive indicationの使用の要求を示してもよい。この場合、第7の識別情報は、5GMM-CONNECTED mode with RRC inactive indicationのサポートを示す情報であってもよい。
【０２６２】
さらに、UEは、第8の識別情報を送信することで、第8の識別情報が示すNSSAI、及び/又は第8の識別情報に含まれるS-NSSAIの使用を要求してもよいし、使用を要求するNSSAIを示してもよい。
【０２６３】
さらに、UEは、第101の識別情報を送信することで、コントロールプレーンを介したユーザデータの通信の為のバックオフタイマーをサポートしていることを示してもよい。この場合、第101の識別情報は、コントロールプレーンを介したユーザデータの通信の為のバックオフタイマーのサポートを示す情報であってよい。
【０２６４】
さらに、UEは、コントロールプレーンを介したユーザデータの通信の為のバックオフタイマーをサポートしている場合、コントロールプレーンを介したユーザデータの通信の為のバックオフタイマーをサポートすることを示すビットを第101の識別情報に設定してもよいし、前記第101の識別情報を登録要求メッセージに含めてもよい。言い換えると、UEは、コントロールプレーンを介したユーザデータの通信の為のバックオフタイマーをサポートしている場合、登録要求メッセージに含まれる5GMM能力情報要素中のCP backoffビットにコントロールプレーンを介したユーザデータの通信の為のバックオフタイマーをサポートすることを示す情報を設定してもよい。
【０２６５】
また、UEは、登録要求メッセージにSMメッセージ(例えば、PDUセッション確立要求メッセージ)を含めて送信することで、又は登録要求メッセージとともにSMメッセージ(例えば、PDUセッション確立要求メッセージ)を送信することで、登録手続き中にPDUセッション確立手続きを開始してもよい。
【０２６６】
5G AN(又はgNB)は、登録要求メッセージを含むRRCメッセージを受信すると、登録要求メッセージを転送するAMFを選択する(S802)。尚、5G AN(又はgNB)は、登録要求メッセージ及び/又はRRCメッセージに含まれる情報に基づいて、AMFを選択することができる。5G AN(又はgNB)は、受信したRRCメッセージから登録要求メッセージを取り出し、選択したAMFに、登録要求メッセージを転送する(S804)。
【０２６７】
AMFは、登録要求メッセージを受信した場合、第1の条件判別を実行することができる。第1の条件判別とは、ネットワーク(又はAMF)がUEの要求を受諾するか否かを判別するためのものである。AMFは、第1の条件判別が真の場合、図6の(A)の手続きを開始するのに対し、第1の条件判別が偽の場合、図6の(B)の手続きを開始する。
【０２６８】
尚、第1の条件判別は、登録要求メッセージの受信、及び/又は登録要求メッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、実行されてもよい。例えば、UEの要求をネットワークが許可する場合、第1の条件判別は真であり、UEの要求をネットワークが許可しない場合、第1の条件判別は偽でよい。また、UEの登録先のネットワーク、及び/又はネットワーク内の装置が、UEの要求する機能をサポートしている場合、第1の条件判別は真であり、UEの要求する機能をサポートしていない場合、第1の条件判別は偽でよい。さらに、送受信される識別情報が許可される場合、第1の条件判別は真であり、送受信される識別情報が許可されない場合、第1の条件判別は偽でよい。尚、第1の条件判別の真偽が決まる条件は前述した条件に限らなくてもよい。
【０２６９】
まず、第1の条件判別が真の場合について説明する。AMFは、図6の(A)の手続きにおいて、まず第4の条件判別を実行することができる。第4の条件判別は、AMFがSMFとの間でSMメッセージの送受信を実施するか否かを判別するためのものである。
【０２７０】
尚、第4の条件判別は、AMFがSMメッセージを受信したか否かに基づいて実行されてよい。また、第4の条件判別は、登録要求メッセージにSMメッセージが含まれているかに基づいて、実行されてもよい。例えば、AMFがSMメッセージを受信した場合、及び/又は登録要求メッセージにSMメッセージが含まれていた場合、第4の条件判別は真であってよく、AMFがSMメッセージを受信しなかった場合、及び/又は登録要求メッセージにSMメッセージが含まれていなかった場合、第4の条件判別は偽であってよい。尚、第4の条件判別の真偽が決まる条件は前述した条件に限らなくてもよい。
【０２７１】
AMFは、第4の条件判別が真の場合には、SMFを選択し、選択されたSMFとの間でSMメッセージの送受信を実行するのに対し、第4の条件判別が偽の場合には、それらを実行しない(S806)。また、AMFは、第4の条件判別が真の場合であっても、SMFから拒絶を示すSMメッセージを受信した場合には、図6の(A)の手続きを中止する場合がある。このとき、AMFは、図6の(B)の手続きを開始することができる。
【０２７２】
尚、AMFは、S806において、SMFとの間でSMメッセージの送受信を行う際に、登録要求メッセージで受信した識別情報をSMFに通知することができる。SMFは、AMFとの間で、SMメッセージの送受信によって、AMFから受信した識別情報を取得することができる。
【０２７３】
次に、AMFは、登録要求メッセージの受信、及び/又はSMFとの間のSMメッセージの送受信の完了に基づいて、登録要求メッセージに対する応答メッセージとして、5G AN(又はgNB)を介して、UEに登録受諾(Registration accept)メッセージを送信する(S808)。例えば、第4の条件判別が真の場合、AMFは、UEからの登録要求メッセージの受信に基づいて、登録受諾メッセージを送信してもよい。また、第4の条件判別が偽の場合、AMFは、SMFとの間のSMメッセージの送受信の完了に基づいて、登録受諾メッセージを送信してもよい。尚、登録受諾メッセージは、N1インターフェース上で送受信されるNASメッセージであるが、UEと5G AN(gNB)間はRRCメッセージに含まれて送受信される。
【０２７４】
AMFは、登録受諾メッセージに少なくとも第21から28の識別情報、第111の識別情報、及び第112の識別情報の内、1つ以上の識別情報を含めて送信してもよい。尚、AMFは、これらの識別情報を送信することで、ネットワークが各機能をサポートしていることを示してもよいし、UEの要求が受諾されたことを示してもよい。さらに、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０２７５】
AMFは、第21の識別情報、及び/又は第22の識別情報を送信することで、control plane CIoT 5GS optimizationの使用の受諾を示してもよい。この場合、第21の識別情報は、control plane CIoT 5GS optimizationを示す情報であってよい。さらに、第22の識別情報は、control plane CIoT 5GS optimizationのサポートを示す情報であってよい。
【０２７６】
さらに、AMFは、第21の識別情報、及び/又は第23の識別情報、及び/又は第24の識別情報を送信することで、user plane CIoT 5GS optimizationの使用の受諾を示してもよい。この場合、第21の識別情報は、user plane CIoT 5GS optimizationを示す情報であってよい。さらに、第23の識別情報は、user plane CIoT 5GS optimizationのサポートを示す情報であってよい。さらに、第24の識別情報は、ユーザプレーンの通信路を用いたデータ通信のサポートを示す情報であってよい。
【０２７７】
さらに、AMFは、第25の識別情報を送信することで、Header compression for control plane CIoT 5GS optimizationの使用の受諾を示してもよい。この場合、第25の識別情報は、Header compression for control plane CIoT 5GS optimizationのサポートを示す情報であってよい。
【０２７８】
さらに、AMFは、第26の識別情報を送信することで、カバレッジ拡張の利用を制限することを示してもよい。この場合、第26の識別情報は、カバレッジ拡張の利用が制限されていることを示す情報であってもよい。
【０２７９】
さらに、AMFは、第27の識別情報を送信することで、5GMM-CONNECTED mode with RRC inactive indicationの使用の受諾を示してもよい。この場合、第27の識別情報は、5GMM-CONNECTED mode with RRC inactive indicationのサポートを示す情報であってもよい。
【０２８０】
さらに、UEは、第28の識別情報を送信することで、受信した第8の識別情報が示すNSSAI、及び/又は第8の識別情報に含まれるS-NSSAIの使用の要求が受諾されたことを示してもよいし、使用の要求が受諾されたNSSAIをUEに通知してもよい。
【０２８１】
さらに、AMFは、第111の識別情報を送信することで、UEに、バックオフタイマーCの値を示してもよい。さらに、AMFは、第111の識別情報を送信することで、UEに、第111の識別情報が示す値をバックオフタイマーCに設定するように指示してもよいし、第111の識別情報が示す値が設定されたバックオフタイマーCを開始するように指示してもよい。ここで、AMFは、UE上でバックオフタイマーCが実行されている場合、UEに、バックオフタイマーCを停止した後に、第111の識別情報が示す値が設定されたバックオフタイマーCを開始するように指示してもよい。
【０２８２】
逆に、AMFは、UE上でバックオフタイマーCが実行されている状態で、第111の識別情報を送信しないことで、UEに、実行されているバックオフタイマーCを停止するように指示してもよい。より詳細には、AMFは、UEがアイドルモードで本手続きを開始した場合、第111の識別情報を送信しないことで、UEに、実行されているバックオフタイマーCを停止するように指示してもよい。言い換えると、AMFは、UEに、実行されているバックオフタイマーCを停止するように指示するために、第111の識別情報が含まれていない登録受諾メッセージを送信してもよい。
【０２８３】
尚、AMFは、UEがcontrol plane CIoT 5GS optimizationを使用している場合、及び/又はcontrol plane CIoT 5GS optimizationをサポートしている場合に、第111の識別情報を登録受諾メッセージに含めてもよい。
【０２８４】
さらに、AMFは、第111の識別情報、及び/又は第112の識別情報を送信することで、UEに、コントロールプレーンを介したユーザデータの通信の制限が適応される範囲を示してもよい。言い換えると、AMFは、第111の識別情報、及び/又は第112の識別情報を送信することで、第111の識別情報が設定されたバックオフタイマーCが有効な範囲を示してもよいし、UE上で実行される第111の識別情報が設定されたバックオフタイマーCによる輻輳管理が有効な範囲を示してもよい。
【０２８５】
尚、AMFは、control plane CIoT 5GS optimizationを使用している場合、及び/又はcontrol plane CIoT 5GS optimizationをサポートしている場合に、第111の識別情報、及び/又は第112の識別情報を登録受諾メッセージに含めてもよい。
【０２８６】
さらに、UEがコントロールプレーンを介したユーザデータの通信の為のバックオフタイマーをサポートしていることを通知してきて、さらに、AMFがコントロールプレーンを介したユーザデータの通信の為の輻輳管理を有効化することを決定した場合、AMFは、第111の識別情報、及び/又は第112の識別情報を登録受諾メッセージに含めてもよい。言い換えると、AMFは、UEから第101の識別情報を受信し、バックオフタイマーCを用いた輻輳管理を有効化する場合、第111の識別情報、及び/又は第112の識別情報を登録受諾メッセージに含めてもよい。この場合、第101の識別情報は、コントロールプレーンを介したユーザデータの通信の為のバックオフタイマーのサポートを示す情報であってよい。
【０２８７】
さらに、AMFは、第111の識別情報、及び/又は第112の識別情報を登録受諾メッセージに含めた場合、バックオフタイマーCが実行される時間をUE毎に記憶してもよい。さらに、AMFは、第111の識別情報、及び/又は第112の識別情報を登録受諾メッセージに含めた場合、バックオフタイマーCが有効な範囲をUE毎に記憶してもよい。
【０２８８】
逆に、AMFがコントロールプレーンを介したユーザデータの通信の為の輻輳管理を有効化することを決定した場合、AMFは、第111の識別情報、及び/又は第112の識別情報を登録受諾メッセージに含めなくてよい。言い換えると、AMFは、バックオフタイマーCを用いた輻輳管理を無効化する場合、第111の識別情報、及び/又は第112の識別情報を登録受諾メッセージに含めなくてよい。
【０２８９】
さらに、AMFは、第121の識別情報、及び/又は第122の識別情報を登録受諾メッセージに含めなかった場合、UE毎に記憶しているバックオフタイマーCが実行される時間を解放してもよい。さらに、AMFは、第121の識別情報、及び/又は第122の識別情報を登録受諾メッセージに含めた場合、UE毎に記憶しているバックオフタイマーCが有効な範囲を解放してもよい。
【０２９０】
尚、AMFは、第21から28の識別情報、第111の識別情報、及び第112の識別情報の内、どの識別情報を登録受諾メッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０２９１】
また、AMFは、登録受諾メッセージにSMメッセージ(例えば、PDUセッション確立受諾メッセージ)を含めて送信するか、又は登録受諾メッセージとともにSMメッセージ(例えば、PDUセッション確立受諾メッセージ)を送信することができる。ただし、この送信方法は、登録要求メッセージの中にSMメッセージ(例えば、PDUセッション確立要求メッセージ)が含められており、かつ、第4の条件判別が真の場合に、実行されてもよい。また、この送信方法は、登録要求メッセージとともにSMメッセージ(例えば、PDUセッション確立要求メッセージ)を含められており、かつ、第4の条件判別が真の場合に、実行されてもよい。AMFは、このような送信方法を行うことにより、登録手続きにおいて、SMのための手続きが受諾されたことを示すことができる。
【０２９２】
また、AMFは、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、登録受諾メッセージを送信することで、UEの要求が受諾されたことを示してもよい。
【０２９３】
さらに、AMFは、登録受諾メッセージに、UEの一部の要求が拒絶されたことを示す情報を含めて送信してもよいし、UEの一部の要求が拒絶されたことを示す情報を送信することで、UEの一部の要求が拒絶された理由を示してもよい。さらに、UEは、UEの一部の要求が拒絶されたことを示す情報を受信することで、UEの一部の要求が拒絶された理由を認識してもよい。尚、拒絶された理由は、AMFが受信した識別情報が示す内容が許可されていないことを示す情報であってもよい。
【０２９４】
UEは、5G AN(gNB)介して、登録受諾メッセージを受信する(S808)。UEは、登録受諾メッセージを受信することで、登録要求メッセージによるUEの要求が受諾されたこと、及び登録受諾メッセージに含まれる各種の識別情報の内容を認識することができる。
【０２９５】
UEは、さらに、登録受諾メッセージに対する応答メッセージとして、登録完了メッセージを、5G AN(gNB)介して、AMFに送信することができる(S810)。尚、UEは、PDUセッション確立受諾メッセージ等のSMメッセージを受信した場合は、登録完了メッセージに、PDUセッション確立完了メッセージ等のSMメッセージを含めて送信してもよいし、SMメッセージを含めることで、SMのための手続きが完了したことを示してもよい。ここで、登録完了メッセージは、N1インターフェース上で送受信されるNASメッセージであるが、UEと5G AN(gNB)間はRRCメッセージに含まれて送受信される。
【０２９６】
AMFは、5G AN(gNB)介して、登録完了メッセージを受信する(S810)。また、各装置は、登録受諾メッセージ、及び/又は登録完了メッセージの送受信に基づき、図6の(A)の手続きを完了する。
【０２９７】
次に、第1の条件判別が偽の場合について説明する。AMFは、図6の(B)の手続きにおいて、登録要求メッセージに対する応答メッセージとして、5G AN(gNB)を介して、UEに登録拒絶(Registration reject)メッセージを送信する(S812)。ここで、登録拒絶メッセージは、N1インターフェース上で送受信されるNASメッセージであるが、UEと5G AN(gNB)間はRRCメッセージに含まれて送受信される。
【０２９８】
尚、AMFは、登録拒絶メッセージを送信することで、登録要求メッセージによるUEの要求が拒絶されたことを示してもよい。さらに、AMFは、登録拒絶メッセージに拒絶された理由を示す情報を含めて送信してもよいし、拒絶された理由を送信することで拒絶された理由を示してもよい。さらに、UEは、UEの要求が拒絶された理由を示す情報を受信することで、UEの要求が拒絶された理由を認識してもよい。尚、拒絶された理由は、AMFが受信した識別情報が示す内容が許可されていないことを示す情報であってもよい。
【０２９９】
UEは、登録拒絶メッセージに基づき、保持している情報を削除してもよい。さらに、UEは、登録拒絶メッセージの受信に基づき、バックオフタイマーのカウントを開始してよい。ここで、UEが開始するバックオフタイマーはネットワークから受信したバックオフタイマー値を使用してもよいし、UEが記憶するタイマー値を使用してもよい。UEは、少なくともバックオフタイマーのカウントを実行している間、登録手続きを再度開始しなくてもよいし、停止してもよいし、禁止されていてもよい。さらに、UEは、登録拒絶メッセージの受信に基づき、サービスが制限された状態に遷移してよい。ここで、前記バックオフタイマーは、バックオフタイマーCであってもよいし、バックオフタイマーC以外の別のタイマーであってもよい。
【０３００】
なお、上記に示すUEが各識別情報の受信に基づき実行する各処理は、本手続き中、又は本手続き完了後に実行されてもよいし、本手続き完了後に、本手続き完了に基づき実行されてもよい。
【０３０１】
UEは、5G AN(gNB)介して、登録拒絶メッセージを受信する(S812)。UEは、登録拒絶メッセージを受信することで、登録要求メッセージによるUEの要求が拒絶されたこと、及び登録拒絶メッセージに含まれる各種の識別情報の内容を認識することができる。また、UEは、登録要求メッセージを送信した後、所定の期間が経過しても、登録受諾メッセージ又は登録拒絶メッセージを受信しない場合には、UEの要求が拒絶されたことを認識してもよい。各装置は、登録拒絶メッセージの送受信に基づき、本手続き中の(B)の手続きを完了する。
【０３０２】
尚、図6の(B)の手続きは、図6の(A)の手続きを中止した場合に開始される場合もある。図6の(A)の手続きにおいて、第4の条件判別が真の場合、AMFは、登録拒絶メッセージに、PDUセッション確立拒絶メッセージ等の拒絶を意味するSMメッセージを含めて送信してもよいし、拒絶を意味するSMメッセージを含めることで、SMのための手続きが拒絶されたことを示してもよい。その場合、UEは、さらに、PDUセッション確立拒絶メッセージ等の拒絶を意味するSMメッセージを受信してもよいし、SMのための手続きが拒絶されたことを認識してもよい。
【０３０３】
各装置は、図6の(A)又は(B)の手続きの完了に基づいて、登録手続きを完了する。尚、各装置は、図6の(A)の手続きの完了に基づいて、UEがネットワークに登録された状態(RM_REGISTERED state)に遷移してもよいし、図6の(B)の手続きの完了に基づいて、UEがネットワークに登録されていない状態(RM_DEREGISTERED state)を維持してもよいし、UEがネットワークに登録されていない状態へ遷移してもよい。また、各装置の各状態への遷移は、登録手続きの完了に基づいて行われてもよく、PDUセッションの確立に基づいて行われてもよい。
【０３０４】
さらに、各装置は、登録手続きの完了に基づいて、登録手続きで送受信した情報に基づいた処理を実施してもよい。例えば、UEの一部の要求が拒絶されたことを示す情報を送受信した場合、UEの要求が拒絶された理由を認識してもよい。さらに、各装置は、UEの要求が拒絶された理由に基づいて、再度本手続きを実施してもよいし、別のコアネットワークや別のセルに対して登録手続きを実施してもよい。
【０３０５】
さらに、UEは、登録手続きの完了に基づいて、登録受諾メッセージ、及び/又は登録拒絶メッセージとともに受信した識別情報を記憶してもよいし、ネットワークの決定を認識してもよい。
【０３０６】
例えば、UEは、第21の識別情報、及び/又は第22の識別情報を受信した場合、control plane CIoT 5GS optimizationの使用が受諾されたと認識してもよい。この場合、第21の識別情報は、control plane CIoT 5GS optimizationを示す情報であってよい。さらに、第22の識別情報は、control plane CIoT 5GS optimizationのサポートを示す情報であってよい。
【０３０７】
さらに、UEは、第21の識別情報、及び/又は第23の識別情報、及び/又は第24の識別情報を受信した場合、user plane CIoT 5GS optimizationの使用が受諾されたと認識してもよい。この場合、第21の識別情報は、user plane CIoT 5GS optimizationを示す情報であってよい。さらに、第23の識別情報は、user plane CIoT 5GS optimizationのサポートを示す情報であってよい。さらに、第24の識別情報は、ユーザプレーンの通信路を用いたデータ通信のサポートを示す情報であってよい。
【０３０８】
さらに、UEは、第25の識別情報を受信した場合、Header compression for control plane CIoT 5GS optimizationの使用が受諾されたと認識してもよい。この場合、第25の識別情報は、Header compression for control plane CIoT 5GS optimizationのサポートを示す情報であってよい。
【０３０９】
さらに、UEは、第26の識別情報を受信した場合、カバレッジ拡張の利用が制限されていることを認識してもよい。この場合、第26の識別情報は、カバレッジ拡張の利用が制限されていることを示す情報であってもよい。
【０３１０】
さらに、UEは、第27の識別情報を受信した場合、5GMM-CONNECTED mode with RRC inactive indicationの使用が受諾されたと認識してもよい。この場合、第27の識別情報は、5GMM-CONNECTED mode with RRC inactive indicationのサポートを示す情報であってもよい。
【０３１１】
さらに、UEは、第28の識別情報を受信した場合、登録要求メッセージに含めて送信した第8の識別情報が示すNSSAI、及び/又は第8の識別情報に含まれるS-NSSAIの使用の要求が受諾されたことを認識してもよい。さらに、UEは、第28の識別情報を受信した場合、使用の要求が受諾されたNSSAI、及び/又はS-NSSAIを、認識してもよいし、コンテキストに記憶してもよい。
【０３１２】
さらに、UEは、第111の識別情報を受信した場合、第111の識別情報が示す値をバックオフタイマーCの値として認識してもよい。
【０３１３】
さらに、UEは、第111の識別情報を受信した場合、第111の識別情報が示す値をバックオフタイマーCに設定してもよいし、第111の識別情報が示す値が設定されたバックオフタイマーCを開始してもよい。ここで、UEは、バックオフタイマーCが実行されている場合、バックオフタイマーCを停止した後に、第111の識別情報が示す値が設定されたバックオフタイマーCを開始してもよい。
【０３１４】
逆に、UEは、バックオフタイマーCが実行されている状態で、第111の識別情報を受信しなかった場合、実行されているバックオフタイマーCを停止してもよい。より詳細には、UEは、アイドルモードで本手続きを開始し、第111の識別情報を受信しなかった場合、実行されているバックオフタイマーCを停止してもよい。
【０３１５】
尚、UEは、control plane CIoT 5GS optimizationを使用している場合に、前述した第111の識別情報を受信した場合の処理を行ってもよい。逆に、UEは、control plane CIoT 5GS optimizationを使用していない場合、受信した第111の識別情報を無視してもよい。
【０３１６】
さらに、UEは、第111の識別情報、及び/又は第112の識別情報を受信した場合、コントロールプレーンを介したユーザデータの通信の制限が適応される範囲を認識してもよい。言い換えると、UEは、第111の識別情報、及び/又は第112の識別情報を受信した場合、第111の識別情報が設定されたバックオフタイマーCが有効な範囲を認識してもよいし、第111の識別情報が設定されたバックオフタイマーCによる輻輳管理が有効な範囲を認識してもよい。
【０３１７】
尚、UEは、control plane CIoT 5GS optimizationを使用している場合に、前述した第111の識別情報、及び/又は第112の識別情報を受信した場合の処理を行ってもよい。逆に、UEは、control plane CIoT 5GS optimizationを使用していない場合、受信した第111の識別情報、及び/又は第112の識別情報を無視してもよい。
【０３１８】
[3.2.2.PDUセッション確立手続き]
次に、DNに対してPDUセッションを確立するために行うPDUセッション確立手続き (PDU session establishment procedure) の概要について、図7を用いて説明する。PDUセッション確立手続きは、5GSにおける手続きである。以下、本手続きとはPDUセッション確立手続きを指す。PDUセッション確立手続きは、各装置がPDUセッションを確立する為の手続きである。尚、各装置は、PDUセッション確立手続きを、登録手続きが完了して登録状態となった任意のタイミングで開始することができる。また、各装置は、PDUセッション確立手続きを、登録手続きの中で実行することができてもよい。また、各装置は、PDUセッション確立手続きの完了に基づいて、PDUセッションを確立してもよい。尚、PDUセッション確立手続きは、UEが主導して開始される手続きであってよいし、UEが要求して開始される手続きであってよい。各装置は、PDUセッション確立手続きを複数回実行することにより、複数のPDUセッションを確立することができる。
【０３１９】
さらに、UEは、登録手続きで受信した識別情報を基に、PDUセッション確立手続きを開始してもよい。例えば、UEは、control plane CIoT 5GS optimizationが使用可能な場合、control plane CIoT 5GS optimizationが使用可能なPDUセッションを確立するために、PDUセッション確立手続きを開始してもよい。
【０３２０】
さらに、UEは、user plane CIoT 5GS optimizationが使用可能な場合、user plane CIoT 5GS optimizationが使用可能なPDUセッションを確立するために、PDUセッション確立手続きを開始してもよい。
【０３２１】
さらに、UEは、control plane CIoT 5GS optimizationが使用可能で、さらに、user plane CIoT 5GS optimization、及び/又はユーザプレーンの通信路を用いたデータ通信が使用可能な場合、ユーザプレーン無線ベアラを確立するための手続きの実行が可能なPDUセッションを確立するために、PDUセッション確立手続きを開始してもよい。尚、ユーザプレーン無線ベアラを確立するための手続きはサービス要求手続き(service request procedure)であってもよい。尚、ユーザプレーン無線ベアラを確立するための手続きはサービス要求手続きであってもよい。
【０３２２】
さらに、UEは、control plane CIoT 5GS optimization、及び/又はHeader compression for control plane CIoT 5GS optimizationが使用可能な場合、ヘッダ圧縮機能が使用可能なPDUセッションを確立するために、PDUセッション確立手続きを開始してもよい。
【０３２３】
さらに、UEは、LADNへの接続が可能であるエリアに位置している場合、及び/又はLADN service areaに位置している場合、LADNのためのPDUセッションを確立するために、PDUセッション確立手続きを開始してもよい。言い換えると、UEは、LADN service areaの外に位置している場合、LADNのためのPDUセッションを確立するためのPDUセッション確立手続きの実行が禁止されていてもよい。
【０３２４】
さらに、UEは、バックオフタイマーが実行されていない場合に、PDUセッション確立手続きを開始してもよい。言い換えると、UEは、バックオフタイマーが開始されている場合に、PDUセッション確立手続きの実行が禁止されていてもよい。
【０３２５】
まず、UEは、5G AN(gNB)及びAMFを介して、SMFにPDUセッション確立要求(PDU session establishment request)メッセージを含むNASメッセージを送信することにより(S900)(S902)(S904)、PDUセッション確立手続きを開始する。
【０３２６】
具体的には、UEは、N1インターフェースを介して、5G AN(gNB)を介して、AMFに、PDUセッション確立要求メッセージを含むNASメッセージを送信する(S900)。
【０３２７】
ここで、UEは、少なくとも第41から44の識別情報の内、1つ以上の識別情報を、PDUセッション確立要求メッセージ及び/又はNASメッセージに含めて送信することができるが、これらとは異なる制御メッセージ、例えば、RRCレイヤよりも下位のレイヤ(例えば、MACレイヤ、RLCレイヤ、PDCPレイヤ)の制御メッセージに含めて送信してもよい。これらの識別情報は、これらのメッセージに含められることで、UEの要求を示してもよい。また、これらの識別情報の2以上の識別情報は、1以上の識別情報として構成されてもよい。
【０３２８】
また、UEは、UEが接続を要求するDNに対応するDNNをPDUセッション確立要求メッセージに含めることができる。尚、UEは、CIoT 5GS optimizationの使用が可能なPDUセッションの確立を要求する場合、CIoT 5GS optimizationがサポートされたDNN、及び/又は前記機能の使用が受諾されたDNNを選択し、選択したDNNをPDUセッション確立要求メッセージに含めてもよい。
【０３２９】
また、UEは、LADNのためのPDUセッションの確立を要求する場合、LADN DNNをDNNとして選択し、選択したDNNをPDUセッション確立要求メッセージに含めて送信してもよい。この場合、UEは、記憶しているLADN情報の中からDNNを選択してもよい。尚、記憶しているLADN情報は、登録手続き、及び/又はUE設定更新手続きで、ネットワークから受信した上布尾であってもよいし、予めUEに設定された情報であってもよい。
【０３３０】
また、UEは、PDUセッションIDを生成して、PDUセッション確立要求メッセージに含めることができる。また、UEは、PDUセッションを確立する目的を示す要求タイプ(request type)をPDUセッション確立要求メッセージに含めることができる。要求タイプとしては、初期要求(initial request)、既存のPDUセッション(existing PDU session)、初期緊急要求(initial emergency request)がある。initial requestは、新たな非緊急用のPDUセッションを確立することを要求する場合に指定される。existing PDU sessionは、3GPPアクセスとnon-3GPPアクセスの間の非緊急用のPDUセッションのハンドオーバーや、EPSから5GSへのPDNコネクションの転送を行う際に指定される。initial emergency requestは、新たな緊急用のPDUセッションを確立することを要求する場合に指定される。
【０３３１】
また、UEは、確立を要求するPDUセッションのタイプを示すPDUセッションタイプを指定することができる。PDUセッションタイプとしては、上述の通り、IPv4、IPv6、IP、Ethernet、Unstructuredのいずれかを指定することができる。また、UEは、確立を要求するPDUセッションのSSCモードをPDUセッション確立要求メッセージに含めることができる。
【０３３２】
さらに、UEは、control plane CIoT 5GS optimization、及び/又はHeader compression for control plane CIoT 5GS optimizationをサポートしている場合、ヘッダ圧縮機能の設定情報(Header compression configuration IE)をPDUセッション確立要求メッセージに含めてもよい。より詳細には、UEは、PDUセッションタイプがIPv4、IPv6、IPのいずれかの場合で、さらに、control plane CIoT 5GS optimization、及び/又はHeader compression for control plane CIoT 5GS optimizationをサポートしている場合、ヘッダ圧縮機能の設定情報をPDUセッション確立要求メッセージに含めてもよい。
【０３３３】
言い換えると、UEは、PDUセッションタイプがIPv4、IPv6、IPのいずれかに設定されていて、さらに、control plane CIoT 5GS optimization、及び/又はHeader compression for control plane CIoT 5GS optimizationのサポートを登録要求メッセージで示している場合、ヘッダ圧縮機能の設定情報をPDUセッション確立要求メッセージに含めてもよい。
【０３３４】
さらに、UEは、UEがcontrol plane CIoT 5GS optimization、及び/又はHeader compression for control plane CIoT 5GS optimizationをサポートしている場合、さらに、ヘッダ圧縮機能の設定情報(Header compression configuration IE)をPDUセッション確立要求メッセージに含めてもよい。より詳細には、UEは、PDUセッションタイプがIPv4、IPv6、IPのいずれかの場合で、さらに、UEがcontrol plane CIoT 5GS optimization、及び/又はHeader compression for control plane CIoT 5GS optimizationをサポートしている場合、第42の識別情報に加え、さらに、ヘッダ圧縮機能の設定情報をPDUセッション確立要求メッセージに含めてもよい。
【０３３５】
言い換えると、UEは、PDUセッションタイプがIPv4、IPv6、IPのいずれかに設定されていて、さらに、UEのcontrol plane CIoT 5GS optimization、及び/又はHeader compression for control plane CIoT 5GS optimizationのサポートを登録要求メッセージで示している場合、さらに、ヘッダ圧縮機能の設定情報をPDUセッション確立要求メッセージに含めてもよい。
【０３３６】
逆に、UEは、PDUセッションタイプがIPv4、IPv6、IPのいずれでもない場合か、Uがcontrol plane CIoT 5GS optimization、及び/又はHeader compression for control plane CIoT 5GS optimizationをサポートしていない場合、ヘッダ圧縮機能の設定情報をPDUセッション確立要求メッセージに含めなくてもよい。
【０３３７】
さらに、UEは、第43の識別情報を送信することで、第43の識別情報が示すSSC modeのPDUセッションの確立を要求してもよいし、確立されるPDUセッションに対応づけられたSSC modeを要求してもよい。尚、第43の識別情報が示す情報SSC modeは、「SSC mode 1」、「SSC mode 2」又は「SSC mode 3」のいずれかであってよい。
【０３３８】
さらに、UEは、control plane CIoT 5GS optimizationが使用可能な場合、SSC mode 1を設定した第43の識別情報を送信してもよい。さらに、UEは、control plane CIoT 5GS optimizationが使用可能な場合であっても、SSC mode 2、又はSSC mode 3が設定された第43の識別情報を送信してもよい。さらに、UEは、control plane CIoT 5GS optimizationが使用可能な場合、第43の識別情報の送信を省略してもよい。
【０３３９】
AMFは、PDUセッション確立要求メッセージを含むNASメッセージを受信する(S900)と、NASメッセージからPDUセッション確立要求メッセージを取り出すとともに、PDUセッション確立要求メッセージの転送先としてSMFを選択する(S902)。尚、AMFは、PDUセッション確立要求メッセージ及び/又はNASメッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、転送先のSMFを選択してもよい。
【０３４０】
AMFは、選択したSMFに、N11インターフェースを介して、PDUセッション確立要求メッセージを転送する(S904)。
【０３４１】
SMFは、PDUセッション確立要求メッセージを受信(S904)すると、PDUセッション確立要求メッセージに含まれる各種の識別情報を認識する。そして、SMFは、第3の条件判別を実行する。第3の条件判別は、SMFが、UEの要求を受諾するか否かを判断する為のものである。第3の条件判別において、SMFは第3の条件判別が真であるか偽であるかを判定する。SMFは、第3の条件判別が真の場合、図7の(A)の手続きを開始し、第3の条件判別が偽の場合、図7の(B)の手続きを開始する。
【０３４２】
尚、第3の条件判別は、PDUセッション確立要求メッセージ、及び/又はPDUセッション確立要求メッセージに含まれる各識別情報、及び/又は加入者情報、及び/又はネットワークの能力情報、及び/又はオペレータポリシー、及び/又はネットワークの状態、及び/又はユーザの登録情報、及び/又はSMFが保持するコンテキスト等に基づいて、実行されてもよい。例えば、UEの要求をネットワークが許可する場合、第3の条件判別は真でよい。また、UEの要求をネットワークが許可しない場合、第3の条件判別は偽でよい。さらに、UEの接続先のネットワーク、及び/又はネットワーク内の装置が、UEが要求する機能をサポートしている場合、第3の条件判別は真でよく、UEが要求する機能をサポートしていない場合、第3の条件判別は偽でよい。さらに、送受信される識別情報が許可される場合、第3の条件判別は真であり、送受信される識別情報が許可されない場合、第3の条件判別は偽でよい。尚、第3の条件判別の真偽が決まる条件は前述した条件に限らなくてもよい。
【０３４３】
次に、第3の条件判別が真の場合のステップ、すなわち図7の(A)の手続きの各ステップを説明する。SMFは、PDUセッションの確立先のUPFを選択し、選択したUPFに、N4インターフェースを介して、セッション確立要求メッセージを送信し(S906)、図7の(A)の手続きを開始する。
【０３４４】
ここで、SMFは、PDUセッション確立要求メッセージの受信に基づいて取得した各識別情報、及び/又は加入者情報、及び/又はネットワークの能力情報、及び/又はオペレータポリシー、及び/又はネットワークの状態、及び/又はユーザの登録情報、及び/又はSMFが保持するコンテキスト等に基づいて、1以上のUPFを選択してもよい。尚、複数のUPFが選択された場合、SMFは、各々のUPFに対してセッション確立要求メッセージを送信してもよい。
【０３４５】
UPFは、N4インターフェースを介して、SMFからセッション確立要求メッセージを受信し(S906)、PDUセッションのためのコンテキストを作成する。さらに、UPFは、セッション確立要求メッセージを受信、及び/又はPDUセッションのためのコンテキストの作成に基づいて、N4インターフェースを介して、SMFにセッション確立応答メッセージを送信する(S908)。
【０３４６】
SMFは、セッション確立要求メッセージに対する応答メッセージとして、N4インターフェースを介して、UPFからセッション確立応答メッセージを受信する(S908)。SMFは、PDUセッション確立要求メッセージの受信、及び/又はUPFの選択、及び/又はセッション確立応答メッセージの受信に基づいて、UEに割り当てるアドレスのアドレス割り当てを行ってよい。
【０３４７】
SMFは、PDUセッション確立要求メッセージの受信、及び/又はUPFの選択、及び/又はセッション確立応答メッセージの受信、及び/又はUEに割り当てるアドレスのアドレス割り当ての完了に基づいて、AMFを介して、UEにPDUセッション確立受諾(PDU session establishment accept)メッセージを送信する(S910)(S912)。
【０３４８】
具体的には、SMFは、N11インターフェースを介して、AMFにPDUセッション確立受諾メッセージを送信すると(S910)、PDUセッション確立要求メッセージを受信したAMFは、N1インターフェースを介して、UEにPDUセッション確立受諾メッセージを含むNASメッセージを送信する(S912)。尚、PDUセッション確立受諾メッセージは、NASメッセージであり、PDUセッション確立要求に対する応答メッセージであってよい。また、PDUセッション確立受諾メッセージは、PDUセッションの確立が受諾されたことを示すことができる。
【０３４９】
ここで、SMF及びAMFは、PDUセッション確立受諾メッセージを送信することで、PDUセッション確立要求によるUEの要求が受諾されたことを示してもよい。
【０３５０】
SMF及びAMFは、PDUセッション確立受諾メッセージに、少なくとも第51から53の識別情報の内、1つ以上の識別情報を含めて送信してもよい。尚、SMF及びAMFは、これらの識別情報を送信することで、ネットワークが各機能をサポートしていることを示してもよいし、UEの要求が受諾されたことを示してもよい。さらに、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０３５１】
SMF及びAMFは、第51の識別情報を送信することで、control plane CIoT 5GS optimizationのみが利用可能なPDUセッションの確立の受諾を示してもよい。SMF及びAMFは、第52の識別情報を送信することで、S-NSSAIに対応づけられたPDUセッションの確立の受諾を示してもよい。
【０３５２】
ここで、SMF及びAMFは、受信した第42の識別情報が示すS-NSSAI、又は保持しているS-NSSAIから、適切なS-NSSAIを選択し、第52の識別情報に設定してもよい。具体的には、SMF及びAMFは、CIoT 5GS optimizationの使用が可能なPDUセッションの確立を受諾する場合、CIoT 5GS optimizationがサポートされたS-NSSAI、及び/又は前記機能の使用が受諾されたS-NSSAIを選択し、第52の識別情報に設定してもよい。尚、S-NSSAIの選択はこれらに限らなくてもよい。
【０３５３】
さらに、SMF及びAMFは、第53の識別情報を送信することで、第53の識別情報が示すSSC modeのPDUセッションが確立されることを示してもよいし、確立されるPDUセッションに対応づけられたSSC modeを示してもよい。さらに、SMF及びAMFは、第53の識別情報を送信することで、第43の識別情報で示されたSSC modeのPDUセッションの確立の要求が受諾されたことを示してもよい。尚、第53の識別情報が示すSSC modeは、「SSC mode 1」、「SSC mode 2」又は「SSC mode 3」のいずれかであってよい。
【０３５４】
ここで、SMFは、第43の識別情報を受信した場合、加入者情報、及び/又はSMFの設定情報に基づいて、第43の識別情報で示されたSSC modeを、確立されるPDUセッションに対応づけられたSSC modeとして決定してもよい。さらに、SMFは、第43の識別情報を受信しなかった場合、デフォルトSSC mode、及び/又はSMFの設定情報に関連づけられたSSC modeを、確立されるPDUセッションに対応づけられたSSC modeとして決定してもよい。さらに、SMFは、確立されるPDUセッションに対応づけられたSSC modeを第53の識別情報に設定してもよい。
【０３５５】
さらに、SMFは、control plane CIoT 5GS optimizationが使用可能な場合、SSC mode 1を、確立されるPDUセッションに対応づけられたSSC modeとして決定してもよい。この場合、第53の識別情報は、SSC mode 1を示す情報であってよい。さらに、SMFは、control plane CIoT 5GS optimizationが使用可能な場合であっても、SSC mode 2又はSSC mode 3を、確立されるPDUセッションに対応づけられたSSC modeとして決定してもよい。この場合、第53の識別情報は、SSC mode 2又はSSC mode 3を示す情報であってよい。さらに、SMFは、control plane CIoT 5GS optimizationが使用可能な場合、確立されるPDUセッションには、SSC modeを適応しないことを決定してもよい。この場合、第53の識別情報には任意のSSC modeが設定されてもよいし、第53の識別情報の送受信が省略されてもよい。
【０３５６】
尚、SMF及びAMFは、少なくとも第51から53の識別情報の内、どの識別情報をPDUセッション確立受諾メッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０３５７】
また、SMF及びAMFは、UEの接続を許可したDNに対応するDNNをPDUセッション確立受諾メッセージに含めることができる。尚、確立されるPDUセッションがLADNのためのPDUセッションである場合、SMF及びAMFは、LADN DNNをPDUセッション確立受諾メッセージに含めてもよい。
【０３５８】
また、SMF及びAMFは、選択した、及び/又は許可したPDUセッションIDをPDUセッション確立受諾メッセージに含めることができる。また、SMF及びAMFは、選択した、及び/又は許可したPDUセッションのタイプを示すPDUセッションタイプを指定することができる。PDUセッションタイプとしては、上述の通り、IPv4、IPv6、IP、Ethernet、Unstructuredのいずれかを指定することができる。また、SMF及びAMFは、選択した、及び/又は許可したPDUセッションのSSCモードをPDUセッション確立受諾メッセージに含めることができる。
【０３５９】
さらに、SMF及びAMFは、承認されたQoSルール群をPDUセッション確立受諾メッセージに含めることができる。尚、承認されたQoSルール群には一又は複数のQoSルールが含まれてよい。さらに、本手続きにおいて、QoSフロー、及び/又はユーザプレーン無線ベアラが複数確立される場合、承認されたQoSルール群には複数のQoSルールが含まれてもよい。逆に本手続きにおいて、QoSフロー、及び/又はユーザプレーン無線ベアラが1つのみ確立される場合、承認されたQoSルール群には1つのQoSルールが含まれてもよい。
【０３６０】
さらに、SMF、及び/又はAMFは、ヘッダ圧縮機能の設定情報がPDUセッション確立要求メッセージに含まれている場合、ヘッダ圧縮機能の設定情報をPDUセッション確立受諾メッセージに含めて送信してもよい。
【０３６１】
さらに、SMFは、PDUセッション確立受諾メッセージに、UEの一部の要求が拒絶されたことを示す情報を含めて送信してもよいし、UEの一部の要求が拒絶されたことを示す情報を送信することで、UEの一部の要求が拒絶された理由を示してもよい。さらに、UEは、UEの一部の要求が拒絶されたことを示す情報を受信することで、UEの一部の要求が拒絶された理由を認識してもよい。尚、拒絶された理由は、SMFが受信した識別情報が示す内容が許可されていないことを示す情報であってもよい。
【０３６２】
UEは、N1インターフェースを介して、AMFからPDUセッション確立受諾メッセージを含むNASメッセージを受信(S912)すると、AMFを介してSMFにPDUセッション確立完了メッセージを送信する(S914)(S916)。UEは、PDUセッション確立受諾メッセージを受信することで、PDUセッション確立要求によるUEの要求が受諾されたことを検出することができる。
【０３６３】
具体的には、UEは、N1インターフェースを介して、AMFにPDUセッション確立完了メッセージを送信する(S914)。AMFは、UEからPDUセッション確立完了メッセージを受信すると、N11インターフェースを介して、SMFにPDUセッション確立完了メッセージを送信する(S916)。
【０３６４】
尚、AMFがSMFに送信するPDUセッション確立完了メッセージは、S910でSMFからAMFに送信されたPDUセッション確立受諾メッセージに対する応答メッセージであってよい。また、PDUセッション確立完了メッセージは、NASメッセージであってよい。また、PDUセッション確立完了メッセージは、PDUセッション確立手続きが完了することを示すメッセージであればよい。
【０３６５】
SMFは、N11インターフェースを介して、AMFからPDUセッション確立完了メッセージを受信すると(S916)、第2の条件判別を実行することができる。第2の条件判別は、送受信されるN4インターフェース上のメッセージの種類を決定する為ものである。第2の条件判別が真の場合、SMFは、N4インターフェースを介して、UPFにセッション変更要求メッセージを送信すると(S918)、その応答メッセージとして、UPFから送信されるセッション変更受諾メッセージを受信する(S920)。第2の条件判別が偽の場合、SMFは、N4インターフェースを介して、UPFにセッション確立要求メッセージを送信すると(S918)、その応答メッセージとして、UPFから送信されるセッション変更受諾メッセージを受信する(S920)。
【０３６６】
尚、第2の条件判別は、PDUセッションのためのN4インターフェース上のセッションが確立されているか否かに基づいて、実行されてもよい。例えば、PDUセッションのためのN4インターフェース上のセッションが確立されている場合、第2の条件判別は真であってよく、PDUセッションのためのN4インターフェース上のセッションが確立されていない場合、第2の条件判別は偽であってよい。尚、第2の条件判別の真偽が決まる条件は前述した条件に限らなくてもよい。
【０３６７】
各装置は、PDUセッション確立受諾メッセージの送受信、及び/又はPDUセッション確立完了メッセージの送受信、及び/又はセッション変更応答メッセージの送受信、及び/又はセッション確立応答メッセージの送受信に基づいて、PDUセッション確立手続き中の(A)の手続きを完了する。本手続中の(A)の手続きが完了したとき、UEは、DNに対するPDUセッションが確立している状態にいる。
【０３６８】
次に、PDUセッション確立手続き中の(B)の手続きの各ステップを説明する。SMFは、AMFを介して、UEにPDUセッション確立拒絶(PDU session establishment reject)メッセージを送信する(S922)(S924)。具体的には、SMFは、N11インターフェースを介して、AMFにPDUセッション確立拒絶メッセージを送信する(S922)。AMFは、N11インターフェースを介して、SMFからPDUセッション確立要求メッセージを受信すると(S922)、N1インターフェースを用いて、UEにPDUセッション確立拒絶メッセージを送信する(S924)。
【０３６９】
尚、PDUセッション確立拒絶メッセージは、NASメッセージであってよい。また、PDUセッション確立拒絶メッセージは、PDUセッションの確立が拒絶されたことを示すメッセージであればよい。
【０３７０】
ここで、SMFは、PDUセッション確立拒絶メッセージを送信することで、PDUセッション確立要求によるUEの要求が拒絶されたことを示してもよい。さらに、SMFは、PDUセッション確立拒絶メッセージに拒絶された理由を示す情報を含めて送信してもよいし、拒絶された理由を送信することで拒絶された理由を示してもよい。さらに、SMFは、バックオフタイマーの値をPDUセッション確立拒絶メッセージに含めて送信してもよい。
【０３７１】
さらに、UEは、UEの要求が拒絶された理由を示す情報を受信することで、UEの要求が拒絶された理由を認識してもよい。尚、拒絶された理由は、SMFが受信した識別情報が示す内容が許可されていないことを示す情報であってもよい。
【０３７２】
UEは、PDUセッション確立拒絶メッセージの受信に基づき、バックオフタイマーのカウントを開始してよい。ここで、UEが開始するバックオフタイマーはネットワークから受信したバックオフタイマー値を使用してもよいし、UEが記憶するタイマー値を使用してもよい。UEは、少なくともバックオフタイマーのカウントを実行している間、PDUセッション確立手続きを再度開始しなくてもよいし、停止してもよいし、禁止されていてもよい。
【０３７３】
さらに、UEは、PDUセッション確立拒絶メッセージの受信に基づき、保持している情報を削除してもよい。
【０３７４】
UEは、PDUセッション確立拒絶メッセージを受信することで、PDUセッション確立要求によるUEの要求が拒絶されたこと、及びPDUセッション確立拒絶メッセージに含まれる各種の識別情報の内容を認識することができる。
【０３７５】
各装置は、図7の(A)又は(B)の手続きの完了に基づいて、PDUセッション確立手続きを完了する。尚、各装置は、図7の(A)の手続きの完了に基づいて、PDUセッションが確立された状態に遷移してもよいし、図7の(B)の手続きの完了に基づいて、PDUセッション確立手続きが拒絶されたことを認識してもよいし、PDUセッションが確立されていない状態に遷移してもよい。さらに、UEは、図7の(A)の手続きが完了することで、確立したPDUセッションを用いて、DNと通信することができる。
【０３７６】
さらに、各装置は、PDUセッション確立手続きの完了に基づいて、PDUセッション確立手続きで送受信した情報に基づいた処理を実施してもよい。例えば、各装置は、UEの一部の要求が拒絶されたことを示す情報を送受信した場合、UEの要求が拒絶された理由を認識してもよい。さらに、各装置は、UEの要求が拒絶された理由に基づいて、再度本手続きを実施してもよいし、別のセルに対してPDUセッション確立手続きを実施してもよい。
【０３７７】
さらに、UEは、PDUセッション確立手続きの完了に基づいて、PDUセッション確立受諾メッセージ、及び/又はPDUセッション確立拒絶メッセージとともに受信した識別情報を記憶してもよいし、ネットワークの決定を認識してもよい。
【０３７８】
例えば、UEは、第51の識別情報を受信した場合、control plane CIoT 5GS optimizationのみが利用可能なPDUセッションの確立が受諾されたと認識してもよい。さらに、UEは、第52の識別情報を受信した場合、S-NSSAIに対応づけられたPDUセッションの確立が受諾されたと認識してもよい。
【０３７９】
また、UEは、第41の識別情報を含むPDUセッション確立要求メッセージの応答として、PDUセッション確立拒絶メッセージを受信した場合、control plane CIoT 5GS optimizationのみが利用可能なPDUセッションの確立が、拒絶されたことを認識してもよいし、不可能であることを認識してもよい。
【０３８０】
さらに、UEは、第42の識別情報を含むPDUセッション確立要求メッセージの応答として、PDUセッション確立拒絶メッセージを受信した場合、第42の識別情報が示すS-NSSAIに対応づけられたPDUセッションの確立が、拒絶されたことを認識してもよいし、不可能であることを認識してもよい。
【０３８１】
さらに、UEは、PDUセッション確立拒絶メッセージを受信した場合、第41の識別情報を含まないPDUセッション確立要求メッセージをネットワークに送信してもよいし、以前に送信した第42の識別情報が示すS-NSSAIとは異なるS-NSSAIを示す第42の識別情報を含むPDUセッション確立要求メッセージをネットワークに送信してもよい。
【０３８２】
さらに、UEは、ユーザプレーン無線ベアラを確立するための手続きの実行が可能なPDUセッションを確立した場合、前記PDUセッションのユーザプレーン無線ベアラを確立するために、サービス要求手続きを開始してもよい。
【０３８３】
さらに、UEは、第53の識別情報を受信した場合、第53の識別情報が示すSSC modeのPDUセッションが確立されることを認識してもよいし、確立されるPDUセッションに対応づけられたSSC modeを、認識してもよい。さらに、UEは、第53の識別情報を受信した場合、第53の識別情報が示すSSC modeを、確立されるPDUセッションのコンテキストに記憶してもよい。さらに、UEは、第53の識別情報を受信した場合、第43の識別情報で示されたSSC modeのPDUセッションの確立の要求が受諾されたことを認識してもよい。
【０３８４】
さらに、UEは、第53の識別情報を受信しなかった場合、確立されるPDUセッションにSSC modeが適応されないこと認識してもよい。さらに、UEは、第53の識別情報を受信した場合であっても、control plane CIoT 5GS optimizationが使用可能な場合、第53の識別情報を無視してもよいし、確立されるPDUセッションのコンテキストからSSC modeを削除してもよい。
【０３８５】
尚、UEは、control plane CIoT 5GS optimizationが使用可能な場合であっても、第53の識別情報で示されるSSC modeが、確立されるPDUセッションに対応づけられたSSC modeであることを認識してもよいし、第53の識別情報で示されるSSC modeを、確立されるPDUセッションのコンテキストに記憶してもよい。
【０３８６】
さらに、UEは、LADN DNNを受信した場合、LADNのためのPDUセッションが確立されることを認識してもよいし、確立されるPDUセッションをLADN DNNのためのPDUセッションと扱ってもよいLADN DNNを確立されるPDUセッションのコンテキストに記憶してもよいし、確立されるPDUセッションをLADN DNNのためのPDUセッションと扱ってもよい。
【０３８７】
さらに、UEは、複数のQoSルールが含まれた承認されたQoSルール群を受信した場合、確立されるPDUセッションにおいて、QoS処理が実行可能であることを認識してもよい。さらに、UEは、UEは、複数のQoSルールが含まれた承認されたQoSルール群を受信した場合、本手続きにおいて、複数のQoSフローが確立されることを認識してもよいし、複数のユーザプレーン無線ベアラが確立されることを認識してもよい。逆に、UEは、1つのQoSルールが含まれた承認されたQoSルール群を受信した場合、本手続きにおいて、1つのQoSフローが確立されることを認識してもよいし、1つのユーザプレーン無線ベアラが確立されることを認識してもよい。
【０３８８】
[3.2.3.UE設定更新手続き]
次に、UE設定更新手続き (Generic UE configuration update procedure)について、図8を用いて説明する。以下、UE設定更新手続きは本手続きとも称する。本手続きは、コアネットワークが、UEの設定情報を更新するための手続きである。本手続きは、ネットワークに登録されたUEに対してネットワークが主導して実行するモビリティマネジメントのための手続きであってよい。
【０３８９】
さらに、AMF等のコアネットワーク内の装置は、ネットワークの設定の更新、及び/又はオペレータポリシーの更新に基づいて本手続きを開始してもよい。尚、本手続きのトリガは、UEのモビリティの検出であってもよいし、UE、及び/又はアクセスネットワーク、及び/又はコアネットワークの状態変化の検出であってもよいし、ネットワークスライスの状態変化であってもよい。さらに、本手続きのトリガは、DN、及び/又はDNのアプリケーションサーバーからの要求の受信であってもよいし、ネットワークの設定の変化であってもよいし、オペレータポリシーの変化であってもよい。さらに、本手続きのトリガは、実行しているタイマーの満了であってもよい。尚、コアネットワーク内の装置が本手続きを開始するトリガはこれらに限らない。言い換えると、本手続きは、前述の登録手続き及び/又はPDUセッション確立手続きが完了した後の任意のタイミングで実行されてよい。さらに、本手続きは、各装置が5GMMコンテキストを確立した状態、及び/又は各装置が5GMM接続モードである状態であれば、任意のタイミングで実行されてよい。
【０３９０】
さらに、本手続きのトリガは、コントロールプレーンを介したユーザデータの通信の制限が必要になったことであってよい。より詳細には、本手続きのトリガは、ネットワークの輻輳によって、コントロールプレーンを介したユーザデータの通信の制限が必要になったことであってよい。
【０３９１】
逆に、本手続きのトリガは、コントロールプレーンを介したユーザデータの通信の制限が必要になくなったことであってよい。より詳細には、本手続きのトリガは、ネットワークが輻輳しなくなったことによって、コントロールプレーンを介したユーザデータの通信の制限が必要なくなったことであってよい。
【０３９２】
また、各装置は、本手続き中に、UEの設定情報を変更するための識別情報、及び/又はUEが実行している機能を停止又は変更するための識別情報を含んだメッセージを送受信してもよい。さらに、各装置は、本手続きの完了に基づいて、ネットワークが指示する設定に、設定情報を更新してもよいし、ネットワークが指示する挙動を開始してもよい。
【０３９３】
UEは、本手続きによって送受信される制御情報を基に、UEの設定情報を更新してもよい。さらに、UEは、UEの設定情報の更新に伴って、実行している機能を停止してもよいし、新たな機能を開始してもよい。言い換えると、コアネットワーク内の装置は、本手続きを主導すること、さらには本手続きの制御メッセージ及び制御情報をUEに送信することより、これらの制御情報を用いて識別可能なUEの設定情報を、UEに更新させてもよい。さらに、コアネットワーク内の装置は、UEの設定情報を更新させることで、UEが実行している機能を停止させてもよいし、UEに新たな機能を開始させてもよい。
【０３９４】
まず、AMFは、5G AN(又はgNB)を介してUEに、設定更新コマンド(Configuration update command) メッセージを送信することにより (S1000)、UE設定更新手続きを開始する。
【０３９５】
AMFは、登録受諾メッセージに少なくとも第61から69の識別情報、第121の識別情報、及び第122の識別情報の内、1つ以上の識別情報を含めて送信してもよい。尚、AMFは、これらの識別情報を送信することで、新しいUEの設定情報を示してもよいし、UEの設定情報の更新を要求してもよい。さらに、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０３９６】
AMFは、第61の識別情報を送信することで、新しいCIoT 5GS optimizationの情報を示してもよいし、UEが記憶しているCIoT 5GS optimizationの情報の無効化を示してもよい。さらに、AMFは、第61の識別情報を送信することで、現在使用しているCIoT 5GS optimizationの更新が必要であることを示してもよいし、現在使用しているCIoT 5GS optimizationの変更を要求してもよいし、変更後のCIoT 5GS optimizationを示してもよい。
【０３９７】
さらに、AMFは、第62の識別情報を送信することで、新しいcontrol plane CIoT 5GS optimizationのサポート情報を示してもよいし、UEが記憶しているcontrol plane CIoT 5GS optimizationのサポート情報の無効化を示してもよい。さらに、AMFは、第62の識別情報を送信することで、control plane CIoT 5GS optimizationのサポート情報の変更を要求してもよいし、変更後のcontrol plane CIoT 5GS optimizationのサポート情報を示してもよい。
【０３９８】
さらに、AMFは、第63の識別情報を送信することで、新しいuser plane CIoT 5GS optimizationのサポート情報を示してもよいし、UEが記憶しているuser plane CIoT 5GS optimizationのサポート情報の無効化を示してもよい。さらに、AMFは、第63の識別情報を送信することで、user plane CIoT 5GS optimizationのサポート情報の変更を要求してもよいし、変更後のuser plane CIoT 5GS optimizationのサポート情報を示してもよい。
【０３９９】
さらに、AMFは、第64の識別情報を送信することで、新しいユーザプレーンの通信路を用いたデータ通信のサポート情報を示してもよいし、UEが記憶しているユーザプレーンの通信路を用いたデータ通信のサポート情報の無効化を示してもよい。さらに、AMFは、第64の識別情報を送信することで、ユーザプレーンの通信路を用いたデータ通信のサポート情報の変更を要求してもよいし、変更後のユーザプレーンの通信路を用いたデータ通信のサポート情報を示してもよい。
【０４００】
さらに、UEは、第61の識別情報、及び/又は第62から64の識別情報の内1以上の識別情報を送信することで、現在使用しているCIoT 5GS optimizationの変更が必要であることを示してもよいし、現在使用しているCIoT 5GS optimizationを識別情報が示すCIoT 5GS optimizationに変更することを要求してもよい。
【０４０１】
具体的には、AMFは、第61の識別情報、及び/又は第62の識別情報を送信することで、現在使用しているCIoT 5GS optimizationをcontrol plane CIoT 5GS optimizationに変更することを要求してもよい。この場合、第61の識別情報は、control plane CIoT 5GS optimizationを示す情報であってよい。さらに、第62の識別情報は、control plane CIoT 5GS optimizationのサポートを示す情報であってよい。
【０４０２】
さらに、AMFは、第61の識別情報、及び/又は第63の識別情報、及び/又は第64の識別情報を送信することで、現在使用しているCIoT 5GS optimizationをuser plane CIoT 5GS optimizationに変更することを要求してもよい。この場合、第61の識別情報は、user plane CIoT 5GS optimizationを示す情報であってよい。さらに、第63の識別情報は、user plane CIoT 5GS optimizationのサポートを示す情報であってよい。さらに、第64の識別情報は、ユーザプレーンの通信路を用いたデータ通信のサポートを示す情報であってよい。
【０４０３】
さらに、AMFは、第65の識別情報を送信することで、新しいHeader compression for control plane CIoT 5GS optimizationのサポート情報を示してもよいし、UEが記憶しているHeader compression for control plane CIoT 5GS optimizationのサポート情報の無効化を示してもよい。さらに、AMFは、第65の識別情報を送信することで、Header compression for control plane CIoT 5GS optimizationのサポート情報の変更を要求してもよいし、変更後のHeader compression for control plane CIoT 5GS optimizationのサポート情報を示してもよい。
【０４０４】
さらに、AMFは、第66の識別情報を送信することで、新しいカバレッジ拡張の利用制限の情報を示してもよいし、UEが記憶しているカバレッジ拡張の利用制限の情報の無効化を示してもよい。さらに、AMFは、第66の識別情報を送信することで、カバレッジ拡張の利用制限の情報の変更を要求してもよいし、変更後のカバレッジ拡張の利用制限の情報を示してもよい。尚、カバレッジ拡張の利用制限の情報は、カバレッジ拡張の利用が制限されているか否かを示す情報であってもよいし、カバレッジ拡張の利用制限のサポート情報であってもよい。
【０４０５】
さらに、AMFは、第67の識別情報を送信することで、新しい5GMM-CONNECTED mode with RRC inactive indicationのサポート情報を示してもよいし、UEが記憶している5GMM-CONNECTED mode with RRC inactive indicationのサポート情報の無効化を示してもよい。さらに、AMFは、第67の識別情報を送信することで、5GMM-CONNECTED mode with RRC inactive indicationのサポート情報の変更を要求してもよいし、変更後の5GMM-CONNECTED mode with RRC inactive indicationのサポート情報を示してもよい。
【０４０６】
さらに、AMFは、第121の識別情報を送信することで、UEに、新しいバックオフタイマーCの値を示してもよいし、バックオフタイマーCの値が更新されることを示してもよい。さらに、AMFは、第121の識別情報を送信することで、UEに、第121の識別情報が示す値をバックオフタイマーCに設定するように指示してもよいし、第121の識別情報が示す値が設定されたバックオフタイマーCを開始するように指示してもよい。ここで、AMFは、UE上でバックオフタイマーCが実行されている場合、UEに、バックオフタイマーCを停止した後に、第121の識別情報が示す値が設定されたバックオフタイマーCを開始するように指示してもよい。
【０４０７】
逆に、AMFは、UE上でバックオフタイマーCが実行されている状態で、第121の識別情報を送信しないことで、UEに、実行されているバックオフタイマーCを停止するように指示してもよい。言い換えると、AMFは、UEに、実行されているバックオフタイマーCを停止するように指示するために、第121の識別情報が含まれていない設定更新コマンドメッセージを送信してもよい。
【０４０８】
尚、AMFは、UEがcontrol plane CIoT 5GS optimizationを使用している場合、及び/又はcontrol plane CIoT 5GS optimizationをサポートしている場合に、第121の識別情報を設定更新コマンドメッセージに含めてもよい。
【０４０９】
さらに、AMFは、第121の識別情報、及び/又は第122の識別情報を送信することで、UEに、新しいコントロールプレーンを介したユーザデータの通信の制限が適応される範囲を示してもよいし、コントロールプレーンを介したユーザデータの通信の制限が適応される範囲が更新されたことを示してもよい。言い換えると、AMFは、第121の識別情報、及び/又は第122の識別情報を送信することで、第121の識別情報が設定されたバックオフタイマーCが有効な範囲を示してもよいし、UE上で実行される第121の識別情報が設定されたバックオフタイマーCによる輻輳管理が有効な範囲を示してもよい。
【０４１０】
尚、AMFは、control plane CIoT 5GS optimizationを使用している場合、及び/又はcontrol plane CIoT 5GS optimizationをサポートしている場合に、第121の識別情報、及び/又は第122の識別情報を設定更新コマンドメッセージに含めてもよい。
【０４１１】
さらに、登録手続き等の手続きにおいて、UEがコントロールプレーンを介したユーザデータの通信の為のバックオフタイマーをサポートしていることを通知してきて、さらに、AMFがコントロールプレーンを介したユーザデータの通信の為の輻輳管理を有効化することを決定した場合、AMFは、第121の識別情報、及び/又は第122の識別情報を設定更新コマンドメッセージに含めてもよい。言い換えると、AMFは、登録手続き等の手続きにおいて、UEから第101の識別情報を受信し、バックオフタイマーCを用いた輻輳管理を有効化する場合、第121の識別情報、及び/又は第122の識別情報を設定更新コマンドメッセージに含めてもよい。この場合、第101の識別情報は、コントロールプレーンを介したユーザデータの通信の為のバックオフタイマーのサポートを示す情報であってよい。
【０４１２】
さらに、AMFは、第121の識別情報、及び/又は第122の識別情報を設定更新コマンドメッセージに含めた場合、バックオフタイマーCが実行される時間をUE毎に記憶してもよい。さらに、AMFは、第121の識別情報、及び/又は第122の識別情報を設定更新コマンドメッセージに含めた場合、バックオフタイマーCが有効な範囲をUE毎に記憶してもよい。
【０４１３】
逆に、AMFがコントロールプレーンを介したユーザデータの通信の為の輻輳管理を有効化することを決定した場合、AMFは、第121の識別情報、及び/又は第122の識別情報を設定更新コマンドメッセージに含めなくてよい。言い換えると、AMFは、バックオフタイマーCを用いた輻輳管理を無効化する場合、第121の識別情報、及び/又は第122の識別情報を設定更新コマンドメッセージに含めなくてよい。
【０４１４】
さらに、AMFは、第121の識別情報、及び/又は第122の識別情報を設定更新コマンドメッセージに含めなかった場合、UE毎に記憶しているバックオフタイマーCが実行される時間を解放してもよい。さらに、AMFは、第121の識別情報、及び/又は第122の識別情報を設定更新コマンドメッセージに含めた場合、UE毎に記憶しているバックオフタイマーCが有効な範囲を解放してもよい。
【０４１５】
さらに、AMFは、第69の識別情報を送信することで、レジストレーション手続きの実行が必要であることを示してもよい。さらに、AMFは、第61から67の識別情報、第121の識別情報、及び第122の識別情報の内の1つ以上の識別情報に加え、さらに、第69の識別情報を送信することで、レジストレーション手続きの実行を要求してもよいし、各情報の再交渉が必要であることを示してもよい。さらに、AMFは、第61から67の識別情報、第121の識別情報、及び第122の識別情報の内の1つ以上の識別情報を設定更新コマンドメッセージに含める場合に、第69の識別情報も設定更新コマンドメッセージに含めて送信してもよい。
【０４１６】
尚、AMFは、第61から69の識別情報、第121の識別情報、及び第122の識別情報の内、どの識別情報を設定更新コマンドメッセージに含めるかを、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、選択、決定してもよい。
【０４１７】
また、AMFは、受信した各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、設定更新コマンドメッセージを送信することで、UEの設定情報の更新の要求を示してもよい。
【０４１８】
UEは、5G AN(gNB)介して、設定更新コマンドメッセージを受信する(S1000)。UEは、設定更新コマンドメッセージ、及び/又は設定更新コマンドメッセージに含まれる識別情報に基づいて、UEの設定情報を更新してもよい。さらに、UEは、設定更新コマンドメッセージに含まれる識別情報に基づいて、設定更新コマンドメッセージに対する応答メッセージとして、設定更新完了(Configuration update complete)メッセージを、5G AN(gNB)介して、AMFに送信してもよい(S1002)。
【０４１９】
AMFは、UEが設定更新コマンドメッセージを送信した場合、5G AN(gNB)介して、設定更新完了メッセージを受信する(S810)。また、各装置は、設定更新コマンドメッセージ、及び/又は設定更新完了メッセージの送受信に基づき、本手続きを完了する。
【０４２０】
なお、上記に示すUEが各識別情報の受信に基づき実行する各処理は、本手続き中、又は本手続き完了後に実行されてもよいし、本手続き完了後に、本手続き完了に基づき実行されてもよい。  さらに、UEは、設定更新コマンドメッセージに含まれる識別情報に基づいて、設定更新コマンドメッセージに対する応答メッセージとして、設定更新完了(Configuration update complete)メッセージを、5G AN(gNB)を介して、AMFに送信してもよい(S1002)。
【０４２１】
AMFは、UEが設定更新完了コマンドメッセージを送信した場合、5G AN(gNB)を介して、設定更新完了メッセージを受信する(S1002)。また、各装置は、設定更新コマンドメッセージ、及び/又は設定更新完了メッセージの送受信に基づき、本手続きを完了する。
【０４２２】
さらに、各装置は、本手続きの完了に基づいて、本手続きで送受信した情報に基づいた処理を実施してもよい。例えば、設定情報に対する更新情報を送受信した場合、各装置は、設定情報を更新してもよい。さらに、登録手続きの実行が必要であることを示す情報を送受信した場合、UEは、本手続きの完了に基づいて、登録手続きを開始してもよい。
【０４２３】
さらに、UEは、本手続きの完了に基づいて、設定情報コマンドメッセージとともに受信した識別情報を記憶してもよいし、ネットワークの決定を認識してもよい。
【０４２４】
例えば、UEは、第61の識別情報を受信することで、第61の識別情報が示す情報が、新しいCIoT 5GS optimizationの情報であることを認識してもよいし、新しいCIoT 5GS optimizationの情報が有効であることを認識してもよい。さらに、UEは、第61の識別情報を受信することで、新しいCIoT 5GS optimizationの情報を記憶してもよいし、記憶していたCIoT 5GS optimizationの情報が無効であると認識してもよい。尚、CIoT 5GS optimizationの情報は、使用しているCIoT 5GS optimizationを示す情報であってよい。さらに、UEは、第61の識別情報を受信することで、新しいCIoT 5GS optimizationの情報を有効化してもよいし、記憶していたCIoT 5GS optimizationの情報を無効化してもよい。
【０４２５】
さらに、UEは、第62の識別情報を受信することで、第62の識別情報が示す情報が、新しいcontrol plane CIoT 5GS optimizationのサポート情報であることを認識してもよいし、新しいcontrol plane CIoT 5GS optimizationのサポート情報が有効であることを認識してもよい。さらに、UEは、第62の識別情報を受信することで、新しいcontrol plane CIoT 5GS optimizationのサポート情報を記憶してもよいし、記憶していたcontrol plane CIoT 5GS optimizationのサポート情報が無効であると認識してもよい。さらに、UEは、第62の識別情報を受信することで、新しいcontrol plane CIoT 5GS optimizationのサポート情報を有効化してもよいし、記憶していたcontrol plane CIoT 5GS optimizationのサポート情報を無効化してもよい。
【０４２６】
さらに、UEは、第63の識別情報を受信することで、第63の識別情報が示す情報が、新しいuser plane CIoT 5GS optimizationのサポート情報であることを認識してもよいし、新しいuser plane CIoT 5GS optimizationのサポート情報が有効であることを認識してもよい。さらに、UEは、第63の識別情報を受信することで、新しいuser plane CIoT 5GS optimizationのサポート情報を記憶してもよいし、記憶していたuser plane CIoT 5GS optimizationのサポート情報が無効であると認識してもよい。さらに、UEは、第63の識別情報を受信することで、新しいuser plane CIoT 5GS optimizationのサポート情報を有効化してもよいし、記憶していたuser plane CIoT 5GS optimizationのサポート情報を無効化してもよい。
【０４２７】
さらに、UEは、第64の識別情報を受信することで、第64の識別情報が示す情報が、新しいユーザプレーンの通信路を用いたデータ通信のサポート情報であることを認識してもよいし、新しいユーザプレーンの通信路を用いたデータ通信のサポート情報が有効であることを認識してもよい。さらに、UEは、第64の識別情報を受信することで、新しいユーザプレーンの通信路を用いたデータ通信のサポート情報を記憶してもよいし、記憶していたユーザプレーンの通信路を用いたデータ通信のサポート情報が無効であると認識してもよい。さらに、UEは、第64の識別情報を受信することで、新しいユーザプレーンの通信路を用いたデータ通信のサポート情報を有効化してもよいし、記憶していたユーザプレーンの通信路を用いたデータ通信のサポート情報を無効化してもよい。
【０４２８】
さらに、UEは、第61の識別情報、及び/又は第62から64の識別情報の内1以上の識別情報を受信することで、現在使用しているCIoT 5GS optimizationの変更が必要であることを認識してもよいし、現在使用しているCIoT 5GS optimizationを受信した識別情報が示すCIoT 5GS optimizationに変更してもよい。
【０４２９】
具体的には、UEは、第61の識別情報、及び/又は第62の識別情報を受信することで、現在使用しているCIoT 5GS optimizationをcontrol plane CIoT 5GS optimizationに変更してもよい。この場合、第61の識別情報は、control plane CIoT 5GS optimizationを示す情報であってよい。さらに、第62の識別情報は、control plane CIoT 5GS optimizationのサポートを示す情報であってよい。
【０４３０】
さらに、UEは、第61の識別情報、及び/又は第63の識別情報、及び/又は第64の識別情報を受信することで、現在使用しているCIoT 5GS optimizationをuser plane CIoT 5GS optimizationに変更してもよい。この場合、第61の識別情報は、user plane CIoT 5GS optimizationを示す情報であってよい。さらに、第63の識別情報は、user plane CIoT 5GS optimizationのサポートを示す情報であってよい。さらに、第64の識別情報は、ユーザプレーンの通信路を用いたデータ通信のサポートを示す情報であってよい。
【０４３１】
さらに、UEは、第65の識別情報を受信することで、第65の識別情報が示す情報が、新しいHeader compression for control plane CIoT 5GS optimizationのサポート情報であることを認識してもよいし、新しいHeader compression for control plane CIoT 5GS optimizationのサポート情報が有効であることを認識してもよい。さらに、UEは、第65の識別情報を受信することで、新しいHeader compression for control plane CIoT 5GS optimizationのサポート情報を記憶してもよいし、記憶していたHeader compression for control plane CIoT 5GS optimizationのサポート情報が無効であると認識してもよい。さらに、UEは、UEは、第65の識別情報を受信することで、新しいHeader compression for control plane CIoT 5GS optimizationのサポート情報を有効化してもよいし、記憶していたHeader compression for control plane CIoT 5GS optimizationのサポート情報を無効化してもよい。
【０４３２】
さらに、UEは、第66の識別情報を受信することで、第66の識別情報が示す情報が、新しいカバレッジ拡張の利用制限の情報であることを認識してもよいし、新しいカバレッジ拡張の利用制限の情報が有効であることを認識してもよい。さらに、UEは、第66の識別情報を受信することで、新しいカバレッジ拡張の利用制限の情報を記憶してもよいし、記憶していたカバレッジ拡張の利用制限の情報が無効であると認識してもよい。さらに、UEは、UEは、第66の識別情報を受信することで、新しいカバレッジ拡張の利用制限の情報を有効化してもよいし、記憶していたカバレッジ拡張の利用制限の情報を無効化してもよい。
【０４３３】
尚、カバレッジ拡張の利用制限の情報は、カバレッジ拡張の利用が制限されているか否かを示す情報であってもよいし、カバレッジ拡張の利用制限のサポート情報であってもよい。つまり、UEは、第66の識別情報を受信することで、第66の識別情報に基づいて、カバレッジ拡張の利用が制限されている状態に遷移してもよいし、カバレッジ拡張の利用が制限されていない状態に遷移してもよい。
【０４３４】
さらに、UEは、第67の識別情報を受信することで、第67の識別情報が示す情報が、新しい5GMM-CONNECTED mode with RRC inactive indicationのサポート情報であることを認識してもよいし、新しい5GMM-CONNECTED mode with RRC inactive indicationのサポート情報が有効であることを認識してもよい。さらに、UEは、第67の識別情報を受信することで、新しい5GMM-CONNECTED mode with RRC inactive indicationのサポート情報を記憶してもよいし、記憶していた5GMM-CONNECTED mode with RRC inactive indicationのサポート情報が無効であると認識してもよい。さらに、UEは、UEは、第67の識別情報を受信することで、新しい5GMM-CONNECTED mode with RRC inactive indicationのサポート情報を有効化してもよいし、記憶していた5GMM-CONNECTED mode with RRC inactive indicationのサポート情報を無効化してもよい。
【０４３５】
さらに、UEは、第121の識別情報を受信した場合、第121の識別情報が示す値を新しいバックオフタイマーCの値として認識してもよいし、バックオフタイマーCの値が更新されたことを認識してもよい。
【０４３６】
さらに、UEは、第121の識別情報を受信した場合、第121の識別情報が示す値をバックオフタイマーCに設定してもよいし、第121の識別情報が示す値が設定されたバックオフタイマーCを開始してもよい。ここで、UEは、バックオフタイマーCが実行されている場合、バックオフタイマーCを停止した後に、第121の識別情報が示す値が設定されたバックオフタイマーCを開始してもよい。
【０４３７】
逆に、UEは、バックオフタイマーCが実行されている状態で、第121の識別情報を受信しなかった場合、実行されているバックオフタイマーCを停止してもよい。
【０４３８】
尚、UEは、control plane CIoT 5GS optimizationを使用している場合に、前述した第121の識別情報を受信した場合の処理を行ってもよい。逆に、UEは、control plane CIoT 5GS optimizationを使用していない場合、受信した第121の識別情報を無視してもよい。
【０４３９】
さらに、UEは、第121の識別情報、及び/又は第122の識別情報を受信した場合、コントロールプレーンを介したユーザデータの通信の制限が適応される範囲を認識してもよい。言い換えると、UEは、第121の識別情報、及び/又は第122の識別情報を受信した場合、第121の識別情報が設定されたバックオフタイマーCが有効な範囲を認識してもよいし、第121の識別情報が設定されたバックオフタイマーCによる輻輳管理が有効な範囲を認識してもよい。
【０４４０】
尚、UEは、control plane CIoT 5GS optimizationを使用している場合に、前述した第121の識別情報、及び/又は第122の識別情報を受信した場合の処理を行ってもよい。逆に、UEは、control plane CIoT 5GS optimizationを使用していない場合、受信した第121の識別情報、及び/又は第122の識別情報を無視してもよい。
【０４４１】
さらに、UEは、第69の識別情報を受信することで、レジストレーション手続きの実行が必要であることを認識してもよい。さらに、UEは、第61から67の識別情報、第121の識別情報、及び第122の識別情報の内の1つ以上の識別情報に加え、さらに、第69の識別情報を受信することで、本手続きの完了後に、レジストレーション手続きを開始してもよいし、レジストレーション手続きを実行することで、UEとネットワークとの間で各情報を再交渉してもよい。さらに、UEは、第61から67の識別情報、第121の識別情報、及び第122の識別情報の内の1つ以上の識別情報に加え、さらに、第69の識別情報を受信することで、設定更新完了メッセージをAMFに送信してもよいし、
以上の手続きにおいて、ネットワーク主導のセッションマネジメント要求メッセージの送受信により、コアネットワーク内の装置は、UEに対して、UEが既に適用している設定情報の更新を指示することができるし、UEが実行している機能の停止又は変更を指示することができる。
【０４４２】
[3.2.4.サービス要求手続き]
まず、サービス要求手続き (Service request procedure) について、図9を用いて説明する。サービス要求手続きは、5GSにおける手続きである。以下、本手続きとはサービス要求手続きを指す。サービス要求手続きは、UEが主導して実行される手続きある、サービス要求手続きは、UEの状態をアイドルモードからコネクテッドモードに遷移するための手続きであってもよい。さらに、サービス要求手続きは、これらに限らず、任意のタイミングで実行可能な手続きであってよい。また、各装置(特にUEとAMF)は、サービス要求手続きの完了に基づいて、コネクテッドモードに遷移することができる。
【０４４３】
さらに、サービス要求手続きは、コントロールプレーンを介したユーザデータの通信を実現するための手続きであってもよい。より詳細には、サービス要求手続きは、UEがアイドルモードの場合において、コントロールプレーンを介したユーザデータの通信を実現するための手続きであってもよい。
【０４４４】
UEは、UEは、実行しているタイマーが満了した際に本手続きを開始してもよい。さらに、UEは、PDUセッションの切断や無効化が原因で各装置のコンテキストの更新が必要な際にサービス要求手続きを開始してもよい。さらに、UEは、UEのPDUセッション確立に関する、能力情報、及び/又はプリファレンスに変化が生じた場合、サービス要求手続きを開始してもよい。さらに、UEは、コントロールプレーンを介したユーザデータの通信を開始する為に、サービス要求手続きを開始してもよい。さらに、UEは、ページング (Paging)や通知(Notification)メッセージの受信に基づいてサービス要求手続きを開始してもよい。尚、UEは、これらに限らず、登録受諾メッセージを受信し、登録手続きを完了している状態であれば、任意のタイミングでサービス要求手続きを実行することができる。
【０４４５】
まず、UEは、AMFにサービス要求 (Service request) メッセージを送信する(S700)。なお、サービス要求メッセージはN1インターフェース上で送受信されるNASメッセージであるが、UEと5G AN(gNB)間はRRCメッセージに含まれて送受信される。
【０４４６】
ここで、UEは、ユーザデータをサービス要求メッセージに含めて送信してもよい。より詳細には、UEは、ユーザデータを含むSMメッセージをサービス要求メッセージに含めて送信してもよい。ここで、前記SMメッセージは、コントロールプレーンを介したユーザデータの通信に用いられるメッセージであってよい。さらに、前記SMメッセージは、5GSMデータトランスポート (5GSM DATA TRANSPORT) メッセージであってもよい。さらに、この場合、サービス要求メッセージは、コントロールプレーンサービス要求 (Control plane service request)メッセージであってもよい。
【０４４７】
AMFはサービス要求メッセージを受信する。AMFは、サービス要求メッセージの受信に基づいて、第1の処理を実行する(S702)。AMFは第1の処理において、UEのサービス要求を受諾するか否かを決定する。AMFは、第1の処理において、UEのサービス要求を受諾する場合、図7の(A)の手続きを実行する。一方、AMFは、第1の処理において、UEのサービス要求を拒絶する場合、図7の(B)の手続きを実行する。第1の処理による、UEからのサービス要求を受諾するか否かの決定方法は、サービス要求メッセージの受信、及び/又はサービス要求メッセージに含まれる各識別情報、及び/又は加入者情報、及び/又はネットワークの能力情報、及び/又はオペレータポリシー、及び/又はネットワークの状態、及び/又はユーザの登録情報、及び/又はAMFが保持するコンテキスト等に基づいて、決定されてよい。
【０４４８】
例えば、AMFは、コントロールプレーンを介したユーザデータの通信の要求を許可する場合、UEのサービス要求を受諾してもよい。逆に、AMFは、コントロールプレーンを介したユーザデータの通信の要求を許可しない場合、UEのサービス要求を拒絶してもよい。
【０４４９】
まず、AMFがUEのサービス要求を受諾する場合について説明する。AMFは、サービス要求メッセージを受信及び/又は第1の処理に基づき、UEにサービス受諾メッセージを送信する(S704)。
【０４５０】
次に、AMFがUEのサービス要求を拒絶する場合について説明する。AMFは、サービス要求メッセージを受信及び/又は第1の処理に基づき、UEにサービス拒絶メッセージを送信する(S706)。
【０４５１】
ここで、AMFは、サービス受諾メッセージ、及び/又はサービス拒絶メッセージに第111の識別情報、及び/又は第112の識別情報を含めて送信してもよい。さらに、AMFは、サービス拒絶メッセージに、サービス要求が拒絶された理由を示す理由値を含めてもよい。尚、AMFは、これらの識別情報を送信することで、サービス要求手続きの結果を示してもよい。さらに、これらの識別情報の2以上の識別情報は、1以上の識別情報として構成されてもよい。尚、各機能のサポートを示す情報と、各機能の使用の要求を示す情報は、同じ識別情報と送受信されてもよいし、異なる識別情報として送受信されてもよい。
【０４５２】
AMFは、第111の識別情報を送信することで、UEに、バックオフタイマーCの値を示してもよい。さらに、AMFは、第111の識別情報を送信することで、UEに、第111の識別情報が示す値をバックオフタイマーCに設定するように指示してもよいし、第111の識別情報が示す値が設定されたバックオフタイマーCを開始するように指示してもよい。ここで、AMFは、UE上でバックオフタイマーCが実行されている場合、UEに、バックオフタイマーCを停止した後に、第111の識別情報が示す値が設定されたバックオフタイマーCを開始するように指示してもよい。
【０４５３】
逆に、AMFは、UE上でバックオフタイマーCが実行されている状態で、第111の識別情報を送信しないことで、UEに、実行されているバックオフタイマーCを停止するように指示してもよい。より詳細には、AMFは、UEがアイドルモードで本手続きを開始した場合、第111の識別情報を送信しないことで、UEに、実行されているバックオフタイマーCを停止するように指示してもよい。言い換えると、AMFは、UEに、実行されているバックオフタイマーCを停止するように指示するために、第111の識別情報が含まれていないサービス受諾メッセージを送信してもよい。
【０４５４】
尚、AMFは、UEがcontrol plane CIoT 5GS optimizationを使用している場合、及び/又はcontrol plane CIoT 5GS optimizationをサポートしている場合に、第111の識別情報をサービス受諾メッセージ、及び/又はサービス拒絶メッセージに含めてもよい。
【０４５５】
さらに、AMFは、第111の識別情報、及び/又は第112の識別情報を送信することで、UEに、コントロールプレーンを介したユーザデータの通信の制限が適応される範囲を示してもよい。言い換えると、AMFは、第111の識別情報、及び/又は第112の識別情報を送信することで、第111の識別情報が設定されたバックオフタイマーCが有効な範囲を示してもよいし、UE上で実行される第111の識別情報が設定されたバックオフタイマーCによる輻輳管理が有効な範囲を示してもよい。
【０４５６】
尚、AMFは、control plane CIoT 5GS optimizationを使用している場合、及び/又はcontrol plane CIoT 5GS optimizationをサポートしている場合に、第111の識別情報、及び/又は第112の識別情報をサービス受諾メッセージ、及び/又はサービス拒絶メッセージに含めてもよい。
【０４５７】
さらに、登録手続き等の手続きにおいて、UEがコントロールプレーンを介したユーザデータの通信の為のバックオフタイマーをサポートしていることを通知してきて、さらに、AMFがコントロールプレーンを介したユーザデータの通信の為の輻輳管理を有効化することを決定した場合、AMFは、第111の識別情報、及び/又は第112の識別情報をサービス受諾メッセージ、及び/又はサービス拒絶メッセージに含めてもよい。言い換えると、AMFは、登録手続き等の手続きにおいて、UEから第101の識別情報を受信し、バックオフタイマーCを用いた輻輳管理を有効化する場合、第111の識別情報、及び/又は第112の識別情報をサービス受諾メッセージ、及び/又はサービス拒絶メッセージに含めてもよい。この場合、第101の識別情報は、コントロールプレーンを介したユーザデータの通信の為のバックオフタイマーのサポートを示す情報であってよい。
【０４５８】
さらに、AMFは、第111の識別情報、及び/又は第112の識別情報をサービス受諾メッセージ、及び/又はサービス拒絶メッセージに含めた場合、バックオフタイマーCが実行される時間をUE毎に記憶してもよい。さらに、AMFは、第111の識別情報、及び/又は第112の識別情報をサービス受諾メッセージ、及び/又はサービス拒絶メッセージに含めた場合、バックオフタイマーCが有効な範囲をUE毎に記憶してもよい。
【０４５９】
逆に、AMFがコントロールプレーンを介したユーザデータの通信の為の輻輳管理を有効化することを決定した場合、AMFは、第111の識別情報、及び/又は第112の識別情報をサービス受諾メッセージに含めなくてよい。言い換えると、AMFは、バックオフタイマーCを用いた輻輳管理を無効化する場合、第111の識別情報、及び/又は第112の識別情報をサービス受諾メッセージに含めなくてよい。
【０４６０】
さらに、AMFは、第121の識別情報、及び/又は第122の識別情報をサービス受諾メッセージに含めなかった場合、UE毎に記憶しているバックオフタイマーCが実行される時間を解放してもよい。さらに、AMFは、第121の識別情報、及び/又は第122の識別情報をサービス受諾メッセージに含めた場合、UE毎に記憶しているバックオフタイマーCが有効な範囲を解放してもよい。
【０４６１】
さらに、AMFは、サービス受諾メッセージを送信することで、コントロールプレーンを介したユーザデータの通信が成功したことを示してもよい。逆に、AMFは、サービス拒絶メッセージを送信することで、コントロールプレーンを介したユーザデータの通信が成功しなかったことを示してもよい。
【０４６２】
各装置は、図7の(A)又は(B)の手続きの完了に基づいて、サービス要求手続きを完了する。尚、各装置は、図7の(A)の手続きの完了に基づいて、アイドルモードからコネクテッドモードに遷移してよい。または、各装置は、図7の(B)の手続きの完了に基づいて、アイドルモードを維持してもよい。
【０４６３】
さらに、各装置は、サービス手続きの完了に基づいて、サービス要求手続きで送受信した情報に基づいた処理を実施してもよい。さらに、各装置は、UEの要求が拒絶された理由に基づいて、再度本手続きを実施してもよいし、コアネットワーク_Aや別のセルに対して登録手続きを実施してもよい。
【０４６４】
さらに、UEは、サービス手続きの完了に基づいて、サービス受諾メッセージ、及び/又はサービス拒絶メッセージとともに受信した識別情報を記憶してもよいし、ネットワークの決定を認識してもよい。
【０４６５】
例えば、UEは、サービス受諾メッセージを受信することで、コントロールプレーンを介したユーザデータの通信が成功したことを認識してもよい。逆に、AMFは、サービス拒絶メッセージを受信することで、コントロールプレーンを介したユーザデータの通信が成功しなかったことを認識してもよい。
【０４６６】
さらに、UEは、第111の識別情報を受信した場合、第111の識別情報が示す値をバックオフタイマーCの値として認識してもよい。さらに、UEは、第111の識別情報を受信した場合、第111の識別情報が示す値をバックオフタイマーCに設定してもよいし、第111の識別情報が示す値が設定されたバックオフタイマーCを開始してもよい。ここで、UEは、バックオフタイマーCが実行されている場合、バックオフタイマーCを停止した後に、第111の識別情報が示す値が設定されたバックオフタイマーCを開始してもよい。
【０４６７】
言い換えると、UEは、第111の識別情報を受信した場合、バックオフタイマーCを開始してもよい。ここで、UEは、バックオフタイマーCが実行されている場合、バックオフタイマーCを停止した後に、バックオフタイマーCを開始してもよい。尚、前記バックオフタイマーCには、第111の識別情報が示す値が設定されてもよいし、第111の識別情報が示す値以外の値が設定されてもよい。
【０４６８】
逆に、UEは、バックオフタイマーCが実行されている状態で、第111の識別情報を受信しなかった場合、実行されているバックオフタイマーCを停止してもよい。より詳細には、UEは、アイドルモードで本手続きを開始し、第111の識別情報を受信しなかった場合、実行されているバックオフタイマーCを停止してもよい。
【０４６９】
尚、UEは、control plane CIoT 5GS optimizationを使用している場合に、前述した第111の識別情報を受信した場合の処理を行ってもよい。逆に、UEは、control plane CIoT 5GS optimizationを使用していない場合、受信した第111の識別情報を無視してもよい。
【０４７０】
さらに、UEは、第111の識別情報、及び/又は第112の識別情報を受信した場合、コントロールプレーンを介したユーザデータの通信の制限が適応される範囲を認識してもよい。言い換えると、UEは、第111の識別情報、及び/又は第112の識別情報を受信した場合、第111の識別情報が設定されたバックオフタイマーCが有効な範囲を認識してもよいし、第111の識別情報が設定されたバックオフタイマーCによる輻輳管理が有効な範囲を認識してもよい。
【０４７１】
尚、UEは、control plane CIoT 5GS optimizationを使用している場合に、前述した第111の識別情報、及び/又は第112の識別情報を受信した場合の処理を行ってもよい。逆に、UEは、control plane CIoT 5GS optimizationを使用していない場合、受信した第111の識別情報、及び/又は第112の識別情報を無視してもよい。
【０４７２】
[4. 第1の実施形態]
次に、第1の実施形態について説明する。以下、第1の実施形態を、本実施形態と称する。さらに、本実施形態の通信手続きを、本手続きと称する。
【０４７３】
本実施形態の通信手続きでは、UEは、登録手続きを行い、登録状態に遷移する。尚、UEは、登録手続きの完了後、PDUセッション確立手続きを行うことにより、PDUセッションを確立し、DNとの間で、PDUセッションを用いた通信を行うことができる状態へ遷移してもよい。
【０４７４】
次に、UEは、コアネットワークが開始したUE設定更新手続きにより、UEの設定情報を更新する。尚、UEは、UE設定更新手続きの完了後に、再度、登録手続きを開始してもよい。さらに、各装置は、UE設定更新手続きにおいて、使用している機能を変更してもよい。
【０４７５】
さらに、UEは、一定期間の後に、アイドルモードに遷移する。さらに、UEは、アイドルモードに遷移した後に、サービス要求手続きを実行し、コネクテッドモードに遷移してもよい。以上により、本手続きは完了する。
【０４７６】
さらに、本手続きでは、各装置は、登録手続きにおいて、UEとネットワークとの間で、CIoT 5GS optimizationのサポート情報、及び/又はCIoT 5GS optimizationの優先情報を交換してよいし、使用するCIoT 5GS optimizationを交渉してもよい。さらに、本手続きでは、各装置は、登録手続きにおいて、UEとネットワークとの間で、カバレッジ拡張の利用制限の情報を交換してよいし、カバレッジ拡張の利用制限の有無を交渉してもよい。
【０４７７】
さらに、各装置は、PDUセッション確立手続きにおいて、登録手続きで交換した情報を基に、UEとネットワークとの間で、CIoT 5GS optimizationがサポートされたPDUセッションを確立してもよい。尚、CIoT 5GS optimizationがサポートされたPDUセッションは、control plane CIoT 5GS optimizationが使用可能なPDUセッションであってよく、user plane CIoT 5GS optimizationが使用可能なPDUセッションであってもよい。さらに、CIoT 5GS optimizationがサポートされたPDUセッションは、Header compression for control plane CIoT 5GS optimizationが使用可能なPDUセッションであってもよい。
【０４７８】
さらに、各装置は、UE設定更新手続きにおいて、UEが記憶しているCIoT 5GS optimizationのサポート情報、及び/又はCIoT 5GS optimizationの優先情報を更新してもよいし、使用するCIoT 5GS optimizationを変更してもよい。さらに、各装置は、UE設定更新手続きにおいて、UEが記憶しているカバレッジ拡張の利用制限の情報を更新してもよいし、カバレッジ拡張の利用制限の有無を変更してもよい。尚、使用するCIoT 5GS optimization、及び/又はカバレッジ拡張の利用制限の変更は、UE設定更新手続き完了後に実行される登録手続きにおいて、実施されてもよい。さらに、使用するCIoT 5GS optimization、及び/又はカバレッジ拡張の利用制限の変更を、UE設定更新手続きで実施するか、UE設定更新手続き完了後に実行される登録手続きで実施するかは、送受信される識別情報によって決定されてもよい。
【０４７９】
さらに、UEは、登録手続き、及び/又はサービス要求手続き、及び/又はUE設定更新手続きにおいて、バックオフタイマーCの状態を変更してもよい。言い換えると、各装置は、登録手続き、及び/又はサービス要求手続き、及び/又はUE設定更新手続きにおいて、UEに、バックオフタイマーCの状態を変更させてもよい。
【０４８０】
詳細には、UEは、UE設定更新手続きにおいて、バックオフタイマーCを実行している状態で、バックオフタイマーCの値を含まない設定更新コマンドメッセージを受信した場合、実行しているバックオフタイマーCを停止してもよい。言い換えると、UEは、UE設定更新手続きにおいて、コントロールプレーンを介したユーザデータの通信が制限されている状態で、バックオフタイマーCの値を含まない設定更新コマンドメッセージを受信した場合、コントロールプレーンを介したユーザデータの通信の制限を解除してもよい。
【０４８１】
逆に、UEは、UE設定更新手続きにおいて、バックオフタイマーCを実行していない状態で、バックオフタイマーCの値を含む設定更新コマンドメッセージを受信した場合、バックオフタイマーCを開始してもよい。より詳細には、UEは、UE設定更新手続きにおいて、バックオフタイマーCを実行していない状態で、バックオフタイマーCの値を含む設定更新コマンドメッセージを受信した場合、受信したバックオフタイマーCの値をバックオフタイマーCに設定してもよいし、受信したバックオフタイマーCの値が設定されたバックオフタイマーCを開始してもよい。言い換えると、UEは、UE設定更新手続きにおいて、コントロールプレーンを介したユーザデータの通信が制限されていない状態で、バックオフタイマーCの値を含まない設定更新コマンドメッセージを受信した場合、コントロールプレーンを介したユーザデータの通信の制限を開始してもよい。
【０４８２】
また、コアネットワークは、UE設定更新手続きにおいて、バックオフタイマーCの値を含まない設定更新コマンドメッセージを送信することで、UEに、実行しているバックオフタイマーCを停止するように指示してもよい。言い換えると、コアネットワークは、UE設定更新手続きにおいて、コントロールプレーンを介したユーザデータの通信が制限されている状態で、バックオフタイマーCの値を含まない設定更新コマンドメッセージを送信することで、コントロールプレーンを介したユーザデータの通信の制限が解除されたことを示してもよい。
【０４８３】
逆に、コアネットワークは、UE設定更新手続きにおいて、バックオフタイマーCの値を含む設定更新コマンドメッセージを送信することで、UEに、バックオフタイマーCを開始するように指示してもよい。言い換えると、コアネットワークは、UE設定更新手続きにおいて、バックオフタイマーCの値を含まない設定更新コマンドメッセージを送信することで、コントロールプレーンを介したユーザデータの通信が制限されたことを示してもよいし、コントロールプレーンを介したユーザデータの通信の制限が継続されていることを示してもよい。
【０４８４】
ここで、UEは、control plane CIoT 5GS optimizationを使用している場合、コントロールプレーンを介したユーザデータの通信が許可されていてよい。言い換えると、UEは、control plane CIoT 5GS optimizationを使用している場合、コントロールプレーンを介したユーザデータの通信を開始することが許可されていてよい。
【０４８５】
尚、UEは、control plane CIoT 5GS optimizationを使用している場合であっても、以下の場合、コントロールプレーンを介したユーザデータの通信を開始することが禁止されていてもよいし、コントロールプレーンを介したユーザデータの通信を開始することが禁止されていてもよい。具体的には、UEは、バックオフタイマーCが実行中の間、コントロールプレーンを介したユーザデータの通信は禁止されていてよい。言い換えると、UEは、バックオフタイマーCが実行中の間、コントロールプレーンを介したユーザデータの通信を開始することが禁止されていてもよい。より詳細には、UEは、UEがアイドルモードで、バックオフタイマーCが実行中の間、コントロールプレーンを介したユーザデータの通信を開始することが禁止されていてもよい。
【０４８６】
さらに、UEは、非登録状態への遷移に基づいて、バックオフタイマーCを停止してもよい。さらに、UEは、バックオフタイマーCを開始したPLMNとは異なるPLMNへの移動に基づいて、バックオフタイマーCを停止してもよい。さらに、UEは、バックオフタイマーCの実行中に電源が切られた場合にも、バックオフタイマーCを停止してもよい。
【０４８７】
また、ネットワークは、記憶しているバックオフタイマーCが実行される時間に基づいて、UEによって開始された、コントロールプレーンを介したユーザデータの通信を拒絶してもよい。言い換えると、ネットワークは、UE上でバックオフタイマーCが実行されている時間に、コントロールプレーンを介したユーザデータを受信した場合、コントロールプレーンを介したユーザデータの通信を拒絶してもよい。
【０４８８】
さらに、ネットワークは、記憶しているバックオフタイマーCが有効な範囲と、UEの位置情報に基づいて、UEによって開始された、コントロールプレーンを介したユーザデータの通信を拒絶してもよい。言い換えると、ネットワークは、バックオフタイマーCが有効な範囲にUEが位置している状態で、コントロールプレーンを介したユーザデータを受信した場合、コントロールプレーンを介したユーザデータの通信を拒絶してもよい。ここで、UEの位置情報は、PLMNを示す情報であってもよいし、レジストレーションエリアを示す情報であってもよい。さらに、UEの位置情報は、トラッキングエリアを示す情報であってもよいし、セルを示す情報であってもよい。尚、UEの位置情報は、UEの位置を示す情報であればよく、これらの情報に限らなくてもよい。
【０４８９】
上記によって、各装置は、本手続きを実行することにより、本手続きの目的を達成することができる。言い換えると、コアネットワークは、本手続きを実行することにより、コアネットワーク主導で、本手続きの目的を達成することができてもよい。さらに、コアネットワークは、本手続きを実行することにより、UEのトリガを必要とせずに、本手続きの目的を達成することができてもよい。さらに、各装置は、本手続きを実行することにより、非登録手続き(De-registration procedure)を実行することなく、本手続きの目的を達成することができてもよい。尚、UEのトリガは、UEからコアネットワークに送信される要求メッセージであってよい。例えば、UEからコアネットワークに送信される要求メッセージは、登録要求メッセージであってよく、サービス要求メッセージであってよい。
【０４９０】
ここで、本手続きの目的とは、UE上のバックオフタイマーCの状態を変更することであってよい。言い換えると、本手続きの目的とは、UEが実行しているバックオフタイマーCを停止することであってもよいし、UE上でバックオフタイマーCを開始することであってもよい。
【０４９１】
尚、上記で説明した登録手続きは、3.2.1章で説明した登録手続きである。さらに、上記で説明したPDUセッション確立手続きは、3.2.2章で説明したPDUセッション確立手続きである。さらに、上記で説明したUE設定更新手続きは、3.2.3章で説明したUE設定更新手続きである。さらに、上記で説明したサービス要求手続きは、3.2.4章で説明したサービス要求手続きである。
【０４９２】
[5. 変形例]
本発明に関わる装置で動作するプログラムは、本発明に関わる実施形態の機能を実現するように、Central Processing Unit(CPU)等を制御してコンピュータを機能させるプログラムであっても良い。プログラムあるいはプログラムによって取り扱われる情報は、一時的にRandom Access Memory(RAM)等の揮発性メモリあるいはフラッシュメモリ等の不揮発性メモリやHard Disk Drive(HDD)、あるいはその他の記憶装置システムに格納される。
【０４９３】
尚、本発明に関わる実施形態の機能を実現する為のプログラムをコンピュータが読み取り可能な記録媒体に記録しても良い。この記録媒体に記録されたプログラムをコンピュータシステムに読み込ませ、実行する事によって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０４９４】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサでもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いる事も可能である。
【０４９５】
なお、本願発明は上述の実施形態に限定されるものではない。実施形態では、装置の1例を記載したが、本願発明は、これに限定されるものではなく、屋内外に設置される据え置き型、または非可動型の電子機器、たとえば、AV機器、キッチン機器、掃除・洗濯機器、空調機器、オフィス機器、自動販売機、その他生活機器等の端末装置もしくは通信装置に適用出来る。
【０４９６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０４９７】
1 移動通信システム
5 PDN_A
6 DN_A
10 UE_A
30 PGW-U
32 PGW-C
35 SGW
40 MME
45 eNB
50 HSS
60 PCRF
80 アクセスネットワーク_A(E-UTRAN)
90 コアネットワーク_A
120 アクセスネットワーク_B(5G AN)
122 gNB
130 UPF
132 SMF
140 AMF
150 UDM
160 PCF
190 コアネットワーク_B
【図１】
2020182175.tif 000003
【図２】
2020182175.tif 000004
【図３】
2020182175.tif 000005
【図４】
2020182175.tif 000006
【図５】
2020182175.tif 000007
【図６】
2020182175.tif 000008
【図７】
2020182175.tif 000009
【図８】
2020182175.tif 000010
【図９】
2020182175.tif 000011